(57)【要約】  本発明は、酵素の混合物を含むクリーニング組成物などの組成物に関する。本発明はさらに、クリーニングプロセスにおけるこのような酵素を含む組成物の使用に関する。【特許請求の範囲】
【請求項１】
ＤＮａｓｅ、プロテアーゼ及び少なくとも１種のクリーニング成分を含むクリーニング組成物。
【請求項２】
前記プロテアーゼがサブチラーゼ、好ましくはサブチリシンである、請求項１に記載のクリーニング組成物。
【請求項３】
前記プロテアーゼが、バチルス属（Ｂａｃｉｌｌｕｓ）、好ましくはバチルス・レンツス（Ｂａｃｉｌｌｕｓ  ｌｅｎｔｕｓ）、バチルス・アミロリケファシエンス（Ｂａｃｉｌｌｕｓ  ａｍｙｌｏｌｉｑｕｅｆａｃｉｅｎｓ）、バチルス・リケニフォルミス（Ｂａｃｉｌｌｕｓ  ｌｉｃｈｅｎｉｆｏｒｍｉｓ）、バチルス・プミルス（Ｂａｃｉｌｌｕｓ  ｐｕｍｉｌｕｓ）、バチルス・ハロデュランス（Ｂａｃｉｌｌｕｓ  ｈａｌｏｄｕｒａｎｓ）又はバチルス・サブティリス（Ｂａｃｉｌｌｕｓ  ｓｕｂｔｉｌｉｓ）から得られる、請求項１又は２に記載のクリーニング組成物。
【請求項４】
前記プロテアーゼが、配列番号７９、配列番号８０又は配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する、請求項１〜３のいずれかに記載のクリーニング組成物。
【請求項５】
前記プロテアーゼが、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する、請求項１〜４のいずれかに記載のクリーニング組成物。
【請求項６】
前記プロテアーゼが、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する、請求項１〜５のいずれかに記載のクリーニング組成物。
【請求項７】
前記プロテアーゼが、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する、請求項１〜６のいずれかに記載のクリーニング組成物。
【請求項８】
前記ＤＮａｓｅが、微生物、好ましくは細菌又は真菌から得られる、請求項１〜７のいずれかに記載のクリーニング組成物。
【請求項９】
前記ＤＮａｓｅが、バチルス属（Ｂａｃｉｌｌｕｓ）、好ましくは、バチルス・シービー（Ｂａｃｉｌｌｕｓ  ｃｉｂｉ）、バチルス・ホリコシイ（Ｂａｃｉｌｌｕｓ  ｈｏｒｉｋｏｓｈｉｉ）、バチルス・リケニフォルミス（Ｂａｃｉｌｌｕｓ  ｌｉｃｈｅｎｉｆｏｒｍｉｓ）、バチルス・サブティリス（Ｂａｃｉｌｌｕｓ  ｓｕｂｔｉｌｉｓ）、バチルス・ホルネッキアエ（Ｂａｃｉｌｌｕｓ  ｈｏｒｎｅｃｋｉａｅ）、バチルス・アイドリエンシス（Ｂａｃｉｌｌｕｓ  ｉｄｒｉｅｎｓｉｓ）、バチルス・アルギコーラ（Ｂａｃｉｌｌｕｓ  ａｌｇｉｃｏｌａ）、バチルス・ベトナメンシス（Ｂａｃｉｌｌｕｓ  ｖｉｅｔｎａｍｅｎｓｉｓ）、バチルス・ヒュワジンポエンシス（Ｂａｃｉｌｌｕｓ  ｈｗａｊｉｎｐｏｅｎｓｉｓ）、バチルス・インディカス（Ｂａｃｉｌｌｕｓ  ｉｎｄｉｃｕｓ）、バチルス・マリスフラビ（Ｂａｃｉｌｌｕｓ  ｍａｒｉｓｆｌａｖｉ）又はバチルス・ルシフェレンシス（Ｂａｃｉｌｌｕｓ  ｌｕｃｉｆｅｒｅｎｓｉｓ）から得られる、請求項１〜８のいずれかに記載のクリーニング組成物。
【請求項１０】
前記ＤＮａｓｅが、モチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）の一方又は両方を含む、請求項１〜９のいずれかに記載のクリーニング組成物。
【請求項１１】
前記ＤＮａｓｅが、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する、請求項８〜１０のいずれかに記載のクリーニング組成物。
【請求項１２】
前記ＤＮａｓｅが、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する、請求項８〜１０のいずれかに記載のクリーニング組成物。
【請求項１３】
前記ＤＮａｓｅが、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する、請求項８〜１０のいずれかに記載のクリーニング組成物。
【請求項１４】
前記ＤＮａｓｅが、真菌、好ましくはアスペルギルス属（Ａｓｐｅｒｇｉｌｌｕｓ）、さらにより好ましくはアスペルギルス・オリゼ（Ａｓｐｅｒｇｉｌｌｕｓ  ｏｒｙｚａｅ）から得られ、且つ前記ＤＮａｓｅが、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する、請求項８に記載のクリーニング組成物。
【請求項１５】
前記ＤＮａｓｅが、真菌、好ましくはトリコデルマ属（Ｔｒｉｃｈｏｄｅｒｍａ）、さらにより好ましくはトリコデルマ・ハルジアヌム（Ｔｒｉｃｈｏｄｅｒｍａ  ｈａｒｚｉａｎｕｍ）から得られ、且つ前記ＤＮａｓｅが、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する、請求項８に記載のクリーニング組成物。
【請求項１６】
前記組成物中のＤＮａｓｅの量が、０．０１〜１０００ｐｐｍであり、プロテアーゼの量が、０．０１〜１０００ｐｐｍである、請求項１〜１５のいずれかに記載のクリーニング組成物。
【請求項１７】
前記クリーニング成分が、界面活性剤、好ましくはアニオン性及び／又は非イオン性界面活性剤、ビルダー並びに漂白剤成分から選択される、請求項１〜１６のいずれかに記載のクリーニング組成物。
【請求項１８】
物品のディープクリーニングのための請求項１〜１７のいずれかに記載のクリーニング組成物の使用であって、前記物品が織物又は表面である、請求項１〜１７のいずれかに記載の組成物の使用。
【請求項１９】
ＤＮａｓｅ、プロテアーゼ及び少なくとも１種のクリーニング成分を加えることを含む、請求項１〜１７のいずれかに記載のクリーニング組成物を配合する方法。
【請求項２０】
ディープクリーニングを目的とするキットであって、前記キットが、ＤＮａｓｅ及びプロテアーゼを含む酵素混合物の溶液を含むキット。
【請求項２１】
物品のディープクリーニングの方法であって、
ａ）前記物品を請求項１〜１７のいずれかに記載のクリーニング組成物と接触させる工程；及び
ｂ）任意選択により前記物品をすすぐ工程であって、前記物品が好ましくは織物である工程を含む、方法。
【発明の詳細な説明】
【技術分野】
【０００１】
配列表の参照
本出願は、コンピュータ読み取り可能な形態の配列表を含んでおり、これは本明細書において参照により援用される。
【０００２】
本発明は、酵素の混合物を含むクリーニング組成物などの組成物に関する。本発明はさらに、クリーニングプロセスにおける及び／又は有機物による汚れのディープクリーニングのための、そのような酵素を含む組成物の使用、有機物成分の除去又は減少のための方法に関する。
【背景技術】
【０００３】
酵素は数十年間洗剤において使用されてきた。通常、様々な酵素の反応混液が洗剤組成物に加えられる。酵素の反応混液は多くの場合、様々な酵素を含み、各酵素は特定の基質を標的にし、例えば、アミラーゼはデンプンによる汚れに対して活性であり、プロテアーゼはタンパク質の汚れに対するなどである。織物表面及びいくつもの洗浄サイクルに耐えている食器類又は洗濯機の内部空間などの硬質表面は、タンパク質、油脂、デンプンなどから構成され得る多くの様々なタイプの汚れで汚れる。ある種類の汚れは、バイオフィルム、ＥＰＳなどの有機物と関連し得る。有機物は、多糖類、細胞外ＤＮＡ（ｅＤＮＡ）、及びタンパク質などの様々な分子から構成され得る。一部の有機物は、細胞外ポリマーマトリクスを構成し、粘着性又は接着性であり得、織物上に存在する場合に汚れを引きつけ、且つ汚れの再付着又は逆汚染に続いて、灰色の織物をもたらす場合がある。加えて、様々な悪臭分子が、複雑な細胞外マトリクス中の多糖類、細胞外ＤＮＡ（ｅＤＮＡ）、及びタンパク質によって付着される可能性があり、且つゆっくりと放出されて、消費者が感じとれる悪臭問題を引き起こすため、バイオフィルムなどの有機物は悪臭問題を引き起こす場合が多い。例えば、タンパク質及びＤＮＡなどのバイオフィルムに関連する汚れを効率的に防止するか、減少させるか又は除去するクリーニング組成物の必要性が依然として存在する。本発明は、そのような必要性を満たす新規の組成物を提供する。
【発明の概要】
【課題を解決するための手段】
【０００４】
本発明の第１の態様は、ＤＮａｓｅ、プロテアーゼ及び少なくとも１種のクリーニング成分を含むクリーニング組成物に関する。
【０００５】
本発明の別の態様は、少なくとも０．００１ｐｐｍのＤＮａｓｅ、少なくとも０．００１ｐｐｍのプロテアーゼ及びクリーニング成分を含むクリーニング組成物に関し、クリーニング成分は、
ａ．０．１〜１５ｗｔ％の少なくとも１種の界面活性剤；
ｂ．０．５〜２０ｗｔ％の少なくとも１種のビルダー；及び
ｃ．０．０１〜１０ｗｔ％の少なくとも１種の漂白剤成分
から選択される。
【０００６】
本発明はさらに、物品のディープクリーニングのための組成物の使用に関し、物品は織物又は表面である。本発明はさらに、物品のディープクリーニングのためのＤＮａｓｅ、プロテアーゼ及び少なくとも１種のクリーニング成分を含む、クリーニング組成物の使用に関し、ここで、物品は織物又は表面である。
【０００７】
本発明はさらに、ＤＮａｓｅ、プロテアーゼ及び少なくとも１種のクリーニング成分を加えることを含む、クリーニング組成物を配合する方法に関する。本発明はさらに、ディープクリーニングを目的とするキットに関し、キットは、ＤＮａｓｅ及びプロテアーゼを含む酵素混合物の溶液を含む。本発明はさらに、物品のディープクリーニングの方法に関し、ａ）ＤＮａｓｅ、プロテアーゼ及びクリーニング成分を含む酵素混合物を含む溶液と物品を接触させる工程であって、クリーニング成分が、０．１〜１５ｗｔ％の少なくとも１種の界面活性剤；０．５〜２０ｗｔ％の少なくとも１種のビルダー；及び０．０１〜１０ｗｔ％の少なくとも１種の漂白剤成分から選択される工程；並びにｂ）任意選択により物品をすすぐ工程であって、物品が好ましくは織物である工程を含む。本発明はさらに、物品のディープクリーニングの方法に関し、
ａ）ＤＮａｓｅ、プロテアーゼ及び少なくとも１種のクリーニング成分を含むクリーニング組成物と物品を接触させる工程；及び
ｂ）任意選択により物品をすすぐ工程であって、物品が好ましくは織物である工程
を含む。
【発明を実施するための形態】
【０００８】
様々な酵素が、タンパク質、デンプン及び油脂の汚れなどの特定の種類の汚れをそれぞれ標的とするクリーニングプロセスにおいて適用されている。現在、酵素は、洗濯及び食器洗浄のための洗剤において標準的な成分である。これらの市販の酵素の有効性により、ほとんどの汚れを除去する洗剤がもたらされる。しかしながら、バイオフィルム及びＥＰＳ（細胞外ポリマー物質）などの有機物の成分は、そのような有機物の複雑な性質のために、難しい種類の汚れを構成する。市販されているクリーニング組成物には、ＥＰＳ及び／又はバイオフィルムに関連する汚れを効率的に除去又は減少させるものはない。バイオフィルムは、微生物の細胞の集団が互いに張り付くか、又は織物、食器類又は硬質の表面若しくは別の種類の表面などの表面に張り付くときに生成され得る。これらの接着細胞は、バイオフィルムの全有機物の５０％〜９０％を構成する細胞外ポリマー物質（ＥＰＳ）の自己生成マトリクス内に包埋されていることが多い。ＥＰＳは主として、多糖類（菌体外多糖）及びタンパク質から構成されるが、ｅＤＮＡ、脂質及び他の有機物などの他の高分子を含む。これらのタンパク質及びＤＮＡなどの高分子は、従来のクリーニング組成物によっては除去することが難しい。ＥＰＳ又はバイオフィルムのような有機物は、粘着性又は接着性であり得、織物上に存在する場合に汚れの再付着又は逆汚染により、灰色の織物がもたらされる場合がある。汚れた洗濯物品を、汚れの少ない洗濯物品と一緒に洗浄するとき、洗浄液に存在する汚れが有機物、例えばバイオフィルム又はバイオフィルム成分に張り付く傾向があり、その結果として、洗濯物品は、洗浄前よりも洗浄後においてさらに「汚れる」。これは、再付着とも呼ばれる場合がある作用である。存在する有機物、例えばバイオフィルムの別の欠点は、悪臭である。
【０００９】
本発明の組成物は、ＤＮａｓｅ及びプロテアーゼの混合物を含み、且つ織物及び硬質の表面、例えば食器類などの表面からタンパク質及びＤＮＡなどの有機成分を効率的に減少させるか、又は除去する。
【００１０】
本発明の組成物は、ＤＮａｓｅ及びプロテアーゼの混合物を含み、且つ例えば洗濯プロセスにおいて適用される場合に再付着を効率的に減少させるか、又は制限する。
【００１１】
本発明の組成物は、ＤＮａｓｅ及びプロテアーゼの混合物を含み、且つ例えば織物又は食器類などの硬質の表面の悪臭を効率的に減少させるか、又は制限する。
【００１２】
本発明の組成物は、ＤＮａｓｅ及びプロテアーゼの混合物を含み、且つ織物の白色度を向上させる。
【００１３】
本発明の組成物は、好ましくは、クリーニング組成物であり、本発明の組成物は、少なくとも１種のＤＮａｓｅ及び少なくとも１種のプロテアーゼを含む。有用なＤＮａｓｅ及びプロテアーゼの例は、それぞれ「ＤＮａｓｅ活性を有するポリペプチド」及び「プロテアーゼ活性を有するポリペプチド」の節において、後述される。
【００１４】
ＤＮａｓｅ活性を有するポリペプチド
用語「ＤＮａｓｅ」は、ＤＮＡ骨格におけるホスホジエステル結合の加水切断、例えばＤＮＡの分解を触媒するＤＮａｓｅ（デオキシリボヌクレアーゼ）活性を有するポリペプチドを意味する。エキソデオキシリボヌクレアーゼは、ＤＮＡ骨格の末端の残基を切るか、又は切断し、エンドデオキシリボヌクレアーゼは、ＤＮＡ骨格内で切断するか、又は切る。ＤＮａｓｅは二重鎖ＤＮＡのみを切断する場合があるか、又は二重鎖及び単鎖ＤＮＡを切断する場合がある。用語「ＤＮａｓｅ」、及び表現「ＤＮａｓｅ活性を有するポリペプチド」は、本出願を通して互換的に使用される。本発明のために、ＤＮａｓｅ活性は、アッセイＩ又はアッセイＩＩＩにおいて記載される手順に従って決定される。
【００１５】
好ましくは、ＤＮａｓｅは、酵素クラスＥ．Ｃ．３．１、好ましくはＥ．Ｃ．３．１．２１、例えば、Ｅ．Ｃ．３．１．２１．Ｘ（Ｘ＝１、２、３、４、５、６、７、８又は９であり、すなわち、例えば、デオキシリボヌクレアーゼＩ、デオキシリボヌクレアーゼＩＶ、Ｉ型部位特異的デオキシリボヌクレアーゼ、ＩＩ型部位特異的デオキシリボヌクレアーゼ、ＩＩＩ型部位特異的デオキシリボヌクレアーゼ、ＣＣ−選択性エンドデオキシリボヌクレアーゼ、デオキシリボヌクレアーゼＶ、Ｔ（４）デオキシリボヌクレアーゼＩＩ、Ｔ（４）デオキシリボヌクレアーゼＩＶ）又はＥ．Ｃ．３．１．２２．Ｙ（Ｙ＝１、２、４又は５であり、例えば、デオキシリボヌクレアーゼＩＩ、アスペルギルス（Ａｓｐｅｒｇｉｌｌｕｓ）デオキシリボヌクレアーゼＫ（１）、クロスオーバージャンクションエンドデオキシリボヌクレアーゼ、デオキシリボヌクレアーゼＸ）のいずれかから選択される。
【００１６】
好ましくは、ＤＮａｓｅ活性を有するポリペプチドは微生物から得られ、ＤＮａｓｅは微生物酵素である。ＤＮａｓｅは、真菌又は細菌起源であることが好ましい。
【００１７】
ＤＮａｓｅは、バチルス属  （Ｂａｃｉｌｌｕｓ）、例えば、バチルス・リケニフォルミス（Ｂａｃｉｌｌｕｓ  ｌｉｃｈｅｎｉｆｏｒｍｉｓ）、バチルス・サブティリス（Ｂａｃｉｌｌｕｓ  ｓｕｂｔｉｌｉｓ）、バチルス属（Ｂａｃｉｌｌｕｓ）ｓｐ−６２４５１、バチルス・ホリコシイ（Ｂａｃｉｌｌｕｓ  ｈｏｒｉｋｏｓｈｉｉ）、バチルス属  （Ｂａｃｉｌｌｕｓ）ｓｐ−６２４５１、バチルス属  （Ｂａｃｉｌｌｕｓ）ｓｐ−１６８４０、バチルス属  （Ｂａｃｉｌｌｕｓ）ｓｐ−６２６６８、バチルス属  （Ｂａｃｉｌｌｕｓ）ｓｐ−１３３９５、バチルス・ホルネッキアエ（Ｂａｃｉｌｌｕｓ  ｈｏｒｎｅｃｋｉａｅ）、バチルス属  （Ｂａｃｉｌｌｕｓ）ｓｐ−１１２３８、バチルス・シービー（Ｂａｃｉｌｌｕｓ  ｃｉｂｉ）、バチルス・アイドリエンシス（Ｂａｃｉｌｌｕｓ  ｉｄｒｉｅｎｓｉｓ）、バチルス属  （Ｂａｃｉｌｌｕｓ）ｓｐ−６２５２０、バチルス属  （Ｂａｃｉｌｌｕｓ）ｓｐ−１６８４０、バチルス属  （Ｂａｃｉｌｌｕｓ）ｓｐ−６２６６８、バチルス・アルギコーラ（Ｂａｃｉｌｌｕｓ  ａｌｇｉｃｏｌａ）、バチルス・ベトナメンシス（Ｂａｃｉｌｌｕｓ  ｖｉｅｔｎａｍｅｎｓｉｓ）、バチルス・ヒュワジンポエンシス（Ｂａｃｉｌｌｕｓ  ｈｗａｊｉｎｐｏｅｎｓｉｓ）、バチルス・インディカス（Ｂａｃｉｌｌｕｓ  ｉｎｄｉｃｕｓ）、バチルス・マリスフラビ（Ｂａｃｉｌｌｕｓ  ｍａｒｉｓｆｌａｖｉ）、バチルス・ルシフェレンシス（Ｂａｃｉｌｌｕｓ  ｌｕｃｉｆｅｒｅｎｓｉｓ）、バチルス属  （Ｂａｃｉｌｌｕｓ）ｓｐ．ＳＡ２−６などから得てもよい。
【００１８】
ＤＮａｓｅはまた、以下のピレノカエトプシス属（Ｐｙｒｅｎｏｃｈａｅｔｏｐｓｉｓ  ｓｐ．）、ビブリッセア・フラボビレンス（Ｖｉｂｒｉｓｓｅａ  ｆｌａｖｏｖｉｒｅｎｓ）、セトスフェリア・ロストラタ（Ｓｅｔｏｓｐｈａｅｒｉａ  ｒｏｓｔｒａｔｅ）、エンドフラグミエラ・バルディナ（Ｅｎｄｏｐｈｒａｇｍｉｅｌｌａ  ｖａｌｄｉｎａ）、コリネスポラ・カッシイコーラ（Ｃｏｒｙｎｅｓｐｏｒａ  ｃａｓｓｉｉｃｏｌａ）、パラフォーマ属（Ｐａｒａｐｈｏｍａ  ｓｐ．）ＸＺ１９６５、モニリニア・フルクチコーラ（Ｍｏｎｉｌｉｎｉａ  ｆｒｕｃｔｉｃｏｌａ）、クルブラリア・ルナータ（Ｃｕｒｖｕｌａｒｉａ  ｌｕｎａｔａ）、ペニシリウム・レチクチスポルム（Ｐｅｎｉｃｉｌｌｉｕｍ  ｒｅｔｉｃｕｌｉｓｐｏｒｕｍ）、ペニシリウム・ケルセトルム（Ｐｅｎｉｃｉｌｌｉｕｍ  ｑｕｅｒｃｅｔｏｒｕｍ）、セトフェオスフェリア属（Ｓｅｔｏｐｈａｅｏｓｐｈａｅｒｉａ  ｓｐ．）、アルテルナリア属（Ａｌｔｅｒｎａｒｉａ）、アルテルナリア属（Ａｌｔｅｒｎａｒｉａ  ｓｐ．）ＸＺ２５４５、トリコデルマ・リーゼイ（Ｔｒｉｃｈｏｄｅｒｍａ  ｒｅｅｓｅｉ）、カエトミウム・サーモフィルム（Ｃｈａｅｔｏｍｉｕｍ  ｔｈｅｒｍｏｐｈｉｌｕｍ）、シタリディウム・サーモフィルム（Ｓｃｙｔａｌｉｄｉｕｍ  ｔｈｅｒｍｏｐｈｉｌｕｍ）、メタポコニア・スクラスポリア（Ｍｅｔａｐｏｃｈｏｎｉａ  ｓｕｃｈｌａｓｐｏｒｉａ）、ダルジニア・フィッサ（Ｄａｌｄｉｎｉａ  ｆｉｓｓａ）、アクレモニウム属（Ａｃｒｅｍｏｎｉｕｍ  ｓｐ．）ＸＺ２００７、アクレモニウム属（Ａｃｒｅｍｏｎｉｕｍ  ｓｐ．）ＸＺ２４１４、アクレモニウム・ジクロモスポルム（Ａｃｒｅｍｏｎｉｕｍ  ｄｉｃｈｒｏｍｏｓｐｏｒｕｍ）、サロクラジウム属（Ｓａｒｏｃｌａｄｉｕｍ  ｓｐ．）ＸＺ２０１４、メタリジウム属（Ｍｅｔａｒｈｉｚｉｕｍ  ｓｐ．）ＨＮＡ１５−２、イサリア・テヌイペス（Ｉｓａｒｉａ  ｔｅｎｕｉｐｅｓ）、シタリジウム・チルシナタム（Ｓｃｙｔａｌｉｄｉｕｍ  ｃｉｒｃｉｎａｔｕｍ）、メタリジウム・レピジオタエ（Ｍｅｔａｒｈｉｚｉｕｍ  ｌｅｐｉｄｉｏｔａｅ）、サーモビスポラ・ビスポラ（Ｔｈｅｒｍｏｂｉｓｐｏｒａ  ｂｉｓｐｏｒａ）、スポロルミア・フィメタリア（Ｓｐｏｒｏｒｍｉａ  ｆｉｍｅｔａｒｉａ）、ピクニジオフォーラ  ｃｆ．ディスペラ（Ｐｙｃｎｉｄｉｏｐｈｏｒａ  ｃｆ．ｄｉｓｐｅｒａ）、環境試料Ｄ、環境試料Ｏ、バッカクキン科（Ｃｌａｖｉｃｉｐｉｔａｃｅａｅ）ｓｐ−７０２４９、ウェステルディケラ属（Ｗｅｓｔｅｒｄｙｋｅｌｌａ  ｓｐ．）ＡＳ８５−２、フミコロプシス・セファロスポリオイデス（Ｈｕｍｉｃｏｌｏｐｓｉｓ  ｃｅｐｈａｌｏｓｐｏｒｉｏｉｄｅｓ）、ネオサルトリア・マッサ（Ｎｅｏｓａｒｔｏｒｙａ  ｍａｓｓａ）、ローソエラ・インターメディア（Ｒｏｕｓｓｏｅｌｌａ  ｉｎｔｅｒｍｅｄｉａ）、プレオスポラ目（Ｐｌｅｏｓｐｏｒａｌｅｓ）、フェオスフェリア属（Ｐｈａｅｏｓｐｈａｅｒｉａ）又はディディモスフェリア・フチリス（Ｄｉｄｙｍｏｓｐｈａｅｒｉａ  ｆｕｔｉｌｉｓ）のいずれかから得てもよい。
【００１９】
本発明の組成物において使用されるＤＮａｓｅは、ＮＵＣ１群のＤＮａｓｅに属することが好ましい。ＮＵＣ１群のＤＮａｓｅは、ＤＮａｓｅ活性を有することに加えて、モチーフ［Ｔ／Ｄ／Ｓ］［Ｇ／Ｎ］ＰＱＬ（配列番号６９）、［Ｆ／Ｌ／Ｙ／Ｉ］Ａ［Ｎ／Ｒ］Ｄ［Ｌ／Ｉ／Ｐ／Ｖ］（配列番号７０）、又はＣ［Ｄ／Ｎ］Ｔ［Ａ／Ｒ］（配列番号７１）のうちの１つ以上を含み得るポリペプチドを含む。本発明の一実施形態は、プロテアーゼ及びＤＮａｓｅ活性を有するポリペプチドを含む組成物に関し、ポリペプチドは、モチーフ［Ｔ／Ｄ／Ｓ］［Ｇ／Ｎ］ＰＱＬ（配列番号６９）、［Ｆ／Ｌ／Ｙ／Ｉ］Ａ［Ｎ／Ｒ］Ｄ［Ｌ／Ｉ／Ｐ／Ｖ］（配列番号７０）又はＣ［Ｄ／Ｎ］Ｔ［Ａ／Ｒ］（配列番号７１）のうちの１つ以上を含む。
【００２０】
ＤＮａｓｅは、好ましくは、ＮＵＣ１＿Ａドメイン［Ｄ／Ｑ］［Ｉ／Ｖ］ＤＨ（配列番号７２）を含む。ドメインモチーフ［Ｔ／Ｄ／Ｓ］［Ｇ／Ｎ］ＰＱＬ、［Ｆ／Ｌ／Ｙ／Ｉ］Ａ［Ｎ／Ｒ］Ｄ［Ｌ／Ｉ／Ｐ／Ｖ］又はＣ［Ｄ／Ｎ］Ｔ［Ａ／Ｒ］のいずれかを含むことに加えて、本発明の組成物において使用されるＤＮａｓｅ活性を有するポリペプチドは、ＮＵＣ１＿Ａドメインを含み得るし、且つ共通のモチーフ［Ｄ／Ｑ］［Ｉ／Ｖ］ＤＨ（配列番号７２）を共有し得る。一実施形態では、本発明は、プロテアーゼ、並びにモチーフ［Ｔ／Ｄ／Ｓ］［Ｇ／Ｎ］ＰＱＬ、［Ｆ／Ｌ／Ｙ／Ｉ］Ａ［Ｎ／Ｒ］Ｄ［Ｌ／Ｉ／Ｐ／Ｖ］、Ｃ［Ｄ／Ｎ］Ｔ［Ａ／Ｒ］及び［Ｄ／Ｑ］［Ｉ／Ｖ］ＤＨから選択される１つ以上のモチーフを含むポリペプチドを含む組成物に関し、ポリペプチドはＤＮａｓｅ活性を有する。
【００２１】
本発明の組成物に加えられるＤＮａｓｅは、構造的及び機能的類似性の両方を有する系統樹の同じ分岐部のＤＮａｓｅの群である、ＧＹＳ−クレードに含まれるＤＮａｓｅの群に属することが好ましい。これらのＮＵＣ１及び／又はＮＵＣ１＿Ａ  ＤＮａｓｅは、保存的モチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）を含み、同様の構造的及び機能的特性を共有する。ＧＹＳ−クレードのＤＮａｓｅは、好ましくは、バチルス属（Ｂａｃｉｌｌｕｓ）から得られる。
【００２２】
本発明の一実施形態は、プロテアーゼ及びＤＮａｓｅ活性を有するＧＹＳクレードのポリペプチドを含む組成物に関し、任意選択により、ポリペプチドは、モチーフ［Ｄ／Ｍ／Ｌ］［Ｓ／Ｔ］ＧＹＳＲ［Ｄ／Ｎ］（配列番号７３）、ＡＳＸＮＲＳＫＧ（配列番号７４）の一方又は両方を含み、且つポリペプチドは、ポリペプチドの群：
ａ）配列番号１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号１０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号１１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号１２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号１３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号１４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号１５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号１６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号１７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｒ）配列番号１８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｓ）配列番号１９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｔ）配列番号２０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｕ）配列番号２１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｖ）配列番号２２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｗ）配列番号２３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｘ）配列番号２４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｙ）配列番号２５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択される。
【００２３】
ＤＮａｓｅ活性を有し、且つＧＹＳ−クレードモチーフを含むポリペプチドは、特に良好なディープクリーニング特性を示し、例えば、ＤＮａｓｅは、織物又は硬質の表面などの物品から、ＤＮＡなどの有機物の成分を除去するか、又は減少させるのに特に効果的である。加えて、これらのＤＮａｓｅは、織物又は硬質の表面などの物品から、悪臭を除去するか、又は減少させるのに特に効果的である。さらに、ＧＹＳ−クレードのＤＮａｓｅは、織物などの物品を洗濯する際に再付着を防止するのに特に効果的である。
【００２４】
一実施形態では、本発明の組成物に加えられるＤＮａｓｅは、保存的モチーフ［Ｖ／Ｉ］ＰＬ［Ｓ／Ａ］ＮＡＷＫ（配列番号７５）又はＮＰＱＬ（配列番号７６）をさらに含み得る、ＮＵＣ１及びＮＵＣ１＿Ａ  ＤＮａｓｅであるＮＡＷＫ−クレードに含まれるＤＮａｓｅの群に属することが好ましい。
【００２５】
本発明の一実施形態は、プロテアーゼ及びＤＮａｓｅ活性を有するＮＡＷＫ−クレードのポリペプチドを含む組成物に関し、任意選択により、ポリペプチドは、モチーフ［Ｖ／Ｉ］ＰＬ［Ｓ／Ａ］ＮＡＷＫ（配列番号７５）又はＮＰＱＬ（配列番号７６）の一方又は両方を含み、且つポリペプチドは、ポリペプチドの群：
ａ）配列番号２６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号２８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号２９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号３０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号３１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号３２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号３３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号３４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号３５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号３６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号３７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｍ）配列番号３８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択される。
【００２６】
ＤＮａｓｅ活性を有し、且つＮＡＷＫ−クレードモチーフを含むポリペプチドは、特に良好なディープクリーニング特性を示し、例えば、ＤＮａｓｅは、織物又は硬質の表面などの物品から、ＤＮＡなどの有機物の成分を除去するか、又は減少させるのに特に効果的である。加えて、これらのＤＮａｓｅは、織物又は硬質の表面などの物品から、悪臭を除去するか、又は減少させるのに特に効果的である。さらに、ＮＡＷＫ−クレードのＤＮａｓｅは、織物などの物品を洗濯する際に再付着を防止するのに特に効果的である。
【００２７】
本発明の組成物に加えられるＤＮａｓｅは、保存的モチーフＰ［Ｑ／Ｅ］Ｌ［Ｗ／Ｙ］（配列番号７７）又は［Ｋ／Ｈ／Ｅ］ＮＡＷ（配列番号７８）をさらに含み得る、ＮＵＣ１及びＮＵＣ１＿Ａ  ＤＮａｓｅであるＫＮＡＷ−クレードに含まれるＤＮａｓｅの群に属することが好ましい。
【００２８】
本発明の一実施形態は、プロテアーゼ及びＤＮａｓｅ活性を有するＫＮＡＷ−クレードポリペプチドを含む組成物に関し、任意選択により、ポリペプチドは、モチーフＰ［Ｑ／Ｅ］Ｌ［Ｗ／Ｙ］（配列番号７７）又は［Ｋ／Ｈ／Ｅ］ＮＡＷ（配列番号７８）の一方又は両方を含み、且つポリペプチドは、ポリペプチドの群：
ａ）配列番号３９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号４０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号４１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号４３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号４４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号４５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号４６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号４７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号４８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号４９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号５０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｍ）配列番号５１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択される。
【００２９】
ＤＮａｓｅ活性を有し、且つＫＮＡＷ−クレードモチーフを含むポリペプチドは、特に良好なディープクリーニング特性を示し、例えば、ＤＮａｓｅは、織物又は硬質の表面などの物品から、ＤＮＡなどの有機物の成分を除去するか、又は減少させるのに特に効果的である。加えて、これらのＤＮａｓｅは、織物又は硬質の表面などの物品から、悪臭を除去するか、又は減少させるのに特に効果的である。さらに、ＫＮＡＷ−クレードのＤＮａｓｅは、織物などの物品を洗濯する際に再付着を防止するのに特に効果的である。
【００３０】
いくつかの実施形態では、本発明は、プロテアーゼ、及びバチルス属（Ｂａｃｉｌｌｕｓ）から得ることができ、例えば、バチルス属（Ｂａｃｉｌｌｕｓ）ｓｐ−６２４５１から得ることができ、且つ配列番号１に示されるポリペプチドと少なくとも６０％、例えば少なくとも６５％、少なくとも７０％、少なくとも７５％、少なくとも８０％、少なくとも８１％、少なくとも８２％、少なくとも８３％、少なくとも８４％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１に示される成熟ポリペプチドから最大１０個のアミノ酸、例えば１、２、３、４、５、６、７、８、９、又は１０個異なる。
【００３１】
いくつかの実施形態では、本発明は、プロテアーゼ、及びバチルス属（Ｂａｃｉｌｌｕｓ）から得ることができ、例えば、バチルス・ホリコシイ（Ｂａｃｉｌｌｕｓ  ｈｏｒｉｋｏｓｈｉｉ）から得ることができ、且つ配列番号２に示されるポリペプチドと少なくとも６０％、例えば少なくとも６５％、少なくとも７０％、少なくとも７５％、少なくとも８０％、少なくとも８１％、少なくとも８２％、少なくとも８３％、少なくとも８４％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２に示される成熟ポリペプチドから最大１０個のアミノ酸、例えば１、２、３、４、５、６、７、８、９、又は１０個異なる。
【００３２】
いくつかの実施形態では、本発明は、プロテアーゼ、及びバチルス属（Ｂａｃｉｌｌｕｓ）から得ることができ、例えば、バチルス属（Ｂａｃｉｌｌｕｓ）ｓｐ−６２５２０から得ることができ、且つ配列番号３に示されるポリペプチドと少なくとも６０％、例えば少なくとも６５％、少なくとも７０％、少なくとも７５％、少なくとも８０％、少なくとも８１％、少なくとも８２％、少なくとも８３％、少なくとも８４％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３に示される成熟ポリペプチドから最大１０個のアミノ酸、例えば１、２、３、４、５、６、７、８、９、又は１０個異なる。
【００３３】
いくつかの実施形態では、本発明は、プロテアーゼ、及びバチルス属（Ｂａｃｉｌｌｕｓ）から得ることができ、例えば、バチルス属（Ｂａｃｉｌｌｕｓ）ｓｐ−６２５２０から得ることができ、且つ配列番号４に示されるポリペプチドと少なくとも６０％、例えば少なくとも６５％、少なくとも７０％、少なくとも７５％、少なくとも８０％、少なくとも８１％、少なくとも８２％、少なくとも８３％、少なくとも８４％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４に示される成熟ポリペプチドから最大１０個のアミノ酸、例えば１、２、３、４、５、６、７、８、９、又は１０個異なる。
【００３４】
いくつかの実施形態では、本発明は、プロテアーゼ、及びバチルス属（Ｂａｃｉｌｌｕｓ）から得ることができ、例えば、バチルス・ホリコシイ（Ｂａｃｉｌｌｕｓ  ｈｏｒｉｋｏｓｈｉｉ）から得ることができ、且つ配列番号５に示されるポリペプチドと少なくとも６０％、例えば少なくとも６５％、少なくとも７０％、少なくとも７５％、少なくとも８０％、少なくとも８１％、少なくとも８２％、少なくとも８３％、少なくとも８４％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５に示される成熟ポリペプチドから最大１０個のアミノ酸、例えば１、２、３、４、５、６、７、８、９、又は１０個異なる。
【００３５】
いくつかの実施形態では、本発明は、プロテアーゼ、及びバチルス属（Ｂａｃｉｌｌｕｓ）から得ることができ、例えば、バチルス・ホリコシイ（Ｂａｃｉｌｌｕｓ  ｈｏｒｉｋｏｓｈｉｉ）から得ることができ、且つ配列番号６に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号６に示される成熟ポリペプチドから最大１０個のアミノ酸、例えば１、２、３、４、５、６、７、８、９、又は１０個異なる。
【００３６】
いくつかの実施形態では、本発明は、プロテアーゼ、及びバチルス属（Ｂａｃｉｌｌｕｓ）から得ることができ、例えば、バチルス属（Ｂａｃｉｌｌｕｓ）ｓｐ−１６８４０から得ることができ、且つ配列番号７に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号７に示される成熟ポリペプチドから最大１０個のアミノ酸、例えば１、２、３、４、５、６、７、８、９、又は１０個異なる。
【００３７】
いくつかの実施形態では、本発明は、プロテアーゼ、及びバチルス属（Ｂａｃｉｌｌｕｓ）から得ることができ、例えば、バチルス属（Ｂａｃｉｌｌｕｓ）ｓｐ−１６８４０から得ることができ、且つ配列番号８に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号８に示される成熟ポリペプチドから最大１０個のアミノ酸、例えば１、２、３、４、５、６、７、８、９、又は１０個異なる。
【００３８】
いくつかの実施形態では、本発明は、プロテアーゼ、及びバチルス属（Ｂａｃｉｌｌｕｓ）から得ることができ、例えば、バチルス属（Ｂａｃｉｌｌｕｓ）ｓｐ−６２６６８から得ることができ、且つ配列番号９に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号９に示される成熟ポリペプチドから最大１０個のアミノ酸、例えば１、２、３、４、５、６、７、８、９、又は１０個異なる。
【００３９】
いくつかの実施形態では、本発明は、プロテアーゼ、及びバチルス属（Ｂａｃｉｌｌｕｓ）から得ることができ、例えば、バチルス属（Ｂａｃｉｌｌｕｓ）ｓｐ−１３３９５から得ることができ、且つ配列番号１０に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１０に示される成熟ポリペプチドから最大１０個のアミノ酸、例えば１、２、３、４、５、６、７、８、９、又は１０個異なる。
【００４０】
いくつかの実施形態では、本発明は、プロテアーゼ、及びバチルス属（Ｂａｃｉｌｌｕｓ）から得ることができ、例えば、バチルス・ホルネッキアエ（Ｂａｃｉｌｌｕｓ  ｈｏｒｎｅｃｋｉａｅ）から得ることができ、且つ配列番号１１に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１１に示される成熟ポリペプチドから最大１０個のアミノ酸、例えば１、２、３、４、５、６、７、８、９、又は１０個異なる。
【００４１】
いくつかの実施形態では、本発明は、プロテアーゼ、及びバチルス属（Ｂａｃｉｌｌｕｓ）から得ることができ、例えば、バチルス属（Ｂａｃｉｌｌｕｓ）ｓｐ−１１２３８から得ることができ、且つ配列番号１２に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１２に示される成熟ポリペプチドから最大１０個のアミノ酸、例えば１、２、３、４、５、６、７、８、９、又は１０個異なる。
【００４２】
いくつかの実施形態では、本発明は、プロテアーゼ、及びバチルス属（Ｂａｃｉｌｌｕｓ）から得ることができ、例えば、バチルス・シービー（Ｂａｃｉｌｌｕｓ  ｃｉｂｉ）から得ることができ、且つ配列番号１３に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１３に示される成熟ポリペプチドから最大１０個のアミノ酸、例えば１、２、３、４、５、６、７、８、９、又は１０個異なる。
【００４３】
いくつかの実施形態では、本発明は、プロテアーゼ、及びバチルス属（Ｂａｃｉｌｌｕｓ）から得ることができ、例えば、バチルス属（Ｂａｃｉｌｌｕｓ）ｓｐ−１８３１８から得ることができ、且つ配列番号１４に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１４に示される成熟ポリペプチドから最大１０個のアミノ酸、例えば１、２、３、４、５、６、７、８、９、又は１０個異なる。
【００４４】
いくつかの実施形態では、本発明は、プロテアーゼ、及びバチルス属（Ｂａｃｉｌｌｕｓ）から得ることができ、例えば、バチルス・アイドリエンシス（Ｂａｃｉｌｌｕｓ  ｉｄｒｉｅｎｓｉｓ）から得ることができ、且つ配列番号１５に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１５に示される成熟ポリペプチドから最大１０個のアミノ酸、例えば１、２、３、４、５、６、７、８、９、又は１０個異なる。
【００４５】
いくつかの実施形態では、本発明は、プロテアーゼ、及びバチルス属（Ｂａｃｉｌｌｕｓ）から得ることができ、例えば、バチルス・アルギコーラ（Ｂａｃｉｌｌｕｓ  ａｌｇｉｃｏｌａ）から得ることができ、配列番号１６に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１６に示される成熟ポリペプチドから最大１０個のアミノ酸、例えば１、２、３、４、５、６、７、８、９、又は１０個異なる。
【００４６】
いくつかの実施形態では、本発明は、プロテアーゼ、及び環境試料Ｊから得ることができ、且つ配列番号１７に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１７に示される成熟ポリペプチドから最大１０個のアミノ酸、例えば１、２、３、４、５、６、７、８、９、又は１０個異なる。
【００４７】
いくつかの実施形態では、本発明は、プロテアーゼ、及びバチルス属（Ｂａｃｉｌｌｕｓ）から得ることができ、例えば、バチルス・ベトナメンシス（Ｂａｃｉｌｌｕｓ  ｖｉｅｔｎａｍｅｎｓｉｓ）から得ることができ、且つ配列番号１８に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１８に示される成熟ポリペプチドから最大１０個のアミノ酸、例えば１、２、３、４、５、６、７、８、９、又は１０個異なる。
【００４８】
いくつかの実施形態では、本発明は、プロテアーゼ、及びバチルス属（Ｂａｃｉｌｌｕｓ）から得ることができ、例えば、バチルス・ヒュワジンポエンシス（Ｂａｃｉｌｌｕｓ  ｈｗａｊｉｎｐｏｅｎｓｉｓ）から得ることができ、且つ配列番号１９に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号１９に示される成熟ポリペプチドから最大１０個のアミノ酸、例えば１、２、３、４、５、６、７、８、９、又は１０個異なる。
【００４９】
いくつかの実施形態では、本発明は、プロテアーゼ、及びパエニバチルス・ムシラギノサス（Ｐａｅｎｉｂａｃｉｌｌｕｓ  ｍｕｃｉｌａｇｉｎｏｓｕｓ）から得ることができ、且つ配列番号２０に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２０に示される成熟ポリペプチドから最大１０個のアミノ酸、例えば１、２、３、４、５、６、７、８、９、又は１０個異なる。
【００５０】
いくつかの実施形態では、本発明は、プロテアーゼ、及びバチルス属（Ｂａｃｉｌｌｕｓ）から得ることができ、例えば、バチルス・インディカス（Ｂａｃｉｌｌｕｓ  ｉｎｄｉｃｕｓ）から得ることができ、且つ配列番号２１に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２１に示される成熟ポリペプチドから最大１０個のアミノ酸、例えば１、２、３、４、５、６、７、８、９、又は１０個異なる。
【００５１】
いくつかの実施形態では、本発明は、プロテアーゼ、及びバチルス属（Ｂａｃｉｌｌｕｓ）から得ることができ、例えば、バチルス・マリスフラビ（Ｂａｃｉｌｌｕｓ  ｍａｒｉｓｆｌａｖｉ）から得ることができ、且つ配列番号２２に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２２に示される成熟ポリペプチドから最大１０個のアミノ酸、例えば１、２、３、４、５、６、７、８、９、又は１０個異なる。
【００５２】
いくつかの実施形態では、本発明は、プロテアーゼ、及びバチルス属（Ｂａｃｉｌｌｕｓ）から得ることができ、例えば、バチルス・ルシフェレンシス（Ｂａｃｉｌｌｕｓ  ｌｕｃｉｆｅｒｅｎｓｉｓ）から得ることができ、且つ配列番号２３に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２３に示される成熟ポリペプチドから最大１０個のアミノ酸、例えば１、２、３、４、５、６、７、８、９、又は１０個異なる。
【００５３】
いくつかの実施形態では、本発明は、プロテアーゼ、及びバチルス属（Ｂａｃｉｌｌｕｓ）から得ることができ、例えば、バチルス・マリスフラビ（Ｂａｃｉｌｌｕｓ  ｍａｒｉｓｆｌａｖｉ）から得ることができ、且つ配列番号２４に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２４に示される成熟ポリペプチドから最大１０個のアミノ酸、例えば１、２、３、４、５、６、７、８、９、又は１０個異なる。
【００５４】
いくつかの実施形態では、本発明は、プロテアーゼ、及びバチルス属（Ｂａｃｉｌｌｕｓ）から得ることができ、例えば、バチルス属（Ｂａｃｉｌｌｕｓ  ｓｐ．）ＳＡ２−６から得ることができ、且つ配列番号２５に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２５に示される成熟ポリペプチドから最大１０個のアミノ酸、例えば１、２、３、４、５、６、７、８、９、又は１０個異なる。
【００５５】
いくつかの実施形態では、本発明は、プロテアーゼ、及びピレノカエトプシス属（Ｐｙｒｅｎｏｃｈａｅｔｏｐｓｉｓ  ｓｐ．）から得ることができ、且つ配列番号２６に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２６に示される成熟ポリペプチドから最大１０個のアミノ酸、例えば１、２、３、４、５、６、７、８、９、又は１０個異なる。
【００５６】
いくつかの実施形態では、本発明は、プロテアーゼ、及びビブリッセア・フラボビレンス（Ｖｉｂｒｉｓｓｅａ  ｆｌａｖｏｖｉｒｅｎｓ）から得ることができ、且つ配列番号２７に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２７に示される成熟ポリペプチドから最大１０個のアミノ酸、例えば１、２、３、４、５、６、７、８、９、又は１０個異なる。
【００５７】
いくつかの実施形態では、本発明は、プロテアーゼ、及びセトスフェリア・ロストラタ（Ｓｅｔｏｓｐｈａｅｒｉａ  ｒｏｓｔｒａｔｅ）から得ることができ、且つ配列番号２８に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２８に示される成熟ポリペプチドから最大１０個のアミノ酸、例えば１、２、３、４、５、６、７、８、９、又は１０個異なる。
【００５８】
いくつかの実施形態では、本発明は、プロテアーゼ、及びエンドフラグミエラ・バルディナ（Ｅｎｄｏｐｈｒａｇｍｉｅｌｌａ  ｖａｌｄｉｎａ）から得ることができ、且つ配列番号２９に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号２９に示される成熟ポリペプチドから最大１０個のアミノ酸、例えば１、２、３、４、５、６、７、８、９、又は１０個異なる。
【００５９】
いくつかの実施形態では、本発明は、プロテアーゼ、及びコリネスポラ・カッシイコーラ（Ｃｏｒｙｎｅｓｐｏｒａ  ｃａｓｓｉｉｃｏｌａ）から得ることができ、且つ配列番号３０に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３０に示される成熟ポリペプチドから最大１０個のアミノ酸、例えば１、２、３、４、５、６、７、８、９、又は１０個異なる。
【００６０】
いくつかの実施形態では、本発明は、プロテアーゼ、及びパラフォーマ属（Ｐａｒａｐｈｏｍａ  ｓｐ．）ＸＺ１９６５から得ることができ、且つ配列番号３１に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３１に示される成熟ポリペプチドから最大１０個のアミノ酸、例えば１、２、３、４、５、６、７、８、９、又は１０個異なる。
【００６１】
いくつかの実施形態では、本発明は、プロテアーゼ、及びモニリニア・フルクチコーラ（Ｍｏｎｉｌｉｎｉａ  ｆｒｕｃｔｉｃｏｌａ）から得ることができ、且つ配列番号３２に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３２に示される成熟ポリペプチドから最大１０個のアミノ酸、例えば１、２、３、４、５、６、７、８、９、又は１０個異なる。
【００６２】
いくつかの実施形態では、本発明は、プロテアーゼ、及びクルブラリア・ルナータ（Ｃｕｒｖｕｌａｒｉａ  ｌｕｎａｔａ）から得ることができ、且つ配列番号３３に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３３に示される成熟ポリペプチドから最大１０個のアミノ酸、例えば１、２、３、４、５、６、７、８、９、又は１０個異なる。
【００６３】
いくつかの実施形態では、本発明は、プロテアーゼ、及びペニシリウム・レチクチスポルム（Ｐｅｎｉｃｉｌｌｉｕｍ  ｒｅｔｉｃｕｌｉｓｐｏｒｕｍ）から得ることができ、且つ配列番号３４に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３４に示される成熟ポリペプチドから最大１０個のアミノ酸、例えば１、２、３、４、５、６、７、８、９、又は１０個異なる。
【００６４】
いくつかの実施形態では、本発明は、プロテアーゼ、及びペニシリウム・ケルセトルム（Ｐｅｎｉｃｉｌｌｉｕｍ  ｑｕｅｒｃｅｔｏｒｕｍ）から得ることができ、且つ配列番号３５に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３５に示される成熟ポリペプチドから最大１０個のアミノ酸、例えば１、２、３、４、５、６、７、８、９、又は１０個異なる。
【００６５】
いくつかの実施形態では、本発明は、プロテアーゼ、及びセトフェオスフェリア属（Ｓｅｔｏｐｈａｅｏｓｐｈａｅｒｉａ  ｓｐ．）から得ることができ、且つ配列番号３６に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３６に示される成熟ポリペプチドから最大１０個のアミノ酸、例えば１、２、３、４、５、６、７、８、９、又は１０個異なる。
【００６６】
いくつかの実施形態では、本発明は、プロテアーゼ、及びアルテルナリア属（Ａｌｔｅｒｎａｒｉａ  ｓｐ．）ＸＺ２５４５から得ることができ、且つ配列番号３７に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３７に示される成熟ポリペプチドから最大１０個のアミノ酸、例えば１、２、３、４、５、６、７、８、９、又は１０個異なる。
【００６７】
いくつかの実施形態では、本発明は、プロテアーゼ、及びアルテルナリア属（Ａｌｔｅｒｎａｒｉａ）から得ることができ、且つ配列番号３８に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３８に示される成熟ポリペプチドから最大１０個のアミノ酸、例えば１、２、３、４、５、６、７、８、９、又は１０個異なる。
【００６８】
いくつかの実施形態では、本発明は、プロテアーゼ、及びトリコデルマ・リーゼイ（Ｔｒｉｃｈｏｄｅｒｍａ  ｒｅｅｓｅｉ）から得ることができ、且つ配列番号３９に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号３９に示される成熟ポリペプチドから最大１０個のアミノ酸、例えば１、２、３、４、５、６、７、８、９、又は１０個異なる。
【００６９】
いくつかの実施形態では、本発明は、プロテアーゼ、及びカエトミウム・サーモフィルム（Ｃｈａｅｔｏｍｉｕｍ  ｔｈｅｒｍｏｐｈｉｌｕｍ）から得ることができ、且つ配列番号４０に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４０に示される成熟ポリペプチドから最大１０個のアミノ酸、例えば１、２、３、４、５、６、７、８、９、又は１０個異なる。
【００７０】
いくつかの実施形態では、本発明は、プロテアーゼ、及びシタリディウム・サーモフィルム（Ｓｃｙｔａｌｉｄｉｕｍ  ｔｈｅｒｍｏｐｈｉｌｕｍ）から得ることができ、且つ配列番号４１に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４１に示される成熟ポリペプチドから最大１０個のアミノ酸、例えば１、２、３、４、５、６、７、８、９、又は１０個異なる。
【００７１】
いくつかの実施形態では、本発明は、プロテアーゼ、及びメタポコニア・スクラスポリア（Ｍｅｔａｐｏｃｈｏｎｉａ  ｓｕｃｈｌａｓｐｏｒｉａ）から得ることができ、且つ配列番号４２に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４２に示される成熟ポリペプチドから最大１０個のアミノ酸、例えば１、２、３、４、５、６、７、８、９、又は１０個異なる。
【００７２】
いくつかの実施形態では、本発明は、プロテアーゼ、及びダルジニア・フィッサ（Ｄａｌｄｉｎｉａ  ｆｉｓｓａ）から得ることができ、且つ配列番号４３に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４３に示される成熟ポリペプチドから最大１０個のアミノ酸、例えば１、２、３、４、５、６、７、８、９、又は１０個異なる。
【００７３】
いくつかの実施形態では、本発明は、プロテアーゼ、及びアクレモニウム属（Ａｃｒｅｍｏｎｉｕｍ  ｓｐ．）ＸＺ２００７から得ることができ、且つ配列番号４４に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４４に示される成熟ポリペプチドから最大１０個のアミノ酸、例えば１、２、３、４、５、６、７、８、９、又は１０個異なる。
【００７４】
いくつかの実施形態では、本発明は、プロテアーゼ、及びアクレモニウム・ジクロモスポルム（Ａｃｒｅｍｏｎｉｕｍ  ｄｉｃｈｒｏｍｏｓｐｏｒｕｍ）から得ることができ、且つ配列番号４５に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４５に示される成熟ポリペプチドから最大１０個のアミノ酸、例えば１、２、３、４、５、６、７、８、９、又は１０個異なる。
【００７５】
いくつかの実施形態では、本発明は、プロテアーゼ、及びサロクラジウム属（Ｓａｒｏｃｌａｄｉｕｍ  ｓｐ．）ＸＺ２０１４から得ることができ、且つ配列番号４６に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４６に示される成熟ポリペプチドから最大１０個のアミノ酸、例えば１、２、３、４、５、６、７、８、９、又は１０個異なる。
【００７６】
いくつかの実施形態では、本発明は、プロテアーゼ、及びメタリジウム属（Ｍｅｔａｒｈｉｚｉｕｍ  ｓｐ．）ＨＮＡ１５−２から得ることができ、且つ配列番号４７に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４７に示される成熟ポリペプチドから最大１０個のアミノ酸、例えば１、２、３、４、５、６、７、８、９、又は１０個異なる。
【００７７】
いくつかの実施形態では、本発明は、プロテアーゼ、及びアクレモニウム属（Ａｃｒｅｍｏｎｉｕｍ  ｓｐ．）ＸＺ２４１４から得ることができ、且つ配列番号４８に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４８に示される成熟ポリペプチドから最大１０個のアミノ酸、例えば１、２、３、４、５、６、７、８、９、又は１０個異なる。
【００７８】
いくつかの実施形態では、本発明は、プロテアーゼ、及びイサリア・テヌイペス（Ｉｓａｒｉａ  ｔｅｎｕｉｐｅｓ）から得ることができ、且つ配列番号４９に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号４９に示される成熟ポリペプチドから最大１０個のアミノ酸、例えば１、２、３、４、５、６、７、８、９、又は１０個異なる。
【００７９】
いくつかの実施形態では、本発明は、プロテアーゼ、及びシタリジウム・チルシナタム（Ｓｃｙｔａｌｉｄｉｕｍ  ｃｉｒｃｉｎａｔｕｍ）から得ることができ、且つ配列番号５０に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５０に示される成熟ポリペプチドから最大１０個のアミノ酸、例えば１、２、３、４、５、６、７、８、９、又は１０個異なる。
【００８０】
いくつかの実施形態では、本発明は、プロテアーゼ、及びメタリジウム・レピジオタエ（Ｍｅｔａｒｈｉｚｉｕｍ  ｌｅｐｉｄｉｏｔａｅ）から得ることができ、且つ配列番号５１に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５１に示される成熟ポリペプチドから最大１０個のアミノ酸、例えば１、２、３、４、５、６、７、８、９、又は１０個異なる。
【００８１】
いくつかの実施形態では、本発明は、プロテアーゼ、及びサーモビスポラ・ビスポラ（Ｔｈｅｒｍｏｂｉｓｐｏｒａ  ｂｉｓｐｏｒａ）から得ることができ、且つ配列番号５２に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５２に示される成熟ポリペプチドから最大１０個のアミノ酸、例えば１、２、３、４、５、６、７、８、９、又は１０個異なる。
【００８２】
いくつかの実施形態では、本発明は、プロテアーゼ、及びスポロルミア・フィメタリア（Ｓｐｏｒｏｒｍｉａ  ｆｉｍｅｔａｒｉａ）から得ることができ、且つ配列番号５３に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５３に示される成熟ポリペプチドから最大１０個のアミノ酸、例えば１、２、３、４、５、６、７、８、９、又は１０個異なる。
【００８３】
いくつかの実施形態では、本発明は、プロテアーゼ、及びピクニジオフォーラ  ｃｆ．ディスペラ（Ｐｙｃｎｉｄｉｏｐｈｏｒａ  ｃｆ．ｄｉｓｐｅｒａ）から得ることができ、且つ配列番号５４に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５４に示される成熟ポリペプチドから最大１０個のアミノ酸、例えば１、２、３、４、５、６、７、８、９、又は１０個異なる。
【００８４】
いくつかの実施形態では、本発明は、プロテアーゼ、及び環境試料Ｄから得ることができ、且つ配列番号５５に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５５に示される成熟ポリペプチドから最大１０個のアミノ酸、例えば１、２、３、４、５、６、７、８、９、又は１０個異なる。
【００８５】
いくつかの実施形態では、本発明は、プロテアーゼ、及び環境試料Ｏから得ることができ、且つ配列番号５６に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５６に示される成熟ポリペプチドから最大１０個のアミノ酸、例えば１、２、３、４、５、６、７、８、９、又は１０個異なる。
【００８６】
いくつかの実施形態では、本発明は、プロテアーゼ、及びバッカクキン科（Ｃｌａｖｉｃｉｐｉｔａｃｅａｅ）ｓｐ−７０２４９から得ることができ、且つ配列番号５７に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５７に示される成熟ポリペプチドから最大１０個のアミノ酸、例えば１、２、３、４、５、６、７、８、９、又は１０個異なる。
【００８７】
いくつかの実施形態では、本発明は、プロテアーゼ、及びウェステルディケラ属（Ｗｅｓｔｅｒｄｙｋｅｌｌａ  ｓｐ．）ＡＳ８５−２から得ることができ、且つ配列番号５８に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５８に示される成熟ポリペプチドから最大１０個のアミノ酸、例えば１、２、３、４、５、６、７、８、９、又は１０個異なる。
【００８８】
いくつかの実施形態では、本発明は、プロテアーゼ、及びフミコロプシス・セファロスポリオイデス（Ｈｕｍｉｃｏｌｏｐｓｉｓ  ｃｅｐｈａｌｏｓｐｏｒｉｏｉｄｅｓ）から得ることができ、且つ配列番号５９に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号５９に示される成熟ポリペプチドから最大１０個のアミノ酸、例えば１、２、３、４、５、６、７、８、９、又は１０個異なる。
【００８９】
いくつかの実施形態では、本発明は、プロテアーゼ、及びネオサルトリア・マッサ（Ｎｅｏｓａｒｔｏｒｙａ  ｍａｓｓａ）から得ることができ、且つ配列番号６０に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号６０に示される成熟ポリペプチドから最大１０個のアミノ酸、例えば１、２、３、４、５、６、７、８、９、又は１０個異なる。
【００９０】
いくつかの実施形態では、本発明は、プロテアーゼ、及びローソエラ・インターメディア（Ｒｏｕｓｓｏｅｌｌａ  ｉｎｔｅｒｍｅｄｉａ）から得ることができ、且つ配列番号６１に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号６１に示される成熟ポリペプチドから最大１０個のアミノ酸、例えば１、２、３、４、５、６、７、８、９、又は１０個異なる。
【００９１】
いくつかの実施形態では、本発明は、プロテアーゼ、及びプレオスポラ目（Ｐｌｅｏｓｐｏｒａｌｅｓ）から得ることができ、且つ配列番号６２に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号６２に示される成熟ポリペプチドから最大１０個のアミノ酸、例えば１、２、３、４、５、６、７、８、９、又は１０個異なる。
【００９２】
いくつかの実施形態では、本発明は、プロテアーゼ、及びフェオスフェリア属（Ｐｈａｅｏｓｐｈａｅｒｉａ）から得ることができ、且つ配列番号６３に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号６３に示される成熟ポリペプチドから最大１０個のアミノ酸、例えば１、２、３、４、５、６、７、８、９、又は１０個異なる。
【００９３】
いくつかの実施形態では、本発明は、プロテアーゼ、及びディディモスフェリア・フチリス（Ｄｉｄｙｍｏｓｐｈａｅｒｉａ  ｆｕｔｉｌｉｓ）から得ることができ、且つ配列番号６４に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号６４に示される成熟ポリペプチドから最大１０個のアミノ酸、例えば１、２、３、４、５、６、７、８、９、又は１０個異なる。
【００９４】
いくつかの実施形態では、本発明は、プロテアーゼ、及びバチルス属（Ｂａｃｉｌｌｕｓ）から得ることができ、例えば、バチルス・リケニフォルミス（Ｂａｃｉｌｌｕｓ  ｌｉｃｈｅｎｉｆｏｒｍｉｓ）から得ることができ、配列番号６５に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号６５に示される成熟ポリペプチドから最大１０個のアミノ酸、例えば１、２、３、４、５、６、７、８、９、又は１０個異なる。
【００９５】
いくつかの実施形態では、本発明は、プロテアーゼ、及びバチルス属（Ｂａｃｉｌｌｕｓ）から得ることができ、例えば、バチルス・サブティリス（Ｂａｃｉｌｌｕｓ  ｓｕｂｔｉｌｉｓ）から得ることができ、配列番号６６に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号６６に示される成熟ポリペプチドから最大１０個のアミノ酸、例えば１、２、３、４、５、６、７、８、９、又は１０個異なる。
【００９６】
いくつかの実施形態では、本発明は、プロテアーゼ、及びアスペルギルス属（Ａｓｐｅｒｇｉｌｌｕｓ）から得ることができ、例えば、アスペルギルス・オリゼ（Ａｓｐｅｒｇｉｌｌｕｓ  ｏｒｙｚａｅ）から得ることができ、配列番号６７に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号６７に示される成熟ポリペプチドから最大１０個のアミノ酸、例えば１、２、３、４、５、６、７、８、９、又は１０個異なる。
【００９７】
いくつかの実施形態では、本発明は、プロテアーゼ、及びトリコデルマ属（Ｔｒｉｃｈｏｄｅｒｍａ）から得ることができ、例えば、トリコデルマ・ハルジアヌム（Ｔｒｉｃｈｏｄｅｒｍａ  ｈａｒｚｉａｎｕｍ）から得ることができ、配列番号６８に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有するポリペプチドを含む組成物に関する。一態様では、ポリペプチドは、配列番号６８に示される成熟ポリペプチドから最大１０個のアミノ酸、例えば１、２、３、４、５、６、７、８、９、又は１０個異なる。
【００９８】
プロテアーゼ活性を有するポリペプチド
好適なプロテアーゼとしては、細菌、真菌、植物、ウイルス又は動物起源、例えば、植物又は微生物起源のものが挙げられる。微生物起源のものが好ましい。化学的に修飾された変異体又はタンパク質を操作した変異体が含まれる。それは、セリンプロテアーゼ又はメタロプロテアーゼなどのアルカリプロテアーゼであってもよい。セリンプロテアーゼは、例えば、トリプシンなどのＳ１ファミリー、又はサブチリシンなどのＳ８ファミリーであってもよい。メタロプロテアーゼプロテアーゼは、例えば、Ｍ４ファミリー由来のサーモリシン又はＭ５、Ｍ７若しくはＭ８ファミリー由来のものなどの他のメタロプロテアーゼであってもよい。セリンプロテアーゼは、基質と共有結合性の付加体を形成する活性部位においてセリンを有することを特徴とするプロテアーゼのサブグループである。サブチラーゼは、６つの下位区分、すなわち、サブチリシンファミリー、テルミターゼファミリー、プロテイナーゼＫファミリー、ランチビオティックなペプチダーゼファミリー、ケキシンファミリー、及びピロリシンファミリーに分類され得る。用語「サブチラーゼ」は、Ｓｉｅｚｅｎ  ｅｔ  ａｌ．，Ｐｒｏｔｅｉｎ  Ｅｎｇｎｇ．４（１９９１）７１９−７３７及びＳｉｅｚｅｎ  ｅｔ  ａｌ．Ｐｒｏｔｅｉｎ  Ｓｃｉｅｎｃｅ  ６（１９９７）５０１−５２３によれば、セリンプロテアーゼのサブグループを指す。サブチラーゼの例は、米国特許第７２６２０４２号明細書及び国際公開第０９／０２１８６７号パンフレットに記載されているバチルス・レンツス（Ｂａｃｉｌｌｕｓ  ｌｅｎｔｕｓ）、Ｂ．アルカロフィルス（Ｂ．ａｌｋａｌｏｐｈｉｌｕｓ）、Ｂ．サブティリス（Ｂ．ｓｕｂｔｉｌｉｓ）、Ｂ．アミロリケファシエンス（Ｂ．ａｍｙｌｏｌｉｑｕｅｆａｃｉｅｎｓ）、Ｂ．プミルス（Ｂ．ｐｕｍｉｌｕｓ）及びＢ．ギブソニイ（Ｂ．ｇｉｂｓｏｎｉｉ）、並びに国際公開第８９／０６２７９号パンフレットに記載のサブチリシン・レンツス、サブチリシン・ノボ、サブチリシン・カールスバーグ、バチルス・リケニフォルミス（Ｂａｃｉｌｌｕｓ  ｌｉｃｈｅｎｉｆｏｒｍｉｓ）、サブチリシンＢＰＮ’、サブチリシン３０９、サブチリシン１４７及びサブチリシン１６８並びに（国際公開第９３／１８１４０号パンフレット）に記載のプロテアーゼＰＤ１３８などのバチルス属（Ｂａｃｉｌｌｕｓ）由来のものである。他の有用なプロテアーゼは、国際公開第９２／１７５１７７号パンフレット、国際公開第０１／０１６２８５号パンフレット、国際公開第０２／０２６０２４号パンフレット、及び国際公開第０２／０１６５４７号パンフレットに記載のものであってもよい。トリプシン様プロテアーゼの例は、トリプシン（例えば、ブタ又はウシ起源）及び国際公開第８９／０６２７０号パンフレット、国際公開第９４／２５５８３号パンフレット及び国際公開第０５／０４０３７２号パンフレットに記載のフサリウム（Ｆｕｓａｒｉｕｍ）プロテアーゼ、並びに国際公開第０５／０５２１６１号パンフレット及び国際公開第０５／０５２１４６号パンフレットに記載のセルモナス（Ｃｅｌｌｕｍｏｎａｓ）由来のキモトリプシンプロテアーゼである。さらに好ましいプロテアーゼは、例えば、国際公開第９５／２３２２１号パンフレットに記載されているようなバチルス・レンツス（Ｂａｃｉｌｌｕｓ  ｌｅｎｔｕｓ）ＤＳＭ５４８３由来のアルカリプロテアーゼ、並びに国際公開第９２／２１７６０号パンフレット、国際公開第９５／２３２２１号パンフレット、欧州特許第１９２１１４７号明細書及び欧州特許第１９２１１４８号明細書に記載されているその変異体である。メタロプロテアーゼの例は、バチルス・アミロリケファシエンス（Ｂａｃｉｌｌｕｓ  ａｍｙｌｏｌｉｑｕｅｆａｃｉｅｎｓ）由来のものなど、国際公開第０７／０４４９９３号パンフレット（Ｇｅｎｅｎｃｏｒ  Ｉｎｔ．）に記載のような中性メタロプロテアーゼである。好適な市販のプロテアーゼ酵素としては、Ａｌｃａｌａｓｅ（登録商標）、Ｄｕｒａｌａｓｅ（商標）、Ｄｕｒａｚｙｍ（商標）、Ｒｅｌａｓｅ（登録商標）、Ｒｅｌａｓｅ（登録商標）Ｕｌｔｒａ、Ｓａｖｉｎａｓｅ（登録商標）、Ｓａｖｉｎａｓｅ（登録商標）Ｕｌｔｒａ、Ｐｒｉｍａｓｅ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ（登録商標）Ｕｌｔｒａ、Ｏｖｏｚｙｍｅ（登録商標）、Ｃｏｒｏｎａｓｅ（登録商標）、Ｃｏｒｏｎａｓｅ（登録商標）Ｕｌｔｒａ、Ｂｌａｚｅ（登録商標）、Ｂｌａｚｅ  Ｅｖｉｔｙ（登録商標）１００Ｔ、Ｂｌａｚｅ  Ｅｖｉｔｙ（登録商標）１２５Ｔ、Ｂｌａｚｅ  Ｅｖｉｔｙ（登録商標）１５０Ｔ、Ｎｅｕｔｒａｓｅ（登録商標）、Ｅｖｅｒｌａｓｅ（登録商標）及びＥｓｐｅｒａｓｅ（登録商標）（Ｎｏｖｏｚｙｍｅｓ  Ａ／Ｓ）の商標名で販売されているもの、Ｍａｘａｔａｓｅ（登録商標）、Ｍａｘａｃａｌ（登録商標）、Ｍａｘａｐｅｍ（登録商標）、Ｐｕｒａｆｅｃｔ  Ｏｘ（登録商標）、Ｐｕｒａｆｅｃｔ  ＯｘＰ（登録商標）、Ｐｕｒａｍａｘ（登録商標）、ＦＮ２（登録商標）、ＦＮ３（登録商標）、ＦＮ４（登録商標）、Ｅｘｃｅｌｌａｓｅ（登録商標）、Ｅｘｃｅｌｌｅｎｚ  Ｐ１０００（商標）、Ｅｘｃｅｌｌｅｎｚ  Ｐ１２５０（商標）、Ｅｒａｓｅｒ（登録商標）、Ｐｒｅｆｅｒｅｎｚ  Ｐ１００（商標）、Ｐｕｒａｆｅｃｔ  Ｐｒｉｍｅ（登録商標）、Ｐｒｅｆｅｒｅｎｚ  Ｐ１１０（商標）、Ｅｆｆｅｃｔｅｎｚ  Ｐ１０００（商標）、Ｐｕｒａｆｅｃｔ（登録商標）（商標）、Ｅｆｆｅｃｔｅｎｚ  Ｐ１０５０（商標）、Ｐｕｒａｆｅｃｔ  Ｏｘ（登録商標）（商標）、Ｅｆｆｅｃｔｅｎｚ  Ｐ２０００（商標）、Ｐｕｒａｆａｓｔ（登録商標）、Ｐｒｏｐｅｒａｓｅ（登録商標）、Ｏｐｔｉｃｌｅａｎ（登録商標）及びＯｐｔｉｍａｓｅ（登録商標）（Ｄａｎｉｓｃｏ／ＤｕＰｏｎｔ）、Ａｘａｐｅｍ（商標）（Ｇｉｓｔ−Ｂｒｏｃａｓｅｓ  Ｎ．Ｖ．）、ＢＬＡＰ（米国特許第５３５２６０４号明細書の図２９に示される配列）及びその変異体（Ｈｅｎｋｅｌ  ＡＧ）並びに花王からＫＡＰ（バチルス・アルカロフィルス（Ｂａｃｉｌｌｕｓ  ａｌｋａｌｏｐｈｉｌｕｓ）サブチリシン）の商標名で販売されているものが挙げられる。
【００９９】
一態様では、本発明において有用なプロテアーゼは、
ｉ）親プロテアーゼのプロテアーゼ変異体（プロテアーゼ変異体は、以下の位置の１つ以上において配列番号７９又は配列番号８０に示されるプロテアーゼと比較して１つ以上の変化を含み：３、４、９、１５、２４、２７、４２、５５、５９、６０、６６、７４、８５、９６、９７、９８、９９、１００、１０１、１０２、１０４、１１６、１１８、１２１、１２６、１２７、１２８、１５４、１５６、１５７、１５８、１６１、１６４、１７６、１７９、１８２、１８５、１８８、１８９、１９３、１９８、１９９、２００、２０３、２０６、２１１、２１２、２１６、２１８、２２６、２２９、２３０、２３９、２４６、２５５、２５６、２６８及び２６９、この位置は配列番号７９において示されるプロテアーゼの位置に相当し、プロテアーゼ変異体は、配列番号７９又は配列番号８０に対して少なくとも６０％、少なくとも６５％、少なくとも７０％、少なくとも７５％、少なくとも８０％、少なくとも８５％、少なくとも９０％、少なくとも９５％、少なくとも９８％であるが１００％未満の配列同一性を有する）；
ｉｉ）親プロテアーゼのプロテアーゼ変異体（プロテアーゼ変異体は、Ｘ３Ｔ、Ｘ４Ｉ、Ｘ９Ｒ、Ｘ９Ｅ、Ｘ１５Ｔ、Ｘ２４Ｇ、Ｘ２４Ｒ、Ｘ２７Ｒ、Ｘ４２Ｒ、Ｘ５５Ｐ、Ｘ５９Ｅ、Ｘ５９Ｄ、Ｘ６０Ｄ、Ｘ６０Ｅ、Ｘ６６Ａ、Ｘ７４Ｄ、Ｘ８５Ｒ、Ｘ９６Ｓ、Ｘ９７Ｇ、Ｘ９７Ｄ、Ｘ９７Ａ、Ｘ９７ＸＤ、Ｘ９９Ｅ、Ｘ９９Ｄ、Ｘ９９Ｇ、Ｘ９９Ｍ、Ｘ９９Ｎ、Ｘ９９Ｒ、Ｘ９９Ｈ、Ｘ１０１Ａ、Ｘ１０２Ｉ、Ｘ１０２Ｙ、Ｘ１０２Ｎ、Ｘ１０４Ａ、Ｘ１１６Ｖ、Ｘ１１６Ｒ、Ｘ１１８Ｄ、Ｘ１１８Ｎ、Ｘ１２０Ｓ、Ｘ１２６Ｌ、Ｘ１２７Ｑ、Ｘ１２８Ａ、Ｘ１５４Ｄ、Ｘ１５６Ｅ、Ｘ１５７Ｄ、Ｘ１５７Ｐ、Ｘ１５８Ｅ、Ｘ１６１Ａ、Ｘ１６４Ｓ、Ｘ１７６Ｅ、Ｘ１７９Ｅ、Ｘ１８２Ｅ、Ｘ１８５Ｎ、Ｘ１８８Ｐ、Ｘ１８９Ｅ、Ｘ１９３Ｍ、Ｘ１９８Ｄ、Ｘ１９９Ｉ、Ｘ２０３Ｗ、Ｘ２０６Ｇ、Ｘ２１１Ｑ、Ｘ２１１Ｄ、Ｘ２１２Ｄ、Ｘ２１２Ｓ、Ｘ２１６Ｓ、Ｘ２２６Ｖ、Ｘ２２９Ｌ、Ｘ２３０Ｈ、Ｘ２３９Ｒ、Ｘ２４６Ｋ、Ｘ２５５Ｗ、Ｘ２５５Ｄ、Ｘ２５５Ｅ、Ｘ２５６Ｅ、Ｘ２５６Ｄ  Ｘ２６８Ａ及びＸ２６９Ｈからなる群から選択される１つ以上の変異を含み、この位置は配列番号７９に示されるプロテアーゼの位置に相当し、プロテアーゼ変異体は、配列番号７９又は配列番号８０に対して少なくとも６０％、少なくとも６５％、少なくとも７０％、少なくとも７５％、少なくとも８０％、少なくとも８５％、少なくとも９０％、少なくとも９５％、少なくとも９８％であるが１００％未満の配列同一性を有する）；
ｉｉｉ）配列番号８１に示されるプロテアーゼと比較して、配列番号８１の位置１７１、１７３、１７５、１７９、又は１８０に相当する１つ以上の位置で置換を含むプロテアーゼ（プロテアーゼ変異体は、配列番号８１のアミノ酸配列１〜３１１に対して少なくとも６０％、少なくとも６５％、少なくとも７０％、少なくとも７５％、少なくとも８０％、少なくとも８５％、少なくとも９０％、少なくとも９５％、少なくとも９８％であるが１００％未満の配列同一性を有する）；
ｉｖ）配列番号７９、８０、８１に示されるアミノ酸配列を含むプロテアーゼ又は配列番号７９のアミノ酸１〜２６９を含むポリペプチド、配列番号８１のアミノ酸１〜３１１を含むポリペプチド、配列番号８０のアミノ酸１〜２７５を含むポリペプチドに対して少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するプロテアーゼ；
ｖ）配列番号８２、配列番号８３、配列番号８４、配列番号８５、配列番号８６に示されるアミノ酸配列を含むプロテアーゼ、又はこれに対して少なくとも６０％、少なくとも６５％、少なくとも７０％、少なくとも７５％、少なくとも８０％、少なくとも８５％、少なくとも９０％、少なくとも９５％、少なくとも９８％又は好ましくは１００％の配列同一性を有するプロテアーゼ；
ｖｉ）以下の群：
配列番号７９＋Ｔ２２Ｒ＋Ｓ９９Ｇ＋Ｓ１０１Ａ＋Ｖ１０２Ｉ＋Ａ２２６Ｖ＋Ｑ２３９Ｒ、
配列番号８０＋Ｓ２４Ｇ＋Ｓ５３Ｇ＋Ｓ７８Ｎ＋Ｓ１０１Ｎ＋Ｇ１２８Ａ＋Ｙ２１７Ｑ、
配列番号８０＋Ｓ２４Ｇ＋Ｓ５３Ｇ＋Ｓ７８Ｎ＋Ｓ１０１Ｎ＋Ｇ１２８Ｓ＋Ｙ２１７Ｑ、
配列番号７９＋Ｓ９Ｅ＋Ｎ４２Ｒ＋Ｎ７４Ｄ＋Ｖ１９９Ｉ＋Ｑ２００Ｌ＋Ｙ２０３Ｗ＋Ｓ２５３Ｄ＋Ｎ２５５Ｗ＋Ｌ２５６Ｅ、
配列番号７９＋Ｓ９Ｅ＋Ｎ４２Ｒ＋Ｎ７４Ｄ＋Ｈ１１８Ｖ＋Ｑ１７６Ｅ＋Ａ１８８Ｐ＋Ｖ１９９Ｉ＋Ｑ２００ＬＹ２０３Ｗ＋Ｓ２５０Ｄ＋Ｓ２５３Ｄ＋Ｎ２５５Ｗ＋Ｌ２５６Ｅ
配列番号７９＋Ｓ９Ｅ＋Ｎ４２Ｒ＋Ｎ７４Ｄ＋Ｑ１７６Ｅ＋Ａ１８８Ｐ＋Ｖ１９９Ｉ＋Ｑ２００Ｌ＋Ｙ２０３ＷＳ２５０Ｄ＋Ｓ２５３Ｄ＋Ｎ２５５Ｗ＋Ｌ２５６Ｅ
配列番号７９＋Ｓ３Ｖ＋Ｎ７４Ｄ＋Ｈ１１８Ｖ＋Ｑ１７６Ｅ＋Ｎ１７９Ｅ＋Ｓ１８２Ｅ＋Ｖ１９９Ｉ＋Ｑ２００ＬＹ２０３Ｗ＋Ｓ２１０Ｖ＋Ｓ２５０Ｄ＋Ｓ２５３Ｄ＋Ｎ２５５Ｗ＋Ｌ２５６Ｅ
配列番号７９＋Ｔ２２Ａ＋Ｎ６０Ｄ＋Ｓ９９Ｇ＋Ｓ１０１Ａ＋Ｖ１０２Ｉ＋Ｎ１１４Ｌ＋Ｇ１５７Ｄ＋Ｓ１８２Ｄ＋Ｔ２０７Ａ＋Ａ２２６Ｖ＋Ｑ２３９Ｒ＋Ｎ２４２Ｄ＋Ｅ２６５Ｆ、
配列番号７９＋Ｓ９Ｅ＋Ｎ４２Ｒ＋Ｎ７４Ｄ＋Ｈ１１８Ｖ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｓ２５３Ｄ＋Ｎ２５５Ｗ＋Ｌ２５６Ｅ、
配列番号７９＋Ｓ９Ｅ＋Ｎ４２Ｒ＋Ｎ７４Ｄ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｓ２５３Ｄ＋Ｎ２５５Ｗ＋Ｌ２５６Ｅ、
配列番号７９＋Ｓ９Ｅ＋Ｎ４２Ｒ＋Ｎ７４Ｄ＋Ｈ１１８Ｖ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｎ２５５Ｗ＋Ｌ２５６Ｅ＋＊２６９ａＨ＋＊２６９ｂＨ、
配列番号７９＋Ｓ３Ｖ＋Ｎ７４Ｄ＋Ｈ１１８Ｖ＋Ｑ１７６Ｅ＋Ｎ１７９Ｅ＋Ｓ１８２Ｅ＋Ｖ１９９Ｉ＋Ｑ２００Ｌ＋Ｙ２０３Ｗ＋Ｓ２１０Ｖ＋Ｓ２５０Ｄ＋Ｎ２５５Ｗ＋Ｌ２５６Ｅ、
配列番号７９＋Ｓ９Ｅ＋Ｎ７４Ｄ＋Ｇ１１３Ｗ＋Ｇ１５７Ｐ＋Ｑ１７６Ｅ＋Ｖ１９９Ｉ＋Ｑ２００Ｌ＋Ｙ２０３Ｗ＋Ｓ２５０Ｄ＋Ｔ２５４Ｅ＋Ｎ２５５Ｗ＋Ｌ２５６Ｅ、
配列番号７９＋Ｓ３Ｖ＋Ｓ９Ｒ＋Ｎ７４Ｄ＋Ｈ１１８Ｖ＋Ｑ１７６Ｅ＋Ｎ１７９Ｅ＋Ｓ１８２Ｅ＋Ｖ１９９Ｉ＋Ｑ２００Ｌ＋Ｙ２０３Ｗ＋Ｓ２１２Ｖ＋Ｓ２５０Ｄ＋Ｎ２５５Ｗ＋Ｌ２５６Ｅ、
配列番号７９＋Ｓ９９Ｅ、及び
配列番号８０＋Ｌ２１７Ｄから選択されるプロテアーゼ変異体のうちの１つ以上
からなる群から選択される。
【０１００】
セクションｉｉ）における命名、例えば、Ｘ３Ｔは、２０個の天然アミノ酸のいずれかがトレオニン（Ｔ）によって置き換えられ得ることを意味する。したがって、Ｘは、２０個の天然アミノ酸のいずれかを表し、各種開始プロテアーゼ（親プロテアーゼ）が、配列番号７９の位置３に相当する位置において様々なアミノ酸を有し得ることを反映している。プロテアーゼがすでに位置３においてトレオニンを含む場合、置換がないことは当業者に明らかである。
【０１０１】
用語「に相当する」は、使用されるナンバリングシステム及び様々な開始プロテアーゼ（親プロテアーゼ）が様々な長さを有し得ることを反映している。したがって、所与の開始プロテアーゼは、例えば配列番号７９と整列させられ、例えば位置３に相当する位置が決定される。
【０１０２】
配列番号ＸＸ＋変異は、特定の親配列と比較して指定される変異を含む親プロテアーゼの変異体として理解されるべきであり、例えば、配列番号８０＋Ｌ２１７Ｄは、配列番号８０に示されるプロテアーゼの変異体であり、変異体８０と比較して変異Ｌ２１７Ｄを含む（配列番号８０の位置２１７におけるロイシンのアスパラギン酸による置換）。
【０１０３】
本発明の組成物においてＤＮａｓｅと組み合わせるのに好適なプロテアーゼは、上記のいずれかであることが好ましく、このようなプロテアーゼは洗剤において非常に有用であり、且つＤＮａｓｅと組み合わせるのに好適である。
【０１０４】
組成物
本発明は、１種以上の追加のクリーニング組成物成分と組み合わせてＤＮａｓｅ及びプロテアーゼを含むクリーニング組成物に関する。
【０１０５】
本発明の一実施形態は、ＤＮａｓｅ、プロテアーゼ及び少なくとも１種のクリーニング成分を含むクリーニング組成物に関する。プロテアーゼは、見出し「プロテアーゼ活性を有するポリペプチド」で言及されるプロテアーゼのいずれかであり得る。好ましくは、プロテアーゼはサブチラーゼであり、さらにより好ましくは、プロテアーゼはサブチラーゼのサブチリシンサブグループに属する。一実施形態は、ＤＮａｓｅ、プロテアーゼ及び少なくとも１種のクリーニング成分を含むクリーニング組成物に関し、プロテアーゼはサブチラーゼ、好ましくはサブチリシンである。
【０１０６】
最も適切なクリーニングプロテアーゼは、バチルス属（Ｂａｃｉｌｌｕｓ）から得ることができるものであり、そのようなプロテアーゼは、高ｐＨで活性であり、プロテアーゼの汚れを効率的に除去することが示されている。さらに、本発明の実施例において示されるとおり、バチルス属（Ｂａｃｉｌｌｕｓ）のサブチリシンプロテアーゼは、バイオフィルム又はその成分の減少、及び除去においてＤＮａｓｅと相乗的に作用する。バイオフィルムは、例えばタンパク質及びＤＮＡを含む複雑な構造体であり、標的となる基質、例えばＤＮＡは、バイオフィルム構造体内に包埋される場合があり、ＤＮａｓｅ及びプロテアーゼがともに作用しているときに、ＤＮＡ及びタンパク質成分はより効率的に除去されると考えられる。したがって、例えばディープクリーニングのためのクリーニング組成物において、プロテアーゼとともにＤＮａｓｅを配合することが有利である。本発明の一態様は、ＤＮａｓｅ、プロテアーゼ及び少なくとも１種のクリーニング成分を加えることを含む、クリーニング組成物を配合する方法に関する。本発明はさらに、ディープクリーニングを目的とするキットに関し、キットは、ＤＮａｓｅ及びプロテアーゼを含む酵素混合物の溶液を含む。
【０１０７】
上記のとおり、現在クリーニング産業において使用される最も適切なプロテアーゼは、バチルス属（Ｂａｃｉｌｌｕｓ）、例えば、バチルス・レンツス（Ｂａｃｉｌｌｕｓ  ｌｅｎｔｕｓ）及びバチルス・アミロリケファシエンス（Ｂａｃｉｌｌｕｓ  ａｍｙｌｏｌｉｑｕｅｆａｃｉｅｎｓ）から得られる。本発明の一実施形態は、ＤＮａｓｅ、プロテアーゼ及び少なくとも１種のクリーニング成分を含むクリーニング組成物に関し、プロテアーゼは、バチルス属（Ｂａｃｉｌｌｕｓ）、好ましくはバチルス・レンツス（Ｂａｃｉｌｌｕｓ  ｌｅｎｔｕｓ）、バチルス・アミロリケファシエンス（Ｂａｃｉｌｌｕｓ  ａｍｙｌｏｌｉｑｕｅｆａｃｉｅｎｓ）、バチルス・リケニフォルミス（Ｂａｃｉｌｌｕｓ  ｌｉｃｈｅｎｉｆｏｒｍｉｓ）、バチルス・プミルス（Ｂａｃｉｌｌｕｓ  ｐｕｍｉｌｕｓ）、バチルス・ハロデュランス（Ｂａｃｉｌｌｕｓ  ｈａｌｏｄｕｒａｎｓ）又はバチルス・サブティリス（Ｂａｃｉｌｌｕｓ  ｓｕｂｔｉｌｉｓ）から得られる。
【０１０８】
本発明のクリーニング組成物におけるＤＮａｓｅと組み合わせるのに好適なプロテアーゼは、好ましくは、クリーニングに好適であり、且つクリーニング条件下、例えば、界面活性剤、ビルダー又は他のクリーニング成分の存在下で高い汚れ除去能力を有するプロテアーゼである。
【０１０９】
一実施形態は、ＤＮａｓｅ、プロテアーゼ及び少なくとも１種のクリーニング成分を含むクリーニング組成物に関し、プロテアーゼは、配列番号７９、配列番号８０又は配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１１０】
一実施形態は、ＤＮａｓｅ、プロテアーゼ及び少なくとも１種のクリーニング成分を含むクリーニング組成物に関し、プロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１１１】
一実施形態は、ＤＮａｓｅ、プロテアーゼ及び少なくとも１種のクリーニング成分を含むクリーニング組成物に関し、プロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１１２】
一実施形態は、ＤＮａｓｅ、プロテアーゼ及び少なくとも１種のクリーニング成分を含むクリーニング組成物に関し、プロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１１３】
一実施形態は、ＤＮａｓｅ、プロテアーゼ及び少なくとも１種のクリーニング成分を含むクリーニング組成物に関し、プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１１４】
一実施形態は、ＤＮａｓｅ、プロテアーゼ及び少なくとも１種のクリーニング成分を含むクリーニング組成物に関し、プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１１５】
一実施形態は、ＤＮａｓｅ、プロテアーゼ及び少なくとも１種のクリーニング成分を含むクリーニング組成物に関し、プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１１６】
一実施形態は、ＤＮａｓｅ、プロテアーゼ及び少なくとも１種のクリーニング成分を含むクリーニング組成物に関し、プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１１７】
一実施形態は、ＤＮａｓｅ、プロテアーゼ及び少なくとも１種のクリーニング成分を含むクリーニング組成物に関し、プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１１８】
一実施形態は、ＤＮａｓｅ、プロテアーゼ及び少なくとも１種のクリーニング成分を含むクリーニング組成物に関し、プロテアーゼは、バチルス属（Ｂａｃｉｌｌｕｓ）、好ましくは、バチルス・レンツス（Ｂａｃｉｌｌｕｓ  ｌｅｎｔｕｓ）、バチルス・アミロリケファシエンス（Ｂａｃｉｌｌｕｓ  ａｍｙｌｏｌｉｑｕｅｆａｃｉｅｎｓ）、バチルス・リケニフォルミス（Ｂａｃｉｌｌｕｓ  ｌｉｃｈｅｎｉｆｏｒｍｉｓ）、バチルス・プミルス（Ｂａｃｉｌｌｕｓ  ｐｕｍｉｌｕｓ）、バチルス・ハロデュランス（Ｂａｃｉｌｌｕｓ  ｈａｌｏｄｕｒａｎｓ）又はバチルス・サブティリス（Ｂａｃｉｌｌｕｓ  ｓｕｂｔｉｌｉｓ）から得られ、且つプロテアーゼは、配列番号７９、配列番号８０又は配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％又は１００％の配列同一性を有する。
【０１１９】
一実施形態は、ＤＮａｓｅ、プロテアーゼ及び少なくとも１種のクリーニング成分を含むクリーニング組成物に関し、プロテアーゼは、バチルス属（Ｂａｃｉｌｌｕｓ）、好ましくは、バチルス・レンツス（Ｂａｃｉｌｌｕｓ  ｌｅｎｔｕｓ）から得られ、且つプロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１２０】
一実施形態は、ＤＮａｓｅ、プロテアーゼ及び少なくとも１種のクリーニング成分を含むクリーニング組成物に関し、プロテアーゼは、バチルス属（Ｂａｃｉｌｌｕｓ）、好ましくは、バチルス・アミロリケファシエンス（Ｂａｃｉｌｌｕｓ  ａｍｙｌｏｌｉｑｕｅｆａｃｉｅｎｓ）から得られ、且つプロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１２１】
一実施形態は、ＤＮａｓｅ、プロテアーゼ及び少なくとも１種のクリーニング成分を含むクリーニング組成物に関し、プロテアーゼは、バチルス（Ｂａｃｉｌｌｕｓ）、好ましくは、バチルス属（Ｂａｃｉｌｌｕｓ  ｓｐ）から得られ、且つプロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１２２】
したがって、記載のとおり、プロテアーゼは、クリーニング成分と適合しなければならず、同様に、プロテアーゼと相まって配合されるか、又はプロテアーゼと相まって使用されるＤＮａｓｅもまた、クリーニング成分と適合しなければならない。ＤＮａｓｅは現在、クリーニング組成物において標準的な成分ではない。しかしながら、本出願人は、例えば、国際公開第２０１７／０６０４７５号パンフレット、国際公開第２０１４／０８７０１１号パンフレット、国際公開第２０１５／１５５３５０号パンフレット及び国際公開第２０１５／１５５３５１号パンフレットにおいて、クリーニング組成物における使用に好適なＤＮａｓｅを同定した。ＤＮａｓｅなどの酵素は、クリーニング成分と適合しなければならないだけでなく、典型的なクリーニング組成物において存在し得る他の酵素とも適合しなければならない。プロテアーゼはこれらの酵素（それ自体がタンパク質である）を分解する可能性があるため、プロテアーゼが、他の酵素の性能に悪影響を及ぼし得ることはよく知られている。驚くべきことに、プロテアーゼ及びＤＮａｓｅは適合するだけでなく、例えばディープクリーニングにおけるバイオフィルムの汚れの減少及び除去に関して相乗的に作用しさえする。
【０１２３】
特に有用なＤＮａｓｅは、微生物起源のものであり得る。本発明の一実施形態は、ＤＮａｓｅ、プロテアーゼ及び少なくとも１種のクリーニング成分を含むクリーニング組成物に関し、ＤＮａｓｅは微生物のものであり、好ましくは、細菌又は真菌から得られる。一実施形態では、クリーニング組成物は細菌由来のＤＮａｓｅを含む。本発明の一実施形態は、ＤＮａｓｅ、プロテアーゼ及び少なくとも１種のクリーニング成分を含むクリーニング組成物に関し、ＤＮａｓｅは、バチルス属（Ｂａｃｉｌｌｕｓ）、好ましくは、バチルス・シービー（Ｂａｃｉｌｌｕｓ  ｃｉｂｉ）、バチルス・ホリコシイ（Ｂａｃｉｌｌｕｓ  ｈｏｒｉｋｏｓｈｉｉ）、バチルス・リケニフォルミス（Ｂａｃｉｌｌｕｓ  ｌｉｃｈｅｎｉｆｏｒｍｉｓ）、バチルス・サブティリス（Ｂａｃｉｌｌｕｓ  ｓｕｂｔｉｌｉｓ）、バチルス・ホルネッキアエ（Ｂａｃｉｌｌｕｓ  ｈｏｒｎｅｃｋｉａｅ）、バチルス・アイドリエンシス（Ｂａｃｉｌｌｕｓ  ｉｄｒｉｅｎｓｉｓ）、バチルス・アルギコーラ（Ｂａｃｉｌｌｕｓ  ａｌｇｉｃｏｌａ）、バチルス・ベトナメンシス（Ｂａｃｉｌｌｕｓ  ｖｉｅｔｎａｍｅｎｓｉｓ）バチルス・ヒュワジンポエンシス（Ｂａｃｉｌｌｕｓ  ｈｗａｊｉｎｐｏｅｎｓｉｓ）、バチルス・インディカス（Ｂａｃｉｌｌｕｓ  ｉｎｄｉｃｕｓ）、バチルス・マリスフラビ（Ｂａｃｉｌｌｕｓ  ｍａｒｉｓｆｌａｖｉ）又はバチルス・ルシフェレンシス（Ｂａｃｉｌｌｕｓ  ｌｕｃｉｆｅｒｅｎｓｉｓ）から得られる。
【０１２４】
上記のとおり、本発明の組成物において使用されるＤＮａｓｅは、ＮＵＣ１群のＤＮａｓｅに属することが好ましい。ＮＵＣ１群のＤＮａｓｅは、モチーフ［Ｔ／Ｄ／Ｓ］［Ｇ／Ｎ］ＰＱＬ（配列番号６９）、［Ｆ／Ｌ／Ｙ／Ｉ］Ａ［Ｎ／Ｒ］Ｄ［Ｌ／Ｉ／Ｐ／Ｖ］（配列番号７０）、又はＣ［Ｄ／Ｎ］Ｔ［Ａ／Ｒ］（配列番号７１）のうちの１つ以上をさらに含み得る。本発明の一実施形態は、ＤＮａｓｅ、プロテアーゼ及び少なくとも１種のクリーニング成分を含むクリーニング組成物に関し、ＤＮａｓｅは、モチーフ［Ｔ／Ｄ／Ｓ］［Ｇ／Ｎ］ＰＱＬ、［Ｆ／Ｌ／Ｙ／Ｉ］Ａ［Ｎ／Ｒ］Ｄ［Ｌ／Ｉ／Ｐ／Ｖ］又はＣ［Ｄ／Ｎ］Ｔ［Ａ／Ｒ］のうちの１つ以上を含む。ＤＮａｓｅはさらに、ＮＵＣ１＿Ａドメイン［Ｄ／Ｑ］［Ｉ／Ｖ］ＤＨ（配列番号７２）を含むことが好ましい。
【０１２５】
本発明の一実施形態は、ＤＮａｓｅ、プロテアーゼ及び少なくとも１種のクリーニング成分を含むクリーニング組成物に関し、ＤＮａｓｅは、モチーフ［Ｔ／Ｄ／Ｓ］［Ｇ／Ｎ］ＰＱＬ、［Ｆ／Ｌ／Ｙ／Ｉ］Ａ［Ｎ／Ｒ］Ｄ［Ｌ／Ｉ／Ｐ／Ｖ］、Ｃ［Ｄ／Ｎ］Ｔ［Ａ／Ｒ］及び［Ｄ／Ｑ］［Ｉ／Ｖ］ＤＨから選択される１つ以上のモチーフを含む。
【０１２６】
本発明の好ましい一実施形態は、ＤＮａｓｅ、プロテアーゼ及び少なくとも１種のクリーニング成分を含むクリーニング組成物に関し、ＤＮａｓｅは、モチーフ［Ｔ／Ｄ／Ｓ］［Ｇ／Ｎ］ＰＱＬ、［Ｆ／Ｌ／Ｙ／Ｉ］Ａ［Ｎ／Ｒ］Ｄ［Ｌ／Ｉ／Ｐ／Ｖ］、Ｃ［Ｄ／Ｎ］Ｔ［Ａ／Ｒ］及び［Ｄ／Ｑ］［Ｉ／Ｖ］ＤＨから選択される２つ以上のモチーフを含む。
【０１２７】
本発明の好ましい一実施形態は、ＤＮａｓｅ、プロテアーゼ及び少なくとも１種のクリーニング成分を含むクリーニング組成物に関し、ＤＮａｓｅは、モチーフ［Ｔ／Ｄ／Ｓ］［Ｇ／Ｎ］ＰＱＬ、［Ｆ／Ｌ／Ｙ／Ｉ］Ａ［Ｎ／Ｒ］Ｄ［Ｌ／Ｉ／Ｐ／Ｖ］、Ｃ［Ｄ／Ｎ］Ｔ［Ａ／Ｒ］及び［Ｄ／Ｑ］［Ｉ／Ｖ］ＤＨから選択される３つ以上のモチーフを含む。
【０１２８】
本発明の好ましい一実施形態は、ＤＮａｓｅ、プロテアーゼ及び少なくとも１種のクリーニング成分を含むクリーニング組成物に関し、ＤＮａｓｅは、モチーフ［Ｔ／Ｄ／Ｓ］［Ｇ／Ｎ］ＰＱＬ、［Ｆ／Ｌ／Ｙ／Ｉ］Ａ［Ｎ／Ｒ］Ｄ［Ｌ／Ｉ／Ｐ／Ｖ］、Ｃ［Ｄ／Ｎ］Ｔ［Ａ／Ｒ］及び［Ｄ／Ｑ］［Ｉ／Ｖ］ＤＨから選択される４つ以上のモチーフを含む。
【０１２９】
本発明の好ましい一実施形態は、ＤＮａｓｅ、プロテアーゼ及び少なくとも１種のクリーニング成分を含むクリーニング組成物に関し、ＤＮａｓｅは、５つ全てのモチーフ［Ｔ／Ｄ／Ｓ］［Ｇ／Ｎ］ＰＱＬ、［Ｆ／Ｌ／Ｙ／Ｉ］Ａ［Ｎ／Ｒ］Ｄ［Ｌ／Ｉ／Ｐ／Ｖ］、Ｃ［Ｄ／Ｎ］Ｔ［Ａ／Ｒ］及び［Ｄ／Ｑ］［Ｉ／Ｖ］ＤＨを含む。
【０１３０】
本発明の組成物に加えられるＤＮａｓｅは、保存的モチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）をさらに含むＮＵＣ１及びＮＵＣ１＿Ａ  ＤＮａｓｅであり、且つ同様の構造的及び機能的特性を共有するＧＹＳ−クレードに含まれるＤＮａｓｅの群に属することが好ましい。ＧＹＳ−クレードのＤＮａｓｅは、好ましくは、バチルス（Ｂａｃｉｌｌｕｓ）属から得られる。
【０１３１】
本発明の一実施形態は、ＤＮａｓｅ、プロテアーゼ及び少なくとも１種のクリーニング成分を含むクリーニング組成物に関し、ＤＮａｓｅは、モチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）の一方又は両方を含む。
【０１３２】
特に好ましい実施形態では、バチルス属（Ｂａｃｉｌｌｕｓ）のＤＮａｓｅは、モチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）の一方又は両方を含む。別の好ましい実施形態では、ＤＮａｓｅは、モチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）の一方又は両方を含み、且つバチルス・シービー（Ｂａｃｉｌｌｕｓ  ｃｉｂｉ）から得られる。さらに別の好ましい実施形態では、ＤＮａｓｅは、配列番号１３に示されるアミノ酸配列又はそれに密接に関係したＤＮａｓｅを含む。
【０１３３】
本発明の一実施形態は、ＤＮａｓｅ、プロテアーゼ及び少なくとも１種のクリーニング成分を含むクリーニング組成物に関し、ＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１３４】
他の好ましいＤＮａｓｅとしては、配列番号６５及び６６に示されるアミノ酸配列を含むものが挙げられる。
【０１３５】
本発明の一実施形態は、ＤＮａｓｅ、プロテアーゼ及び少なくとも１種のクリーニング成分を含むクリーニング組成物に関し、ＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１３６】
本発明の一実施形態は、ＤＮａｓｅ、プロテアーゼ及び少なくとも１種のクリーニング成分を含むクリーニング組成物に関し、ＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１３７】
ＤＮａｓｅはまた真菌のものであることが好ましい。特に好ましいのは、アスペルギルス属（Ａｓｐｅｒｇｉｌｌｕｓ）、特に、アスペルギルス・オリゼ（Ａｓｐｅｒｇｉｌｌｕｓ  ｏｒｙｚａｅ）から得られるＤＮａｓｅである。
【０１３８】
本発明の一実施形態は、ＤＮａｓｅ、プロテアーゼ及び少なくとも１種のクリーニング成分を含むクリーニング組成物に関し、ＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１３９】
他の特に好ましいものは、トリコデルマ属（Ｔｒｉｃｈｏｄｅｒｍａ）、特に、トリコデルマ・ハルジアヌム（Ｔｒｉｃｈｏｄｅｒｍａ  ｈａｒｚｉａｎｕｍ）から得られるＤＮａｓｅである。
【０１４０】
本発明の一実施形態は、ＤＮａｓｅ、プロテアーゼ及び少なくとも１種のクリーニング成分を含むクリーニング組成物に関し、ＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１４１】
一実施形態は、バチルス属（Ｂａｃｉｌｌｕｓ）のＤＮａｓｅ、プロテアーゼ及び少なくとも１種のクリーニング成分を含むクリーニング組成物に関し、プロテアーゼは、バチルス属（Ｂａｃｉｌｌｕｓ）、好ましくは、バチルス・レンツス（Ｂａｃｉｌｌｕｓ  ｌｅｎｔｕｓ）から得られ、且つプロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１４２】
一実施形態は、バチルス属（Ｂａｃｉｌｌｕｓ）のＤＮａｓｅ、プロテアーゼ及び少なくとも１種のクリーニング成分を含むクリーニング組成物に関し、プロテアーゼは、バチルス属（Ｂａｃｉｌｌｕｓ）、好ましくは、バチルス・アミロリケファシエンス（Ｂａｃｉｌｌｕｓ  ａｍｙｌｏｌｉｑｕｅｆａｃｉｅｎｓ）から得られ、且つプロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１４３】
一実施形態は、バチルス属（Ｂａｃｉｌｌｕｓ）のＤＮａｓｅ、プロテアーゼ及び少なくとも１種のクリーニング成分を含むクリーニング組成物に関し、プロテアーゼは、バチルス（Ｂａｃｉｌｌｕｓ）、好ましくは、バチルス属（Ｂａｃｉｌｌｕｓ  ｓｐ）から得られ、且つプロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１４４】
一実施形態は、バチルス属（Ｂａｃｉｌｌｕｓ）のＤＮａｓｅ、プロテアーゼ及び少なくとも１種のクリーニング成分を含むクリーニング組成物に関し、プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１４５】
一実施形態は、バチルス属（Ｂａｃｉｌｌｕｓ）のＤＮａｓｅ、プロテアーゼ及び少なくとも１種のクリーニング成分を含むクリーニング組成物に関し、プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１４６】
一実施形態は、バチルス属（Ｂａｃｉｌｌｕｓ）のＤＮａｓｅ、プロテアーゼ及び少なくとも１種のクリーニング成分を含むクリーニング組成物に関し、プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１４７】
一実施形態は、バチルス属（Ｂａｃｉｌｌｕｓ）のＤＮａｓｅ、プロテアーゼ及び少なくとも１種のクリーニング成分を含むクリーニング組成物に関し、プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１４８】
一実施形態は、バチルス属（Ｂａｃｉｌｌｕｓ）のＤＮａｓｅ、プロテアーゼ及び少なくとも１種のクリーニング成分を含むクリーニング組成物に関し、プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０１４９】
一実施形態は、ＤＮａｓｅ、プロテアーゼ及び少なくとも１種のクリーニング成分を含むクリーニング組成物に関し、プロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号１３に示されるアミノ酸配列を含むポリペプチドを含むか、又はそれからなり、且つプロテアーゼは、配列番号７９に示されるアミノ酸配列を含むポリペプチドを含むか、又はそれからなる。
【０１５０】
一実施形態は、ＤＮａｓｅ、プロテアーゼ及び少なくとも１種のクリーニング成分を含むクリーニング組成物に関し、プロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号１３に示されるアミノ酸配列を含むポリペプチドを含むか、又はそれからなり、且つプロテアーゼは、配列番号８０に示されるアミノ酸配列を含むポリペプチドを含むか、又はそれからなる。
【０１５１】
一実施形態は、ＤＮａｓｅ、プロテアーゼ及び少なくとも１種のクリーニング成分を含むクリーニング組成物に関し、プロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号１３に示されるアミノ酸配列を含むポリペプチドを含むか、又はそれからなり、且つプロテアーゼは、配列番号８１に示されるアミノ酸配列を含むポリペプチドを含むか、又はそれからなる。
【０１５２】
一実施形態は、ＤＮａｓｅ、プロテアーゼ及び少なくとも１種のクリーニング成分を含むクリーニング組成物に関し、プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号１３に示されるアミノ酸配列を含むポリペプチドを含むか、又はそれからなり、且つプロテアーゼは、配列番号８２に示されるアミノ酸配列を含むポリペプチドを含むか、又はそれからなる。
【０１５３】
一実施形態は、ＤＮａｓｅ、プロテアーゼ及び少なくとも１種のクリーニング成分を含むクリーニング組成物に関し、プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号１３に示されるアミノ酸配列を含むポリペプチドを含むか、又はそれからなり、且つプロテアーゼは、配列番号８３に示されるアミノ酸配列を含むポリペプチドを含むか、又はそれからなる。
【０１５４】
一実施形態は、ＤＮａｓｅ、プロテアーゼ及び少なくとも１種のクリーニング成分を含むクリーニング組成物に関し、プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号１３に示されるアミノ酸配列を含むポリペプチドを含むか、又はそれからなり、且つプロテアーゼは、配列番号８４に示されるアミノ酸配列を含むポリペプチドを含むか、又はそれからなる。
【０１５５】
一実施形態は、ＤＮａｓｅ、プロテアーゼ及び少なくとも１種のクリーニング成分を含むクリーニング組成物に関し、プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号１３に示されるアミノ酸配列を含むポリペプチドを含むか、又はそれからなり、且つプロテアーゼは、配列番号８５に示されるアミノ酸配列を含むポリペプチドを含むか、又はそれからなる。
【０１５６】
一実施形態は、ＤＮａｓｅ、プロテアーゼ及び少なくとも１種のクリーニング成分を含むクリーニング組成物に関し、プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号１３に示されるアミノ酸配列を含むポリペプチドを含むか、又はそれからなり、且つプロテアーゼは、配列番号８６に示されるアミノ酸配列を含むポリペプチドを含むか、又はそれからなる。
【０１５７】
一実施形態は、ＤＮａｓｅ、プロテアーゼ及び少なくとも１種のクリーニング成分を含むクリーニング組成物に関し、プロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６５に示されるアミノ酸配列を含むポリペプチドを含むか、又はそれからなり、且つプロテアーゼは、配列番号７９に示されるアミノ酸配列を含むポリペプチドを含むか、又はそれからなる。
【０１５８】
一実施形態は、ＤＮａｓｅ、プロテアーゼ及び少なくとも１種のクリーニング成分を含むクリーニング組成物に関し、プロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６５に示されるアミノ酸配列を含むポリペプチドを含むか、又はそれからなり、且つプロテアーゼは、配列番号８０に示されるアミノ酸配列を含むポリペプチドを含むか、又はそれからなる。
【０１５９】
一実施形態は、ＤＮａｓｅ、プロテアーゼ及び少なくとも１種のクリーニング成分を含むクリーニング組成物に関し、プロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６５に示されるアミノ酸配列を含むポリペプチドを含むか、又はそれからなり、且つプロテアーゼは、配列番号８１に示されるアミノ酸配列を含むポリペプチドを含むか、又はそれからなる。
【０１６０】
一実施形態は、ＤＮａｓｅ、プロテアーゼ及び少なくとも１種のクリーニング成分を含むクリーニング組成物に関し、プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６５に示されるアミノ酸配列を含むポリペプチドを含むか、又はそれからなり、且つプロテアーゼは、配列番号８２に示されるアミノ酸配列を含むポリペプチドを含むか、又はそれからなる。
【０１６１】
一実施形態は、ＤＮａｓｅ、プロテアーゼ及び少なくとも１種のクリーニング成分を含むクリーニング組成物に関し、プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６５に示されるアミノ酸配列を含むポリペプチドを含むか、又はそれからなり、且つプロテアーゼは、配列番号８３に示されるアミノ酸配列を含むポリペプチドを含むか、又はそれからなる。
【０１６２】
一実施形態は、ＤＮａｓｅ、プロテアーゼ及び少なくとも１種のクリーニング成分を含むクリーニング組成物に関し、プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６５に示されるアミノ酸配列を含むポリペプチドを含むか、又はそれからなり、且つプロテアーゼは、配列番号８４に示されるアミノ酸配列を含むポリペプチドを含むか、又はそれからなる。
【０１６３】
一実施形態は、ＤＮａｓｅ、プロテアーゼ及び少なくとも１種のクリーニング成分を含むクリーニング組成物に関し、プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６５に示されるアミノ酸配列を含むポリペプチドを含むか、又はそれからなり、且つプロテアーゼは、配列番号８５に示されるアミノ酸配列を含むポリペプチドを含むか、又はそれからなる。
【０１６４】
一実施形態は、ＤＮａｓｅ、プロテアーゼ及び少なくとも１種のクリーニング成分を含むクリーニング組成物に関し、プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６５に示されるアミノ酸配列を含むポリペプチドを含むか、又はそれからなり、且つプロテアーゼは、配列番号８６に示されるアミノ酸配列を含むポリペプチドを含むか、又はそれからなる。
【０１６５】
一実施形態は、ＤＮａｓｅ、プロテアーゼ及び少なくとも１種のクリーニング成分を含むクリーニング組成物に関し、プロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６６に示されるアミノ酸配列を含むポリペプチドを含むか、又はそれからなり、且つプロテアーゼは、配列番号７９に示されるアミノ酸配列を含むポリペプチドを含むか、又はそれからなる。
【０１６６】
一実施形態は、ＤＮａｓｅ、プロテアーゼ及び少なくとも１種のクリーニング成分を含むクリーニング組成物に関し、プロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６６に示されるアミノ酸配列を含むポリペプチドを含むか、又はそれからなり、且つプロテアーゼは、配列番号８０に示されるアミノ酸配列を含むポリペプチドを含むか、又はそれからなる。
【０１６７】
一実施形態は、ＤＮａｓｅ、プロテアーゼ及び少なくとも１種のクリーニング成分を含むクリーニング組成物に関し、プロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６６に示されるアミノ酸配列を含むポリペプチドを含むか、又はそれからなり、且つプロテアーゼは、配列番号８１に示されるアミノ酸配列を含むポリペプチドを含むか、又はそれからなる。
【０１６８】
一実施形態は、ＤＮａｓｅ、プロテアーゼ及び少なくとも１種のクリーニング成分を含むクリーニング組成物に関し、プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６６に示されるアミノ酸配列を含むポリペプチドを含むか、又はそれからなり、且つプロテアーゼは、配列番号８２に示されるアミノ酸配列を含むポリペプチドを含むか、又はそれからなる。
【０１６９】
一実施形態は、ＤＮａｓｅ、プロテアーゼ及び少なくとも１種のクリーニング成分を含むクリーニング組成物に関し、プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６６に示されるアミノ酸配列を含むポリペプチドを含むか、又はそれからなり、且つプロテアーゼは、配列番号８３に示されるアミノ酸配列を含むポリペプチドを含むか、又はそれからなる。
【０１７０】
一実施形態は、ＤＮａｓｅ、プロテアーゼ及び少なくとも１種のクリーニング成分を含むクリーニング組成物に関し、プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６６に示されるアミノ酸配列を含むポリペプチドを含むか、又はそれからなり、且つプロテアーゼは、配列番号８４に示されるアミノ酸配列を含むポリペプチドを含むか、又はそれからなる。
【０１７１】
一実施形態は、ＤＮａｓｅ、プロテアーゼ及び少なくとも１種のクリーニング成分を含むクリーニング組成物に関し、プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６６に示されるアミノ酸配列を含むポリペプチドを含むか、又はそれからなり、且つプロテアーゼは、配列番号８５に示されるアミノ酸配列を含むポリペプチドを含むか、又はそれからなる。
【０１７２】
一実施形態は、ＤＮａｓｅ、プロテアーゼ及び少なくとも１種のクリーニング成分を含むクリーニング組成物に関し、プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６６に示されるアミノ酸配列を含むポリペプチドを含むか、又はそれからなり、且つプロテアーゼは、配列番号８６に示されるアミノ酸配列を含むポリペプチドを含むか、又はそれからなる。
【０１７３】
一実施形態は、ＤＮａｓｅ、プロテアーゼ及び少なくとも１種のクリーニング成分を含むクリーニング組成物に関し、プロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６７に示されるアミノ酸配列を含むポリペプチドを含むか、又はそれからなり、且つプロテアーゼは、配列番号７９に示されるアミノ酸配列を含むポリペプチドを含むか、又はそれからなる。
【０１７４】
一実施形態は、ＤＮａｓｅ、プロテアーゼ及び少なくとも１種のクリーニング成分を含むクリーニング組成物に関し、プロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６７に示されるアミノ酸配列を含むポリペプチドを含むか、又はそれからなり、且つプロテアーゼは、配列番号８０に示されるアミノ酸配列を含むポリペプチドを含むか、又はそれからなる。
【０１７５】
一実施形態は、ＤＮａｓｅ、プロテアーゼ及び少なくとも１種のクリーニング成分を含むクリーニング組成物に関し、プロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６７に示されるアミノ酸配列を含むポリペプチドを含むか、又はそれからなり、且つプロテアーゼは、配列番号８１に示されるアミノ酸配列を含むポリペプチドを含むか、又はそれからなる。
【０１７６】
一実施形態は、ＤＮａｓｅ、プロテアーゼ及び少なくとも１種のクリーニング成分を含むクリーニング組成物に関し、プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６７に示されるアミノ酸配列を含むポリペプチドを含むか、又はそれからなり、且つプロテアーゼは、配列番号８２に示されるアミノ酸配列を含むポリペプチドを含むか、又はそれからなる。
【０１７７】
一実施形態は、ＤＮａｓｅ、プロテアーゼ及び少なくとも１種のクリーニング成分を含むクリーニング組成物に関し、プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６７に示されるアミノ酸配列を含むポリペプチドを含むか、又はそれからなり、且つプロテアーゼは、配列番号８３に示されるアミノ酸配列を含むポリペプチドを含むか、又はそれからなる。
【０１７８】
一実施形態は、ＤＮａｓｅ、プロテアーゼ及び少なくとも１種のクリーニング成分を含むクリーニング組成物に関し、プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６７に示されるアミノ酸配列を含むポリペプチドを含むか、又はそれからなり、且つプロテアーゼは、配列番号８４に示されるアミノ酸配列を含むポリペプチドを含むか、又はそれからなる。
【０１７９】
一実施形態は、ＤＮａｓｅ、プロテアーゼ及び少なくとも１種のクリーニング成分を含むクリーニング組成物に関し、プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６７に示されるアミノ酸配列を含むポリペプチドを含むか、又はそれからなり、且つプロテアーゼは、配列番号８５に示されるアミノ酸配列を含むポリペプチドを含むか、又はそれからなる。
【０１８０】
一実施形態は、ＤＮａｓｅ、プロテアーゼ及び少なくとも１種のクリーニング成分を含むクリーニング組成物に関し、プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６７に示されるアミノ酸配列を含むポリペプチドを含むか、又はそれからなり、且つプロテアーゼは、配列番号８６に示されるアミノ酸配列を含むポリペプチドを含むか、又はそれからなる。
【０１８１】
一実施形態は、ＤＮａｓｅ、プロテアーゼ及び少なくとも１種のクリーニング成分を含むクリーニング組成物に関し、プロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６８に示されるアミノ酸配列を含むポリペプチドを含むか、又はそれからなり、且つプロテアーゼは、配列番号７９に示されるアミノ酸配列を含むポリペプチドを含むか、又はそれからなる。
【０１８２】
一実施形態は、ＤＮａｓｅ、プロテアーゼ及び少なくとも１種のクリーニング成分を含むクリーニング組成物に関し、プロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６８に示されるアミノ酸配列を含むポリペプチドを含むか、又はそれからなり、且つプロテアーゼは、配列番号８０に示されるアミノ酸配列を含むポリペプチドを含むか、又はそれからなる。
【０１８３】
一実施形態は、ＤＮａｓｅ、プロテアーゼ及び少なくとも１種のクリーニング成分を含むクリーニング組成物に関し、プロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６８に示されるアミノ酸配列を含むポリペプチドを含むか、又はそれからなり、且つプロテアーゼは、配列番号８１に示されるアミノ酸配列を含むポリペプチドを含むか、又はそれからなる。
【０１８４】
一実施形態は、ＤＮａｓｅ、プロテアーゼ及び少なくとも１種のクリーニング成分を含むクリーニング組成物に関し、プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６８に示されるアミノ酸配列を含むポリペプチドを含むか、又はそれからなり、且つプロテアーゼは、配列番号８２に示されるアミノ酸配列を含むポリペプチドを含むか、又はそれからなる。
【０１８５】
一実施形態は、ＤＮａｓｅ、プロテアーゼ及び少なくとも１種のクリーニング成分を含むクリーニング組成物に関し、プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６８に示されるアミノ酸配列を含むポリペプチドを含むか、又はそれからなり、且つプロテアーゼは、配列番号８３に示されるアミノ酸配列を含むポリペプチドを含むか、又はそれからなる。
【０１８６】
一実施形態は、ＤＮａｓｅ、プロテアーゼ及び少なくとも１種のクリーニング成分を含むクリーニング組成物に関し、プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６８に示されるアミノ酸配列を含むポリペプチドを含むか、又はそれからなり、且つプロテアーゼは、配列番号８４に示されるアミノ酸配列を含むポリペプチドを含むか、又はそれからなる。
【０１８７】
一実施形態は、ＤＮａｓｅ、プロテアーゼ及び少なくとも１種のクリーニング成分を含むクリーニング組成物に関し、プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６８に示されるアミノ酸配列を含むポリペプチドを含むか、又はそれからなり、且つプロテアーゼは、配列番号８５に示されるアミノ酸配列を含むポリペプチドを含むか、又はそれからなる。
【０１８８】
一実施形態は、ＤＮａｓｅ、プロテアーゼ及び少なくとも１種のクリーニング成分を含むクリーニング組成物に関し、プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。一実施形態は、ＤＮａｓｅ、プロテアーゼ及び少なくとも１種のクリーニング成分を含むクリーニング組成物に関し、ＤＮａｓｅは、配列番号６８に示されるアミノ酸配列を含むポリペプチドを含むか、又はそれからなり、且つプロテアーゼは、配列番号８６に示されるアミノ酸配列を含むポリペプチドを含むか、又はそれからなる。
【０１８９】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｄ／Ｍ／Ｌ］［Ｓ／Ｔ］ＧＹＳＲ［Ｄ／Ｎ］（配列番号７３）、ＡＳＸＮＲＳＫＧ（配列番号７４）の一方又は両方を含み、ポリペプチドは、ポリペプチドの群：
ａ）配列番号１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号１０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号１１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号１２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号１３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号１４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号１５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号１６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号１７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｒ）配列番号１８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｓ）配列番号１９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｔ）配列番号２０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｕ）配列番号２１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｖ）配列番号２２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｗ）配列番号２３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｘ）配列番号２４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｙ）配列番号２５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４及び配列番号２５に示されるアミノ酸配列を含むポリペプチドの群から選択されるポリペプチドを含むか、又はそれからなり、且つプロテアーゼは、配列番号７９に示されるアミノ酸配列を含むポリペプチドを含むか、又はそれからなる。
【０１９０】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｄ／Ｍ／Ｌ］［Ｓ／Ｔ］ＧＹＳＲ［Ｄ／Ｎ］（配列番号７３）、ＡＳＸＮＲＳＫＧ（配列番号７４）の一方又は両方を含み、ポリペプチドは、ポリペプチドの群：
ａ）配列番号１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号１０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号１１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号１２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号１３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号１４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号１５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号１６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号１７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｒ）配列番号１８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｓ）配列番号１９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｔ）配列番号２０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｕ）配列番号２１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｖ）配列番号２２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｗ）配列番号２３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｘ）配列番号２４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｙ）配列番号２５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、且つ
プロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４及び配列番号２５に示されるアミノ酸配列を含むポリペプチドの群から選択されるポリペプチドを含むか、又はそれからなり、且つプロテアーゼは、配列番号８０に示されるアミノ酸配列を含むポリペプチドを含むか、又はそれからなる。
【０１９１】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｄ／Ｍ／Ｌ］［Ｓ／Ｔ］ＧＹＳＲ［Ｄ／Ｎ］（配列番号７３）、ＡＳＸＮＲＳＫＧ（配列番号７４）の一方又は両方を含み、ポリペプチドは、ポリペプチドの群：
ａ）配列番号１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号１０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号１１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号１２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号１３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号１４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号１５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号１６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号１７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｒ）配列番号１８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｓ）配列番号１９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｔ）配列番号２０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｕ）配列番号２１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｖ）配列番号２２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｗ）配列番号２３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｘ）配列番号２４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｙ）配列番号２５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、且つ
プロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４及び配列番号２５に示されるアミノ酸配列を含むポリペプチドの群から選択されるポリペプチドを含むか、又はそれからなり、且つプロテアーゼは、配列番号８１に示されるアミノ酸配列を含むポリペプチドを含むか、又はそれからなる。
【０１９２】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｄ／Ｍ／Ｌ］［Ｓ／Ｔ］ＧＹＳＲ［Ｄ／Ｎ］（配列番号７３）、ＡＳＸＮＲＳＫＧ（配列番号７４）の一方又は両方を含み、ポリペプチドは、ポリペプチドの群：
ａ）配列番号１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号１０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号１１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号１２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号１３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号１４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号１５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号１６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号１７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｒ）配列番号１８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｓ）配列番号１９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｔ）配列番号２０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｕ）配列番号２１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｖ）配列番号２２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｗ）配列番号２３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｘ）配列番号２４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｙ）配列番号２５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、且つ
プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４及び配列番号２５に示されるアミノ酸配列を含むポリペプチドの群から選択されるポリペプチドを含むか、又はそれからなり、且つプロテアーゼは、配列番号８２に示されるアミノ酸配列を含むポリペプチドを含むか、又はそれからなる。
【０１９３】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｄ／Ｍ／Ｌ］［Ｓ／Ｔ］ＧＹＳＲ［Ｄ／Ｎ］（配列番号７３）、ＡＳＸＮＲＳＫＧ（配列番号７４）の一方又は両方を含み、ポリペプチドは、ポリペプチドの群：
ａ）配列番号１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号１０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号１１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号１２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号１３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号１４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号１５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号１６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号１７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｒ）配列番号１８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｓ）配列番号１９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｔ）配列番号２０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｕ）配列番号２１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｖ）配列番号２２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｗ）配列番号２３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｘ）配列番号２４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｙ）配列番号２５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、且つ
プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４及び配列番号２５に示されるアミノ酸配列を含むポリペプチドの群から選択されるポリペプチドを含むか、又はそれからなり、且つプロテアーゼは、配列番号８３に示されるアミノ酸配列を含むポリペプチドを含むか、又はそれからなる。
【０１９４】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｄ／Ｍ／Ｌ］［Ｓ／Ｔ］ＧＹＳＲ［Ｄ／Ｎ］（配列番号７３）、ＡＳＸＮＲＳＫＧ（配列番号７４）の一方又は両方を含み、ポリペプチドは、ポリペプチドの群：
ａ）配列番号１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号１０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号１１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号１２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号１３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号１４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号１５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号１６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号１７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｒ）配列番号１８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｓ）配列番号１９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｔ）配列番号２０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｕ）配列番号２１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｖ）配列番号２２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｗ）配列番号２３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｘ）配列番号２４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｙ）配列番号２５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、且つ
プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４及び配列番号２５に示されるアミノ酸配列を含むポリペプチドの群から選択されるポリペプチドを含むか、又はそれからなり、且つプロテアーゼは、配列番号８４に示されるアミノ酸配列を含むポリペプチドを含むか、又はそれからなる。
【０１９５】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｄ／Ｍ／Ｌ］［Ｓ／Ｔ］ＧＹＳＲ［Ｄ／Ｎ］（配列番号７３）、ＡＳＸＮＲＳＫＧ（配列番号７４）の一方又は両方を含み、ポリペプチドは、ポリペプチドの群：
ａ）配列番号１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号１０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号１１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号１２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号１３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号１４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号１５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号１６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号１７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｒ）配列番号１８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｓ）配列番号１９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｔ）配列番号２０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｕ）配列番号２１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｖ）配列番号２２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｗ）配列番号２３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｘ）配列番号２４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｙ）配列番号２５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、且つ
プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４及び配列番号２５に示されるアミノ酸配列を含むポリペプチドの群から選択されるポリペプチドを含むか、又はそれからなり、且つプロテアーゼは、配列番号８５に示されるアミノ酸配列を含むポリペプチドを含むか、又はそれからなる。
【０１９６】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｄ／Ｍ／Ｌ］［Ｓ／Ｔ］ＧＹＳＲ［Ｄ／Ｎ］（配列番号７３）、ＡＳＸＮＲＳＫＧ（配列番号７４）の一方又は両方を含み、ポリペプチドは、ポリペプチドの群：
ａ）配列番号１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号１０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号１１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号１２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号１３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号１４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号１５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号１６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号１７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｒ）配列番号１８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｓ）配列番号１９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｔ）配列番号２０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｕ）配列番号２１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｖ）配列番号２２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｗ）配列番号２３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｘ）配列番号２４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｙ）配列番号２５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、且つ
プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４及び配列番号２５に示されるアミノ酸配列を含むポリペプチドの群から選択されるポリペプチドを含むか、又はそれからなり、且つプロテアーゼは、配列番号８６に示されるアミノ酸配列を含むポリペプチドを含むか、又はそれからなる。
【０１９７】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｖ／Ｉ］ＰＬ［Ｓ／Ａ］ＮＡＷＫ（配列番号７５）又はＮＰＱＬ（配列番号７６）の一方又は両方を含み、ポリペプチドは、ポリペプチドの群：
ａ）配列番号２６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号２８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号２９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号３０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号３１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号３２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号３３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号３４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号３５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号３６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号３７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｍ）配列番号３８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号２６、配列番号２７、配列番号２８、配列番号２９、配列番号３０、配列番号３１、配列番号３２、配列番号３３、配列番号３４、配列番号３５、配列番号３６、配列番号３７及び配列番号３８に示されるアミノ酸配列を含むポリペプチドの群から選択されるポリペプチドを含むか、又はそれからなり、且つプロテアーゼは、配列番号７９に示されるアミノ酸配列を含むポリペプチドを含むか、又はそれからなる。
【０１９８】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｖ／Ｉ］ＰＬ［Ｓ／Ａ］ＮＡＷＫ（配列番号７５）又はＮＰＱＬ（配列番号７６）の一方又は両方を含み、ポリペプチドは、ポリペプチドの群：
ａ）配列番号２６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号２８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号２９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号３０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号３１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号３２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号３３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号３４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号３５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号３６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号３７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｍ）配列番号３８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号２６、配列番号２７、配列番号２８、配列番号２９、配列番号３０、配列番号３１、配列番号３２、配列番号３３、配列番号３４、配列番号３５、配列番号３６、配列番号３７及び配列番号３８に示されるアミノ酸配列を含むポリペプチドの群から選択されるポリペプチドを含むか、又はそれからなり、且つプロテアーゼは、配列番号８０に示されるアミノ酸配列を含むポリペプチドを含むか、又はそれからなる。
【０１９９】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｖ／Ｉ］ＰＬ［Ｓ／Ａ］ＮＡＷＫ（配列番号７５）又はＮＰＱＬ（配列番号７６）の一方又は両方を含み、ポリペプチドは、ポリペプチドの群：
ａ）配列番号２６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号２８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号２９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号３０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号３１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号３２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号３３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号３４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号３５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号３６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号３７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｍ）配列番号３８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号２６、配列番号２７、配列番号２８、配列番号２９、配列番号３０、配列番号３１、配列番号３２、配列番号３３、配列番号３４、配列番号３５、配列番号３６、配列番号３７及び配列番号３８に示されるアミノ酸配列を含むポリペプチドの群から選択されるポリペプチドを含むか、又はそれからなり、且つプロテアーゼは、配列番号８１に示されるアミノ酸配列を含むポリペプチドを含むか、又はそれからなる。
【０２００】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｖ／Ｉ］ＰＬ［Ｓ／Ａ］ＮＡＷＫ（配列番号７５）又はＮＰＱＬ（配列番号７６）の一方又は両方を含み、ポリペプチドは、ポリペプチドの群：
ａ）配列番号２６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号２８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号２９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号３０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号３１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号３２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号３３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号３４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号３５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号３６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号３７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｍ）配列番号３８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号２６、配列番号２７、配列番号２８、配列番号２９、配列番号３０、配列番号３１、配列番号３２、配列番号３３、配列番号３４、配列番号３５、配列番号３６、配列番号３７及び配列番号３８に示されるアミノ酸配列を含むポリペプチドの群から選択されるポリペプチドを含むか、又はそれからなり、且つプロテアーゼは、配列番号８２に示されるアミノ酸配列を含むポリペプチドを含むか、又はそれからなる。
【０２０１】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｖ／Ｉ］ＰＬ［Ｓ／Ａ］ＮＡＷＫ（配列番号７５）又はＮＰＱＬ（配列番号７６）の一方又は両方を含み、ポリペプチドは、ポリペプチドの群：
ａ）配列番号２６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号２８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号２９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号３０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号３１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号３２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号３３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号３４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号３５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号３６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号３７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｍ）配列番号３８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号２６、配列番号２７、配列番号２８、配列番号２９、配列番号３０、配列番号３１、配列番号３２、配列番号３３、配列番号３４、配列番号３５、配列番号３６、配列番号３７及び配列番号３８に示されるアミノ酸配列を含むポリペプチドの群から選択されるポリペプチドを含むか、又はそれからなり、且つプロテアーゼは、配列番号８３に示されるアミノ酸配列を含むポリペプチドを含むか、又はそれからなる。
【０２０２】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｖ／Ｉ］ＰＬ［Ｓ／Ａ］ＮＡＷＫ（配列番号７５）又はＮＰＱＬ（配列番号７６）の一方又は両方を含み、ポリペプチドは、ポリペプチドの群：
ａ）配列番号２６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号２８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号２９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号３０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号３１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号３２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号３３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号３４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号３５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号３６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号３７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｍ）配列番号３８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号２６、配列番号２７、配列番号２８、配列番号２９、配列番号３０、配列番号３１、配列番号３２、配列番号３３、配列番号３４、配列番号３５、配列番号３６、配列番号３７及び配列番号３８に示されるアミノ酸配列を含むポリペプチドの群から選択されるポリペプチドを含むか、又はそれからなり、且つプロテアーゼは、配列番号８４に示されるアミノ酸配列を含むポリペプチドを含むか、又はそれからなる。
【０２０３】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｖ／Ｉ］ＰＬ［Ｓ／Ａ］ＮＡＷＫ（配列番号７５）又はＮＰＱＬ（配列番号７６）の一方又は両方を含み、ポリペプチドは、ポリペプチドの群：
ａ）配列番号２６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号２８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号２９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号３０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号３１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号３２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号３３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号３４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号３５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号３６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号３７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｍ）配列番号３８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号２６、配列番号２７、配列番号２８、配列番号２９、配列番号３０、配列番号３１、配列番号３２、配列番号３３、配列番号３４、配列番号３５、配列番号３６、配列番号３７及び配列番号３８に示されるアミノ酸配列を含むポリペプチドの群から選択されるポリペプチドを含むか、又はそれからなり、且つプロテアーゼは、配列番号８５に示されるアミノ酸配列を含むポリペプチドを含むか、又はそれからなる。
【０２０４】
本発明の一実施形態は、プロテアーゼ、ＤＮａｓｅ活性を有するポリペプチドを含む組成物、好ましくはクリーニング組成物に関し、任意選択により、ポリペプチドは、モチーフ［Ｖ／Ｉ］ＰＬ［Ｓ／Ａ］ＮＡＷＫ（配列番号７５）又はＮＰＱＬ（配列番号７６）の一方又は両方を含み、ポリペプチドは、ポリペプチドの群：
ａ）配列番号２６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号２７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号２８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号２９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号３０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号３１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号３２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号３３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号３４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号３５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号３６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号３７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、及び
ｍ）配列番号３８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号２６、配列番号２７、配列番号２８、配列番号２９、配列番号３０、配列番号３１、配列番号３２、配列番号３３、配列番号３４、配列番号３５、配列番号３６、配列番号３７及び配列番号３８に示されるアミノ酸配列を含むポリペプチドの群から選択されるポリペプチドを含むか、又はそれからなり、且つプロテアーゼは、配列番号８６に示されるアミノ酸配列を含むポリペプチドを含むか、又はそれからなる。
【０２０５】
本発明の一実施形態は、プロテアーゼ、ＤＮａｓｅ活性を有するポリペプチドを含む組成物、好ましくはクリーニング組成物に関し、任意選択により、ポリペプチドは、モチーフＰ［Ｑ／Ｅ］Ｌ［Ｗ／Ｙ］（配列番号７７）又は［Ｋ／Ｈ／Ｅ］ＮＡＷ（配列番号７８）の一方又は両方を含み、ポリペプチドは、ポリペプチドの群：
ａ）配列番号３９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号４０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号４１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号４３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号４４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号４５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号４６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号４７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号４８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号４９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号５０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号５１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号３９、配列番号４０、配列番号４１、配列番号４２、配列番号４３、配列番号４４、配列番号４５、配列番号４６、配列番号４７、配列番号４８、配列番号４９、配列番号５０及び配列番号５１に示されるアミノ酸配列を含むポリペプチドの群から選択されるポリペプチドを含むか、又はそれからなり、且つプロテアーゼは、配列番号７９に示されるアミノ酸配列を含むポリペプチドを含むか、又はそれからなる。
【０２０６】
本発明の一実施形態は、プロテアーゼ、ＤＮａｓｅ活性を有するポリペプチドを含む組成物、好ましくはクリーニング組成物に関し、任意選択により、ポリペプチドは、モチーフＰ［Ｑ／Ｅ］Ｌ［Ｗ／Ｙ］（配列番号７７）又は［Ｋ／Ｈ／Ｅ］ＮＡＷ（配列番号７８）の一方又は両方を含み、ポリペプチドは、ポリペプチドの群：
ａ）配列番号３９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号４０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号４１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号４３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号４４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号４５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号４６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号４７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号４８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号４９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号５０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号５１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号３９、配列番号４０、配列番号４１、配列番号４２、配列番号４３、配列番号４４、配列番号４５、配列番号４６、配列番号４７、配列番号４８、配列番号４９、配列番号５０及び配列番号５１に示されるアミノ酸配列を含むポリペプチドの群から選択されるポリペプチドを含むか、又はそれからなり、且つプロテアーゼは、配列番号８０に示されるアミノ酸配列を含むポリペプチドを含むか、又はそれからなる。
【０２０７】
本発明の一実施形態は、プロテアーゼ、ＤＮａｓｅ活性を有するポリペプチドを含む組成物、好ましくはクリーニング組成物に関し、任意選択により、ポリペプチドは、モチーフＰ［Ｑ／Ｅ］Ｌ［Ｗ／Ｙ］（配列番号７７）又は［Ｋ／Ｈ／Ｅ］ＮＡＷ（配列番号７８）の一方又は両方を含み、ポリペプチドは、ポリペプチドの群：
ａ）配列番号３９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号４０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号４１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号４３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号４４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号４５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号４６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号４７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号４８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号４９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号５０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号５１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号３９、配列番号４０、配列番号４１、配列番号４２、配列番号４３、配列番号４４、配列番号４５、配列番号４６、配列番号４７、配列番号４８、配列番号４９、配列番号５０及び配列番号５１に示されるアミノ酸配列を含むポリペプチドの群から選択されるポリペプチドを含むか、又はそれからなり、且つプロテアーゼは、配列番号８１に示されるアミノ酸配列を含むポリペプチドを含むか、又はそれからなる。
【０２０８】
本発明の一実施形態は、プロテアーゼ、ＤＮａｓｅ活性を有するポリペプチドを含む組成物、好ましくはクリーニング組成物に関し、任意選択により、ポリペプチドは、モチーフＰ［Ｑ／Ｅ］Ｌ［Ｗ／Ｙ］（配列番号７７）又は［Ｋ／Ｈ／Ｅ］ＮＡＷ（配列番号７８）の一方又は両方を含み、ポリペプチドは、ポリペプチドの群：
ａ）配列番号３９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号４０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号４１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号４３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号４４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号４５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号４６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号４７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号４８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号４９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号５０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号５１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号３９、配列番号４０、配列番号４１、配列番号４２、配列番号４３、配列番号４４、配列番号４５、配列番号４６、配列番号４７、配列番号４８、配列番号４９、配列番号５０及び配列番号５１に示されるアミノ酸配列を含むポリペプチドの群から選択されるポリペプチドを含むか、又はそれからなり、且つプロテアーゼは、配列番号８２に示されるアミノ酸配列を含むポリペプチドを含むか、又はそれからなる。
【０２０９】
本発明の一実施形態は、プロテアーゼ、ＤＮａｓｅ活性を有するポリペプチドを含む組成物、好ましくはクリーニング組成物に関し、任意選択により、ポリペプチドは、モチーフＰ［Ｑ／Ｅ］Ｌ［Ｗ／Ｙ］（配列番号７７）又は［Ｋ／Ｈ／Ｅ］ＮＡＷ（配列番号７８）の一方又は両方を含み、ポリペプチドは、ポリペプチドの群：
ａ）配列番号３９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号４０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号４１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号４３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号４４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号４５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号４６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号４７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号４８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号４９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号５０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号５１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号３９、配列番号４０、配列番号４１、配列番号４２、配列番号４３、配列番号４４、配列番号４５、配列番号４６、配列番号４７、配列番号４８、配列番号４９、配列番号５０及び配列番号５１に示されるアミノ酸配列を含むポリペプチドの群から選択されるポリペプチドを含むか、又はそれからなり、且つプロテアーゼは、配列番号８３に示されるアミノ酸配列を含むポリペプチドを含むか、又はそれからなる。
【０２１０】
本発明の一実施形態は、プロテアーゼ、ＤＮａｓｅ活性を有するポリペプチドを含む組成物、好ましくはクリーニング組成物に関し、任意選択により、ポリペプチドは、モチーフＰ［Ｑ／Ｅ］Ｌ［Ｗ／Ｙ］（配列番号７７）又は［Ｋ／Ｈ／Ｅ］ＮＡＷ（配列番号７８）の一方又は両方を含み、ポリペプチドは、ポリペプチドの群：
ａ）配列番号３９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号４０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号４１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号４３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号４４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号４５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号４６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号４７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号４８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号４９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号５０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号５１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号３９、配列番号４０、配列番号４１、配列番号４２、配列番号４３、配列番号４４、配列番号４５、配列番号４６、配列番号４７、配列番号４８、配列番号４９、配列番号５０及び配列番号５１に示されるアミノ酸配列を含むポリペプチドの群から選択されるポリペプチドを含むか、又はそれからなり、且つプロテアーゼは、配列番号８４に示されるアミノ酸配列を含むポリペプチドを含むか、又はそれからなる。
【０２１１】
本発明の一実施形態は、プロテアーゼ、ＤＮａｓｅ活性を有するポリペプチドを含む組成物、好ましくはクリーニング組成物に関し、任意選択により、ポリペプチドは、モチーフＰ［Ｑ／Ｅ］Ｌ［Ｗ／Ｙ］（配列番号７７）又は［Ｋ／Ｈ／Ｅ］ＮＡＷ（配列番号７８）の一方又は両方を含み、ポリペプチドは、ポリペプチドの群：
ａ）配列番号３９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号４０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号４１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号４３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号４４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号４５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号４６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号４７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号４８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号４９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号５０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号５１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号３９、配列番号４０、配列番号４１、配列番号４２、配列番号４３、配列番号４４、配列番号４５、配列番号４６、配列番号４７、配列番号４８、配列番号４９、配列番号５０及び配列番号５１に示されるアミノ酸配列を含むポリペプチドの群から選択されるポリペプチドを含むか、又はそれからなり、且つプロテアーゼは、配列番号８５に示されるアミノ酸配列を含むポリペプチドを含むか、又はそれからなる。
【０２１２】
本発明の一実施形態は、プロテアーゼ、ＤＮａｓｅ活性を有するポリペプチドを含む組成物、好ましくはクリーニング組成物に関し、任意選択により、ポリペプチドは、モチーフＰ［Ｑ／Ｅ］Ｌ［Ｗ／Ｙ］（配列番号７７）又は［Ｋ／Ｈ／Ｅ］ＮＡＷ（配列番号７８）の一方又は両方を含み、ポリペプチドは、ポリペプチドの群：
ａ）配列番号３９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号４０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号４１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号４２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号４３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号４４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号４５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号４６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号４７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号４８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号４９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号５０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号５１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号３９、配列番号４０、配列番号４１、配列番号４２、配列番号４３、配列番号４４、配列番号４５、配列番号４６、配列番号４７、配列番号４８、配列番号４９、配列番号５０及び配列番号５１に示されるアミノ酸配列を含むポリペプチドの群から選択されるポリペプチドを含むか、又はそれからなり、且つプロテアーゼは、配列番号８６に示されるアミノ酸配列を含むポリペプチドを含むか、又はそれからなる。
【０２１３】
本発明の一実施形態は、プロテアーゼ、ＤＮａｓｅ活性を有するポリペプチドを含む組成物、好ましくはクリーニング組成物に関し、ポリペプチドは、ポリペプチドの群：
ａ）配列番号５２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号５３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号５４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号５５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号５７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号５８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号５９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号６０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号６１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号６２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号６３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号６４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号６５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号６６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号６７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号６８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号７９に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号５２、配列番号５３、配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７及び配列番号６８に示されるアミノ酸配列を含むポリペプチドの群から選択されるポリペプチドを含むか、又はそれからなり、且つプロテアーゼは、配列番号７９に示されるアミノ酸配列を含むポリペプチドを含むか、又はそれからなる。
【０２１４】
本発明の一実施形態は、プロテアーゼ、ＤＮａｓｅ活性を有するポリペプチドを含む組成物、好ましくはクリーニング組成物に関し、ポリペプチドは、ポリペプチドの群：
ａ）配列番号５２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号５３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号５４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号５５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号５７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号５８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号５９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号６０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号６１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号６２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号６３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号６４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号６５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号６６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号６７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号６８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８０に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号５２、配列番号５３、配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７及び配列番号６８に示されるアミノ酸配列を含むポリペプチドの群から選択されるポリペプチドを含むか、又はそれからなり、且つプロテアーゼは、配列番号８０に示されるアミノ酸配列を含むポリペプチドを含むか、又はそれからなる。
【０２１５】
本発明の一実施形態は、プロテアーゼ、ＤＮａｓｅ活性を有するポリペプチドを含む組成物、好ましくはクリーニング組成物に関し、ポリペプチドは、ポリペプチドの群：
ａ）配列番号５２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号５３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号５４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号５５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号５７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号５８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号５９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号６０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号６１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号６２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号６３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号６４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号６５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号６６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号６７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号６８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８１に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号５２、配列番号５３、配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７及び配列番号６８に示されるアミノ酸配列を含むポリペプチドの群から選択されるポリペプチドを含むか、又はそれからなり、且つプロテアーゼは、配列番号８１に示されるアミノ酸配列を含むポリペプチドを含むか、又はそれからなる。
【０２１６】
本発明の一実施形態は、プロテアーゼ、ＤＮａｓｅ活性を有するポリペプチドを含む組成物、好ましくはクリーニング組成物に関し、ポリペプチドは、ポリペプチドの群：
ａ）配列番号５２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号５３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号５４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号５５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号５７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号５８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号５９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号６０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号６１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号６２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号６３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号６４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号６５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号６６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号６７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号６８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８２に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号５２、配列番号５３、配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７及び配列番号６８に示されるアミノ酸配列を含むポリペプチドの群から選択されるポリペプチドを含むか、又はそれからなり、且つプロテアーゼは、配列番号８２に示されるアミノ酸配列を含むポリペプチドを含むか、又はそれからなる。
【０２１７】
本発明の一実施形態は、プロテアーゼ、ＤＮａｓｅ活性を有するポリペプチドを含む組成物、好ましくはクリーニング組成物に関し、ポリペプチドは、ポリペプチドの群：
ａ）配列番号５２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号５３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号５４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号５５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号５７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号５８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号５９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号６０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号６１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号６２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号６３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号６４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号６５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号６６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号６７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号６８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号５２、配列番号５３、配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７及び配列番号６８に示されるアミノ酸配列を含むポリペプチドの群から選択されるポリペプチドを含むか、又はそれからなり、且つプロテアーゼは、配列番号８３に示されるアミノ酸配列を含むポリペプチドを含むか、又はそれからなる。
【０２１８】
本発明の一実施形態は、プロテアーゼ、ＤＮａｓｅ活性を有するポリペプチドを含む組成物、好ましくはクリーニング組成物に関し、ポリペプチドは、ポリペプチドの群：
ａ）配列番号５２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号５３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号５４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号５５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号５７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号５８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号５９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号６０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号６１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号６２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号６３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号６４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号６５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号６６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号６７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号６８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８４に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号５２、配列番号５３、配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７及び配列番号６８に示されるアミノ酸配列を含むポリペプチドの群から選択されるポリペプチドを含むか、又はそれからなり、且つプロテアーゼは、配列番号８４に示されるアミノ酸配列を含むポリペプチドを含むか、又はそれからなる。
【０２１９】
本発明の一実施形態は、プロテアーゼ、ＤＮａｓｅ活性を有するポリペプチドを含む組成物、好ましくはクリーニング組成物に関し、ポリペプチドは、ポリペプチドの群：
ａ）配列番号５２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号５３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号５４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号５５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号５７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号５８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号５９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号６０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号６１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号６２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号６３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号６４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号６５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号６６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号６７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号６８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号５２、配列番号５３、配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７及び配列番号６８に示されるアミノ酸配列を含むポリペプチドの群から選択されるポリペプチドを含むか、又はそれからなり、且つプロテアーゼは、配列番号８５に示されるアミノ酸配列を含むポリペプチドを含むか、又はそれからなる。
【０２２０】
本発明の一実施形態は、プロテアーゼ、ＤＮａｓｅ活性を有するポリペプチドを含む組成物、好ましくはクリーニング組成物に関し、ポリペプチドは、ポリペプチドの群：
ａ）配列番号５２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｂ）配列番号５３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｃ）配列番号５４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｄ）配列番号５５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｅ）配列番号５６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｆ）配列番号５７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｇ）配列番号５８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｈ）配列番号５９に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｉ）配列番号６０に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｊ）配列番号６１に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｋ）配列番号６２に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｌ）配列番号６３に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｍ）配列番号６４に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｎ）配列番号６５に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｏ）配列番号６６に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｐ）配列番号６７に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチド、
ｑ）配列番号６８に示されるポリペプチドと少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するポリペプチドから選択され、
プロテアーゼは、配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、組成物は、好ましくは少なくとも１種のクリーニング成分を含む。一実施形態は、ＤＮａｓｅ、プロテアーゼ及び少なくとも１種のクリーニング成分を含むクリーニング組成物に関し、ＤＮａｓｅは、配列番号５２、配列番号５３、配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７及び配列番号６８に示されるアミノ酸配列を含むポリペプチドの群から選択されるポリペプチドを含むか、又はそれからなり、且つプロテアーゼは、配列番号８６に示されるアミノ酸配列を含むポリペプチドを含むか、又はそれからなる。
【０２２１】
一実施形態は、
ａ）少なくとも０．００１ｐｐｍのＤＮａｓｅ活性を有する少なくとも１つのポリペプチドであって、ＤＮａｓｅが：
ｉ．モチーフ［Ｔ／Ｄ／Ｓ］［Ｇ／Ｎ］ＰＱＬ（配列番号６９）、［Ｆ／Ｌ／Ｙ／Ｉ］Ａ［Ｎ／Ｒ］Ｄ［Ｌ／Ｉ／Ｐ／Ｖ］（配列番号７０）、又はＣ［Ｄ／Ｎ］Ｔ［Ａ／Ｒ］（配列番号７１）のうちの１つ以上を含むＤＮａｓｅ；
ｉｉ．モチーフ［Ｄ／Ｑ］［Ｉ／Ｖ］ＤＨ（配列番号７２）を含むＤＮａｓｅ；
ｉｉｉ．モチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）のうちの１つ又は両方を含むＤＮａｓｅ；
ｉｖ．モチーフ［Ｖ／Ｉ］ＰＬ［Ｓ／Ａ］ＮＡＷＫ（配列番号７５）又はＮＰＱＬ（配列番号７６）のうちの１つ又は両方を含むＤＮａｓｅ；
ｖ．モチーフＰ［Ｑ／Ｅ］Ｌ［Ｗ／Ｙ］（配列番号７７）又は［Ｋ／Ｈ／Ｅ］ＮＡＷ（配列番号７８）のうちの１つ又は両方を含むＤＮａｓｅ；
ｖ．配列番号１に示されるポリペプチドと少なくとも８０％の配列同一性を有するポリペプチド、配列番号２に示されるポリペプチドと少なくとも８０％の配列同一性を有するポリペプチド、配列番号３に示されるポリペプチドと少なくとも８０％の配列同一性を有するポリペプチド、配列番号４に示されるポリペプチドと少なくとも８０％の配列同一性を有するポリペプチド、配列番号５に示されるポリペプチドと少なくとも８０％の配列同一性を有するポリペプチド、配列番号６に示されるポリペプチドと少なくとも８０％の配列同一性を有するポリペプチド、配列番号７に示されるポリペプチドと少なくとも８０％の配列同一性を有するポリペプチド、配列番号８に示されるポリペプチドと少なくとも８０％の配列同一性を有するポリペプチド、配列番号９に示されるポリペプチドと少なくとも８０％の配列同一性を有するポリペプチド、配列番号１０に示されるポリペプチドと少なくとも８０％の配列同一性を有するポリペプチド、配列番号１１に示されるポリペプチドと少なくとも８０％の配列同一性を有するポリペプチド、配列番号１２に示されるポリペプチドと少なくとも８０％の配列同一性を有するポリペプチド、配列番号１３に示されるポリペプチドと少なくとも８０％の配列同一性を有するポリペプチド、配列番号９２に示されるポリペプチドと少なくとも８０％の配列同一性を有するポリペプチド、配列番号１５に示されるポリペプチドと少なくとも８０％の配列同一性を有するポリペプチド、配列番号１６に示されるポリペプチドと少なくとも８０％の配列同一性を有するポリペプチド、配列番号１７に示されるポリペプチドと少なくとも８０％の配列同一性を有するポリペプチド、配列番号１８に示されるポリペプチドと少なくとも８０％の配列同一性を有するポリペプチド、配列番号１９に示されるポリペプチドと少なくとも８０％の配列同一性を有するポリペプチド、配列番号２０に示されるポリペプチドと少なくとも８０％の配列同一性を有するポリペプチド、配列番号２１に示されるポリペプチドと少なくとも８０％の配列同一性を有するポリペプチド、配列番号２２に示されるポリペプチドと少なくとも８０％の配列同一性を有するポリペプチド、配列番号２３に示されるポリペプチドと少なくとも８０％の配列同一性を有するポリペプチド、配列番号２４に示されるポリペプチドと少なくとも８０％の配列同一性を有するポリペプチド、配列番号２５に示されるポリペプチドと少なくとも８０％の配列同一性を有するポリペプチド、配列番号２６に示されるポリペプチドと少なくとも８０％の配列同一性を有するポリペプチド、配列番号２７に示されるポリペプチドと少なくとも８０％の配列同一性を有するポリペプチド、配列番号２８に示されるポリペプチドと少なくとも８０％の配列同一性を有するポリペプチド、配列番号２９に示されるポリペプチドと少なくとも８０％の配列同一性を有するポリペプチド、配列番号３０に示されるポリペプチドと少なくとも８０％の配列同一性を有するポリペプチド、配列番号３１に示されるポリペプチドと少なくとも８０％の配列同一性を有するポリペプチド、配列番号３２に示されるポリペプチドと少なくとも８０％の配列同一性を有するポリペプチド、配列番号３３に示されるポリペプチドと少なくとも８０％の配列同一性を有するポリペプチド、配列番号３４に示されるポリペプチドと少なくとも８０％の配列同一性を有するポリペプチド、配列番号３５に示されるポリペプチドと少なくとも８０％の配列同一性を有するポリペプチド、配列番号３６に示されるポリペプチドと少なくとも８０％の配列同一性を有するポリペプチド、配列番号３７に示されるポリペプチドと少なくとも８０％の配列同一性を有するポリペプチド、配列番号３８に示されるポリペプチドと少なくとも８０％の配列同一性を有するポリペプチド、配列番号３９に示されるポリペプチドと少なくとも８０％の配列同一性を有するポリペプチド、配列番号４０に示されるポリペプチドと少なくとも８０％の配列同一性を有するポリペプチド、配列番号４１に示されるポリペプチドと少なくとも８０％の配列同一性を有するポリペプチド、配列番号４２に示されるポリペプチドと少なくとも８０％の配列同一性を有するポリペプチド、配列番号４３に示されるポリペプチドと少なくとも８０％の配列同一性を有するポリペプチド、配列番号４４に示されるポリペプチドと少なくとも８０％の配列同一性を有するポリペプチド、配列番号４５に示されるポリペプチドと少なくとも８０％の配列同一性を有するポリペプチド、配列番号４６に示されるポリペプチドと少なくとも８０％の配列同一性を有するポリペプチド、配列番号４７に示されるポリペプチドと少なくとも８０％の配列同一性を有するポリペプチド、配列番号４８に示されるポリペプチドと少なくとも８０％の配列同一性を有するポリペプチド、配列番号４９に示されるポリペプチドと少なくとも８０％の配列同一性を有するポリペプチド、配列番号５０に示されるポリペプチドと少なくとも８０％の配列同一性を有するポリペプチド、配列番号５１に示されるポリペプチドと少なくとも８０％の配列同一性を有するポリペプチド、配列番号５２に示されるポリペプチドと少なくとも８０％の配列同一性を有するポリペプチド、配列番号５３に示されるポリペプチドと少なくとも８０％の配列同一性を有するポリペプチド、配列番号５４に示されるポリペプチドと少なくとも８０％の配列同一性を有するポリペプチド、配列番号５５に示されるポリペプチドと少なくとも８０％の配列同一性を有するポリペプチド、配列番号５６に示されるポリペプチドと少なくとも８０％の配列同一性を有するポリペプチド、配列番号５７に示されるポリペプチドと少なくとも８０％の配列同一性を有するポリペプチド、配列番号５８に示されるポリペプチドと少なくとも８０％の配列同一性を有するポリペプチド、配列番号５９に示されるポリペプチドと少なくとも８０％の配列同一性を有するポリペプチド、配列番号６０に示されるポリペプチドと少なくとも８０％の配列同一性を有するポリペプチド、配列番号６１に示されるポリペプチドと少なくとも８０％の配列同一性を有するポリペプチド、配列番号６２に示されるポリペプチドと少なくとも８０％の配列同一性を有するポリペプチド、配列番号６３に示されるポリペプチドと少なくとも８０％の配列同一性を有するポリペプチド、配列番号６４に示されるポリペプチドと少なくとも８０％の配列同一性を有するポリペプチド、配列番号６５に示されるポリペプチドと少なくとも８０％の配列同一性を有するポリペプチド、配列番号６６に示されるポリペプチドと少なくとも８０％の配列同一性を有するポリペプチド、配列番号６７に示されるポリペプチドと少なくとも８０％の配列同一性を有するポリペプチド、及び配列番号６８に示されるポリペプチドと少なくとも８０％の配列同一性を有するポリペプチド、から選択されるＤＮａｓｅ活性を有するポリペプチドからなる群から選択されるポリペプチド、並びに
ｂ）少なくとも０．０１ｐｐｍの１つ以上のプロテアーゼであって、プロテアーゼが、
ｉ）親プロテアーゼのプロテアーゼ変異体（プロテアーゼ変異体は、以下の位置の１つ以上において配列番号７９又は配列番号８０に示されるプロテアーゼと比較して１つ以上の変化を含み：３、４、９、１５、２４、２７、４２、５５、５９、６０、６６、７４、８５、９６、９７、９８、９９、１００、１０１、１０２、１０４、１１６、１１８、１２１、１２６、１２７、１２８、１５４、１５６、１５７、１５８、１６１、１６４、１７６、１７９、１８２、１８５、１８８、１８９、１９３、１９８、１９９、２００、２０３、２０６、２１１、２１２、２１６、２１８、２２６、２２９、２３０、２３９、２４６、２５５、２５６、２６８及び２６９、この位置は配列番号７９において示されるプロテアーゼの位置に相当し、プロテアーゼ変異体は、配列番号７９又は配列番号８０に対して少なくとも６０％、少なくとも６５％、少なくとも７０％、少なくとも７５％、少なくとも８０％、少なくとも８５％、少なくとも９０％、少なくとも９５％、少なくとも９８％であるが１００％未満の配列同一性を有する）；
ｉｉ）親プロテアーゼのプロテアーゼ変異体（プロテアーゼ変異体は、Ｘ３Ｔ、Ｘ４Ｉ、Ｘ９Ｒ、Ｘ９Ｅ、Ｘ１５Ｔ、Ｘ２４Ｇ、Ｘ２４Ｒ、Ｘ２７Ｒ、Ｘ４２Ｒ、Ｘ５５Ｐ、Ｘ５９Ｅ、Ｘ５９Ｄ、Ｘ６０Ｄ、Ｘ６０Ｅ、Ｘ６６Ａ、Ｘ７４Ｄ、Ｘ８５Ｒ、Ｘ９６Ｓ、Ｘ９７Ｇ、Ｘ９７Ｄ、Ｘ９７Ａ、Ｘ９７ＸＤ、Ｘ９９Ｅ、Ｘ９９Ｄ、Ｘ９９Ｇ、Ｘ９９Ｍ、Ｘ９９Ｎ、Ｘ９９Ｒ、Ｘ９９Ｈ、Ｘ１０１Ａ、Ｘ１０２Ｉ、Ｘ１０２Ｙ、Ｘ１０２Ｎ、Ｘ１０４Ａ、Ｘ１１６Ｖ、Ｘ１１６Ｒ、Ｘ１１８Ｄ、Ｘ１１８Ｎ、Ｘ１２０Ｓ、Ｘ１２６Ｌ、Ｘ１２７Ｑ、Ｘ１２８Ａ、Ｘ１５４Ｄ、Ｘ１５６Ｅ、Ｘ１５７Ｄ、Ｘ１５７Ｐ、Ｘ１５８Ｅ、Ｘ１６１Ａ、Ｘ１６４Ｓ、Ｘ１７６Ｅ、Ｘ１７９Ｅ、Ｘ１８２Ｅ、Ｘ１８５Ｎ、Ｘ１８８Ｐ、Ｘ１８９Ｅ、Ｘ１９３Ｍ、Ｘ１９８Ｄ、Ｘ１９９Ｉ、Ｘ２０３Ｗ、Ｘ２０６Ｇ、Ｘ２１１Ｑ、Ｘ２１１Ｄ、Ｘ２１２Ｄ、Ｘ２１２Ｓ、Ｘ２１６Ｓ、Ｘ２２６Ｖ、Ｘ２２９Ｌ、Ｘ２３０Ｈ、Ｘ２３９Ｒ、Ｘ２４６Ｋ、Ｘ２５５Ｗ、Ｘ２５５Ｄ、Ｘ２５５Ｅ、Ｘ２５６Ｅ、Ｘ２５６Ｄ  Ｘ２６８Ａ及びＸ２６９Ｈからなる群から選択される１つ以上の変異を含み、この位置は配列番号７９に示されるプロテアーゼの位置に相当し、プロテアーゼ変異体は、配列番号７９又は配列番号８０に対して少なくとも６０％、少なくとも６５％、少なくとも７０％、少なくとも７５％、少なくとも８０％、少なくとも８５％、少なくとも９０％、少なくとも９５％、少なくとも９８％であるが１００％未満の配列同一性を有する）；
ｉｉｉ）配列番号８１に示されるプロテアーゼと比較して、配列番号８１の位置１７１、１７３、１７５、１７９、又は１８０に相当する１つ以上の位置で置換を含むプロテアーゼ（プロテアーゼ変異体は、配列番号８１のアミノ酸配列１〜３１１に対して少なくとも６０％、少なくとも６５％、少なくとも７０％、少なくとも７５％、少なくとも８０％、少なくとも８５％、少なくとも９０％、少なくとも９５％、少なくとも９８％であるが１００％未満の配列同一性を有する）；
ｉｖ）配列番号７９、８０、８１に示されるアミノ酸配列を含むプロテアーゼ又は配列番号７９のアミノ酸１〜２６９を含むポリペプチド、配列番号８１のアミノ酸１〜３１１を含むポリペプチド、配列番号８０のアミノ酸１〜２７５を含むポリペプチドに対して少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有するプロテアーゼ；
ｖ）配列番号８２、配列番号８３、配列番号８４、配列番号８５、配列番号８６に示されるアミノ酸配列を含むプロテアーゼ、又はこれに対して少なくとも６０％、少なくとも６５％、少なくとも７０％、少なくとも７５％、少なくとも８０％、少なくとも８５％、少なくとも９０％、少なくとも９５％、少なくとも９８％、好ましくは１００％の配列同一性を有するプロテアーゼ；及び
ｖｉ）以下の群：
配列番号７９＋Ｔ２２Ｒ＋Ｓ９９Ｇ＋Ｓ１０１Ａ＋Ｖ１０２Ｉ＋Ａ２２６Ｖ＋Ｑ２３９Ｒ；
配列番号８０＋Ｓ２４Ｇ＋Ｓ５３Ｇ＋Ｓ７８Ｎ＋Ｓ１０１Ｎ＋Ｇ１２８Ａ＋Ｙ２１７Ｑ；
配列番号８０＋Ｓ２４Ｇ＋Ｓ５３Ｇ＋Ｓ７８Ｎ＋Ｓ１０１Ｎ＋Ｇ１２８Ｓ＋Ｙ２１７Ｑ；
配列番号７９＋Ｓ９Ｅ＋Ｎ４２Ｒ＋Ｎ７４Ｄ＋Ｖ１９９Ｉ＋Ｑ２００Ｌ＋Ｙ２０３Ｗ＋Ｓ２５３Ｄ＋Ｎ２５５Ｗ＋Ｌ２５６Ｅ；
配列番号７９＋Ｓ９Ｅ＋Ｎ４２Ｒ＋Ｎ７４Ｄ＋Ｈ１１８Ｖ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｓ２５３Ｄ＋Ｎ２５５Ｗ＋Ｌ２５６Ｅ；
配列番号７９＋Ｓ９Ｅ＋Ｎ４２Ｒ＋Ｎ７４Ｄ＋Ｑ１７６Ｅ＋Ａ１８８Ｐ＋Ｖ１９９Ｉ＋Ｑ２００Ｌ＋Ｙ２０３Ｗ  Ｓ２５０Ｄ＋Ｓ２５３Ｄ＋Ｎ２５５Ｗ＋Ｌ２５６Ｅ；
配列番号７９＋Ｓ３Ｖ＋Ｎ７４Ｄ＋Ｈ１１８Ｖ＋Ｑ１７６Ｅ＋Ｎ１７９Ｅ＋Ｓ１８２Ｅ＋Ｖ１９９Ｉ＋Ｑ２００Ｌ  Ｙ２０３Ｗ＋Ｓ２１０Ｖ＋Ｓ２５０Ｄ＋Ｓ２５３Ｄ＋Ｎ２５５Ｗ＋Ｌ２５６Ｅ；
配列番号７９＋Ｔ２２Ａ＋Ｎ６０Ｄ＋Ｓ９９Ｇ＋Ｓ１０１Ａ＋Ｖ１０２Ｉ＋Ｎ１１４Ｌ＋Ｇ１５７Ｄ＋Ｓ１８２Ｄ＋Ｔ２０７Ａ＋Ａ２２６Ｖ＋Ｑ２３９Ｒ＋Ｎ２４２Ｄ＋Ｅ２６５Ｆ；
配列番号７９＋Ｓ９Ｅ＋Ｎ４２Ｒ＋Ｎ７４Ｄ＋Ｈ１１８Ｖ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｓ２５３Ｄ＋Ｎ２５５Ｗ＋Ｌ２５６Ｅ、
配列番号７９＋Ｓ９Ｅ＋Ｎ４２Ｒ＋Ｎ７４Ｄ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｓ２５３Ｄ＋Ｎ２５５Ｗ＋Ｌ２５６Ｅ、
配列番号７９＋Ｓ９Ｅ＋Ｎ４２Ｒ＋Ｎ７４Ｄ＋Ｈ１１８Ｖ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｎ２５５Ｗ＋Ｌ２５６Ｅ＋＊２６９ａＨ＋＊２６９ｂＨ、
配列番号７９＋Ｓ３Ｖ＋Ｎ７４Ｄ＋Ｈ１１８Ｖ＋Ｑ１７６Ｅ＋Ｎ１７９Ｅ＋Ｓ１８２Ｅ＋Ｖ１９９Ｉ＋Ｑ２００Ｌ＋Ｙ２０３Ｗ＋Ｓ２１０Ｖ＋Ｓ２５０Ｄ＋Ｎ２５５Ｗ＋Ｌ２５６Ｅ、
配列番号７９＋Ｓ９Ｅ＋Ｎ７４Ｄ＋Ｇ１１３Ｗ＋Ｇ１５７Ｐ＋Ｑ１７６Ｅ＋Ｖ１９９Ｉ＋Ｑ２００Ｌ＋Ｙ２０３Ｗ＋Ｓ２５０Ｄ＋Ｔ２５４Ｅ＋Ｎ２５５Ｗ＋Ｌ２５６Ｅ、
配列番号７９＋Ｓ３Ｖ＋Ｓ９Ｒ＋Ｎ７４Ｄ＋Ｈ１１８Ｖ＋Ｑ１７６Ｅ＋Ｎ１７９Ｅ＋Ｓ１８２Ｅ＋Ｖ１９９Ｉ＋Ｑ２００Ｌ＋Ｙ２０３Ｗ＋Ｓ２１２Ｖ＋Ｓ２５０Ｄ＋Ｎ２５５Ｗ＋Ｌ２５６Ｅ、
配列番号７９＋Ｓ９９Ｅ、
配列番号８０＋Ｌ２１７Ｄ
から選択されるプロテアーゼ変異体のうちの１つ以上であるプロテアーゼ、並びに
ｃ）少なくとも１種の追加の成分、例えば、好ましくは、界面活性剤、ビルダー、漂白剤成分、ポリマー、分散剤及び追加の酵素から選択されるクリーニング成分
を含む組成物に関する。
【０２２２】
プロテアーゼ及びＤＮａｓｅは、本発明のクリーニング組成物中に、０．０１〜１０００ｐｐｍ、１ｐｐｍ〜１０００ｐｐｍ、１０ｐｐｍ〜１０００ｐｐｍ、５０ｐｐｍ〜１０００ｐｐｍ、１００ｐｐｍ〜１０００ｐｐｍ、１５０ｐｐｍ〜１０００ｐｐｍ、２００ｐｐｍ〜１０００ｐｐｍ、２５０ｐｐｍ〜１０００ｐｐｍ、２５０ｐｐｍ〜７５０ｐｐｍ、２５０ｐｐｍ〜５００ｐｐｍのレベルで含まれてもよい。
【０２２３】
上記ＤＮａｓｅは、プロテアーゼと組み合わせて、本発明による洗浄液溶液に加えられる混合物を形成し得る。洗浄液溶液中のＤＮａｓｅの濃度は通常、０．００００１ｐｐｍ〜１０ｐｐｍ、０．００００２ｐｐｍ〜１０ｐｐｍ、０．０００１ｐｐｍ〜１０ｐｐｍ、０．０００２ｐｐｍ〜１０ｐｐｍ、０．００１ｐｐｍ〜１０ｐｐｍ、０．００２ｐｐｍ〜１０ｐｐｍ、０．０１ｐｐｍ〜１０ｐｐｍ、０．０２ｐｐｍ〜１０ｐｐｍ、０．１ｐｐｍ〜１０ｐｐｍ、０．２ｐｐｍ〜１０ｐｐｍ、０．５ｐｐｍ〜５ｐｐｍの洗浄液の範囲である。洗浄液溶液中のプロテアーゼの濃度は通常、０．００００１ｐｐｍ〜１０ｐｐｍ、０．００００２ｐｐｍ〜１０ｐｐｍ、０．０００１ｐｐｍ〜１０ｐｐｍ、０．０００２ｐｐｍ〜１０ｐｐｍ、０．００１ｐｐｍ〜１０ｐｐｍ、０．００２ｐｐｍ〜１０ｐｐｍ、０．０１ｐｐｍ〜１０ｐｐｍ、０．０２ｐｐｍ〜１０ｐｐｍ、０．１ｐｐｍ〜１０ｐｐｍ、０．２ｐｐｍ〜１０ｐｐｍ、０．５ｐｐｍ〜５ｐｐｍの洗浄液の範囲である。
【０２２４】
ＤＮａｓｅは、下記プロテアーゼのいずれかと組み合わせて、本発明による組成物に加えられる混合物を形成し得る。
【０２２５】
一実施形態は、ＤＮａｓｅ、プロテアーゼ及び少なくとも１種のクリーニング成分を含むクリーニング組成物に関し、組成物中のＤＮａｓｅの量は、０．０１〜１０００ｐｐｍであり、プロテアーゼの量は、０．０１〜１０００ｐｐｍである。
【０２２６】
プロテアーゼ及びＤＮａｓｅに加えて、クリーニング組成物はさらに、１種以上のクリーニング成分を含む。一実施形態は、ＤＮａｓｅ、プロテアーゼ及び少なくとも１種のクリーニング成分を含むクリーニング組成物に関し、クリーニング成分は、界面活性剤、好ましくはアニオン性及び／又は非イオン性界面活性剤、ビルダー並びに漂白剤成分から選択される。
【０２２７】
クリーニング成分の選択には、織物の保護のために、クリーニングされる織物の種類、汚れの種類及び／又は程度、クリーニングが行われる温度、並びに洗剤製品の配合の検討が含まれ得る。下記の成分は、特定の機能性に従って一般的な見出しにより分類されているが、これは、当業者に理解されるように、成分が追加の機能性を含み得るため、限定として解釈されるべきではない。
【０２２８】
界面活性剤
クリーニング組成物は、アニオン性及び／又はカチオン性及び／又は非イオン性及び／又は半極性及び／又は双性イオン性又はこれらの混合物であり得る１種以上の界面活性剤を含んでもよい。特定の実施形態において、洗剤組成物は、１種以上の非イオン性界面活性剤及び１種以上のアニオン性界面活性剤の混合物を含む。界面活性剤は通常、約１％〜約４０％又は約３％〜約２０％又は約０．１％〜約１５％又は約３％〜１０％などの約０．１％〜６０重量％のレベルで存在する。界面活性剤は所望のクリーニング用途に基づいて選択され、当技術分野において知られる任意の従来の界面活性剤を含み得る。
【０２２９】
含まれる場合、洗剤は通常、約１％〜約４０重量％のアニオン性界面活性剤を含有し、例えば、約５％〜約１５％、又は約１５％〜約２０％、又は約２０％〜約２５％を含む約５％〜約３０％のアニオン性界面活性剤を含有することになる。アニオン性界面活性剤の非限定的な例としては、硫酸塩及びスルホン酸塩、特に、直鎖アルキルベンゼンスルホネート（ＬＡＳ）、ＬＡＳの異性体、分岐アルキルベンゼンスルホネート（ＢＡＢＳ）、フェニルアルカンスルホネート、α−オレフィンスルホネート（ＡＯＳ）、オレフィンスルホネート、アルケンスルホネート、アルカン−２，３−ジイルビス（硫酸塩）、ヒドロキシアルカンスルホネート及びジスルホネート、ドデシル硫酸ナトリウム（ＳＤＳ）などのアルキルスルフェート（ＡＳ）、脂肪族アルコールスルフェート（ＦＡＳ）、第１級アルコールスルフェート（ＰＡＳ）、アルコールエーテルスルフェート（アルコールエトキシスルフェート又は脂肪族アルコールエーテルスルフェートとしても知られるＡＥＳ又はＡＥＯＳ又はＦＥＳ）、第２級アルカンスルホネート（ＳＡＳ）、パラフィンスルホネート（ＰＳ）、エステルスルホネート、スルホン化脂肪酸グリセロールエステル、メチルエステルスルホネート（ＭＥＳ）を含むα−スルホ脂肪酸メチルエステル（α−ＳＦＭｅ又はＳＥＳ）、アルキル−又はアルケニルコハク酸、ドデセニル／テトラデセニルコハク酸（ＤＴＳＡ）、アミノ酸の脂肪酸誘導体、スルホコハク酸又は脂肪酸の塩（セッケン）のジエステル及びモノエステル、並びにこれらの組み合わせが挙げられる。
【０２３０】
含まれる場合、洗剤は通常、約１％〜約４０重量％、例えば、約０．５％〜約３０％、特に、約３％〜約５％、約８％〜約１２％又は約１０％〜約１２％などの、約１％〜約２０％、約３％〜約１０％のカチオン性界面活性剤を含有することになる。カチオン性界面活性剤の非限定的な例としては、アルキルジメチルエタノール第４級アミン（ＡＤＭＥＡＱ）、臭化セチルトリメチルアンモニウム（ＣＴＡＢ）、ジメチルジステアリル塩化アンモニウム（ＤＳＤＭＡＣ）、及びアルキルベンジルジメチルアンモニウム、アルキル第４級アンモニウム化合物、アルコキシル化第４級アンモニウム（ＡＱＡ）化合物、第４級エステル類、並びにこれらの組み合わせが挙げられる。
【０２３１】
含まれる場合、洗剤は通常、約０．２％〜約４０重量％、例えば、約０．５％〜約３０％、特に、約３％〜約５％、約８％〜約１２％又は約１０％〜約１２％などの、約１％〜約２０％、約３％〜約１０％の非イオン性界面活性剤を含有することになる。非イオン性界面活性剤の非限定的な例としては、アルコールエトキシレート（ＡＥ又はＡＥＯ）、アルコールプロポキシレート、プロポキシル化脂肪族アルコール（ＰＦＡ）、アルコキシル化脂肪酸アルキルエステル、例えばエトキシル化脂肪酸アルキルエステル及び／又はプロポキシル化脂肪酸アルキルエステル、アルキルフェノールエトキシレート（ＡＰＥ）、ノニルフェノールエトキシレート（ＮＰＥ）、アルキルポリグリコシド（ＡＰＧ）、アルコキシル化アミン、脂肪酸モノエタノールアミド（ＦＡＭ）、脂肪酸ジエタノールアミド（ＦＡＤＡ）、エトキシル化脂肪酸モノエタノールアミド（ＥＦＡＭ）、プロポキシル化脂肪酸モノエタノールアミド（ＰＦＡＭ）、ポリヒドロキシアルキル脂肪酸アミド、又はグルコサミンのＮ−アシルＮ−アルキル誘導体（グルコサミド、ＧＡ又は脂肪酸グルカミド、ＦＡＧＡ）、並びに商標名ＳＰＡＮ及びＴＷＥＥＮで入手可能な製品、並びにこれらの組み合わせが挙げられる。
【０２３２】
含まれる場合、洗剤は通常、約０．０１％〜約１０重量％の半極性界面活性剤を含有することになる。半極性界面活性剤の非限定的な例としては、アルキルジメチルアミンオキシド、Ｎ−（ココアルキル）−Ｎ，Ｎ−ジメチルアミンオキシド及びＮ−（牛脂−アルキル）−Ｎ，Ｎ−ビス（２−ヒドロキシエチル）アミンオキシドなどのアミンオキシド（ＡＯ）、並びにこれらの組み合わせが挙げられる。
【０２３３】
含まれる場合、洗剤は通常、約０．０１％〜約１０重量％の双性イオン性界面活性剤を含有することになる。双性イオン性界面活性剤の非限定的な例としては、アルキルジメチルベタイン、スルホベタイン、及びこれらの組み合わせなどのベタインが挙げられる。
【０２３４】
ビルダー及びコビルダー
クリーニング組成物は、約０〜６５重量％、例えば約５％〜約５０％、例えば約０．５％〜約２０％の洗剤ビルダー若しくはコビルダー又はこれらの混合物を含有し得る。食器洗浄洗剤では、ビルダーのレベルは通常、４０〜６５％、特に５０〜６５％である。ビルダー及び／又はコビルダーは、特に、Ｃａ及びＭｇとの水溶性錯体を形成するキレート化剤であり得る。クリーニング洗剤で使用することが当技術分野知られる任意のビルダー及び／又はコビルダーを利用してもよい。ビルダーの非限定的な例としては、ゼオライト、ジホスフェート（ピロホスフェート）、トリホスフェート、例えば三リン酸ナトリウム（ＳＴＰ又はＳＴＰＰ）、カーボネート、例えば、炭酸ナトリウム、可溶性シリケート、例えばメタケイ酸ナトリウム、層状シリケート類（例えば、Ｈｏｅｃｈｓｔ製のＳＫＳ−６）、エタノールアミン、例えば２−アミノエタン−１−オール（ＭＥＡ）、ジエタノールアミン（ＤＥＡ、２，２’−イミノジエタン−１−オールとしても知られる）、トリエタノールアミン（ＴＥＡ、２，２’，２’’−ニトリロトリエタン−１−オールとしても知られる）、及び（カルボキシメチル）イヌリン（ＣＭＩ）、並びにこれらの組み合せが挙げられる。
【０２３５】
洗剤組成物はまた、０〜５０重量％、例えば、約５％〜約３０％の洗剤コビルダーを含有し得る。洗剤組成物は、コビルダーを単独で又はビルダー例えばゼオライトビルダーと組み合わせて含み得る。コビルダーの非限定的な例としては、ポリアクリレートのホモポリマー又はそのコポリマー、例えば、ポリ（アクリル酸）（ＰＡＡ）又はコポリ（アクリル酸／マレイン酸）（ＰＡＡ／ＰＭＡ）が挙げられる。さらなる非限定的な例としては、シトレート、キレート化剤、例えば、アミノカルボキシレート、アミノポリカルボキシレート、及びホスホネート、並びにアルキル又はアルケニルコハク酸が挙げられる。追加の具体例としては、２，２’，２’’−ニトリロ三酢酸（ＮＴＡ）、エチレンジアミン四酢酸（ＥＤＴＡ）、ジエチレントリアミン五酢酸（ＤＴＰＡ）、イミノジコハク酸（ＩＤＳ）、エチレンジアミン−Ｎ，Ｎ’−ジコハク酸（ＥＤＤＳ）、メチルグリシン二酢酸（ＭＧＤＡ）、グルタミン酸−Ｎ，Ｎ−二酢酸（ＧＬＤＡ）、１−ヒドロキシエタン−１，１−ジホスホン酸（ＨＥＤＰ）、エチレンジアミンテトラ（メチレンホスホン酸）（ＥＤＴＭＰＡ）、ジエチレントリアミンペンタキス（メチレンホスホン酸）（ＤＴＭＰＡ又はＤＴＰＭＰＡ）、Ｎ−（２−ヒドロキシエチル）イミノ二酢酸（ＥＤＧ）、アスパラギン酸−Ｎ−一酢酸（ＡＳＭＡ）、アスパラギン酸−Ｎ，Ｎ−二酢酸（ＡＳＤＡ）、アスパラギン酸−Ｎ−モノプロピオン酸（ＡＳＭＰ）、イミノジコハク酸（ＩＤＡ）、Ｎ−（２−スルホメチル）−アスパラギン酸（ＳＭＡＳ）、Ｎ−（２−スルホエチル）アスパラギン酸（ＳＥＡＳ）、Ｎ−（２−スルホメチル）−グルタミン酸（ＳＭＧＬ）、Ｎ−（２−スルホエチル）グルタミン酸（ＳＥＧＬ）、Ｎ−メチルイミノ二酢酸（ＭＩＤＡ）、α−アラニン−Ｎ，Ｎ−二酢酸（α−ＡＬＤＡ）、セリン−Ｎ，Ｎ−二酢酸（ＳＥＤＡ）、イソセリン−Ｎ，Ｎ−二酢酸（ＩＳＤＡ）、フェニルアラニン−Ｎ，Ｎ−二酢酸（ＰＨＤＡ）、アントラニル酸−Ｎ，Ｎ−二酢酸（ＡＮＤＡ）、スルファニル酸−Ｎ，Ｎ−二酢酸（ＳＬＤＡ）、タウリン−Ｎ，Ｎ−二酢酸（ＴＵＤＡ）、及びスルホメチル−Ｎ，Ｎ−二酢酸（ＳＭＤＡ）、Ｎ−（２−ヒドロキシエチル）−エチリデンジアミン−Ｎ，Ｎ’，Ｎ’’−三酢酸（ＨＥＤＴＡ）、ジエタノールグリシン（ＤＥＧ）、ジエチレントリアミンペンタ（メチレンホスホン酸）（ＤＴＰＭＰ）、アミノトリス（メチレンホスホン酸）（ＡＴＭＰ）、並びにこれらの組み合せ及び塩が挙げられる。さらなる例示的ビルダー及び／又はコビルダーは、例えば、国際公開第０９／１０２８５４号パンフレット、米国特許第５９７７０５３号明細書に記載されている。
【０２３６】
漂白剤系
クリーニング組成物は、０〜３０重量％、例えば約１％〜約２０％、例えば約０．０１％〜約１０％の漂白剤系を含有し得る。クリーニング洗剤で使用することが当技術分野で知られる成分を含む任意の漂白剤系を利用してもよい。好適な漂白剤系成分としては、過酸化水素の供給源；過酸の供給源；及び漂白触媒又は漂白促進剤が挙げられる。
【０２３７】
過酸化水素の供給源：
好適な過酸化水素の供給源は、無機過酸塩であり、過炭酸ナトリウム及び過ホウ酸ナトリウム（通常、一水和物又は四水和物）、及び過酸化水素−尿素（１／１）などのアルカリ金属塩が挙げられる。
【０２３８】
過酸の供給源：
過酸は、（ａ）事前に形成された過酸として直接組み込まれ得るか、又は（ｂ）過酸化水素及び漂白活性化剤から洗浄液中にｉｎ  ｓｉｔｕで形成され得る（過加水分解）か、又は（ｃ）過酸化水素とペルヒドロラーゼ及び後者の好適な基質、例えばエステルから、洗浄液中にｉｎ  ｓｉｔｕで形成され得る。
【０２３９】
ａ）好適な事前に形成した過酸としては、これらに限定されないが、ペルオキシ安息香酸及びその環置換誘導体などのペルオキシカルボン酸、ペルオキシ−α−ナフトエ酸、ペルオキシフタル酸、ペルオキシラウリン酸、ペルオキシステアリン酸、ε−フタルイミドペルオキシカプロン酸［フタルイミドペルオキシヘキサン酸（ＰＡＰ）］、及びｏ−カルボキシベンザミドペルオキシカプロン酸；ジペルオキシドデカン二酸、ジペルオキシアゼライン酸、ジペルオキシセバシン酸、ジペルオキシブラシル酸、２−デシルジペルオキシブタン二酸、並びにジペルオキシフタル酸、ジペルオキシイソフタル酸及びジペルオキシテレフタル酸などの脂肪族及び芳香族ジペルオキシジカルボン酸；ペルイミド酸；ペルオキシ一硫酸；ペルオキシ二硫酸；ペルオキシリン酸；ペルオキシケイ酸；並びに前記化合物の混合物が挙げられる。上に挙げた過酸は、場合によっては、アルカリ金属塩（例えば、Ｏｘｏｎｅ（登録商標））又はアルカリ土類金属塩などの好適な塩として添加するのが最良であり得ることが理解される。
【０２４０】
ｂ）好適な漂白活性化剤は、エステル、アミド、イミド、ニトリル又は無水物のクラスに属するもの、並びに適宜それらの塩を含む。好適な例は、テトラアセチルエチレンジアミン（ＴＡＥＤ）、４−［（３，５，５−トリメチルヘキサノイル）オキシ］ベンゼン−１−スルホン酸ナトリウム（ＩＳＯＮＯＢＳ）、４−（ドデカノイルオキシ）ベンゼン−１−スルホン酸ナトリウム（ＬＯＢＳ）、４−（デカノイルオキシ）ベンゼン−１−スルホン酸ナトリウム、４−（デカノイルオキシ）安息香酸（ＤＯＢＡ）、４−（ノナノイルオキシ）ベンゼン−１−スルホン酸ナトリウム（ＮＯＢＳ）、及び／又は国際公開第９８／１７７６７号パンフレットに開示されているものである。対象の漂白活性化剤の特定のファミリーが欧州特許第６２４１５４号明細書に開示されており、そのファミリーの中でも、クエン酸アセチルトリエチル（ＡＴＣ）が特に好ましい。ＡＴＣ又は短鎖トリグリセリド様トリアセチンは、環境にやさしいという利点を有する。さらに、クエン酸アセチルトリエチル及びトリアセチンは、貯蔵に際して生成物の良好な加水分解安定性を有しており、これは効果的な漂白活性化剤である。最後に、ＡＴＣは、過加水分解反応中に放出されたクエン酸塩がビルダーとして機能し得るため、多機能性である。
【０２４１】
漂白触媒及び促進剤
漂白剤系はまた、漂白触媒又は促進剤を含んでもよい。
【０２４２】
本発明の組成物に使用され得る漂白触媒のいくつかの非限定的な例として、シュウ酸マンガン、酢酸マンガン、マンガン−コラーゲン、コバルト−アミン触媒及びマンガントリアザシクロノナン（ＭｎＴＡＣＮ）触媒が挙げられ；特に好ましいのは、１，４，７−トリメチル−１，４，７−トリアザシクロノナン（Ｍｅ３−ＴＡＣＮ）又は１，２，４，７−テトラメチル−１，４，７−トリアザシクロノナン（Ｍｅ４−ＴＡＣＮ）とマンガンとの錯体、特に、例えば、二核マンガン錯体［（Ｍｅ３−ＴＡＣＮ）Ｍｎ（Ｏ）３Ｍｎ（Ｍｅ３−ＴＡＣＮ）］（ＰＦ６）２、及び［２，２’，２’’−ニトリロトリス（エタン−１，２−ジイラザニリリデン−κＮ−メタニリリデン）トリフェノラト−κ３Ｏ］マンガン（ＩＩＩ）などのＭｅ３−ＴＡＣＮである。また、漂白触媒は、鉄又はコバルト錯体などの他の金属化合物であってもよい。
【０２４３】
過酸の供給源が含まれるいくつかの実施形態では、以下の式：
【化１】
2020516707.tif 000002
（ｉｉｉ）及びこれらの混合物（式中、各Ｒ１は、独立して、９〜２４個の炭素を含有する分岐アルキル基又は１１〜２４個の炭素を含有する直鎖アルキル基であり、好ましくは、各Ｒ１は、独立して、９〜１８個の炭素を含有する分岐アルキル基又は１１〜１８個の炭素を含有する直鎖アルキル基であり、より好ましくは、各Ｒ１は、独立して、２−プロピルヘプチル、２−ブチルオクチル、２−ペンチルノニル、２−ヘキシルデシル、ドデシル、テトラデシル、ヘキサデシル、オクタデシル、イソノニル、イソデシル、イソトリデシル及びイソペンタデシルからなる群から選択される）のうちの１つを有する有機漂白触媒又は漂白促進剤を使用してもよい。
【０２４４】
他の例示的な漂白剤系は、例えば、国際公開第２００７／０８７２５８号パンフレット、国際公開第２００７／０８７２４４号パンフレット、国際公開第２００７／０８７２５９号パンフレット、欧州特許第１８６７７０８号明細書（ビタミンＫ）及び国際公開第２００７／０８７２４２号パンフレットに記載されている。好適な光漂白剤は、例えば、スルホン化亜鉛又はアルミニウムフタロシアニンであってもよい。
【０２４５】
金属ケア剤
金属ケア剤は、アルミニウム、ステンレス鋼及び銀及び銅などの非鉄金属を含む、金属の変色、腐食又は酸化を防止又は低減し得る。好適な例としては、以下のもののうちの１つ以上が挙げられる。
【０２４６】
（ａ）ベンザトリアゾール又はビス−ベンゾトリアゾール及びその置換誘導体を含むベンゼントリアゾール。ベンゾトリアゾール誘導体は、芳香環上の利用可能な置換部位が部分的に又は完全に置換されている化合物である。好適な置換基としては、直鎖又は分岐鎖Ｃｉ−Ｃ２０−アルキル基（例えば、Ｃ１−Ｃ２０−アルキル基）並びにヒドロキシル、チオ、フェニル又はフッ素、塩素、臭素及びヨウ素などのハロゲンが挙げられる。
【０２４７】
（ｂ）亜鉛、マンガン、チタン、ジルコニウム、ハフニウム、バナジウム、コバルト、ガリウム及びセリウム塩並びに／又は錯体からなる群から選択される金属塩並びに錯体であって、金属は、酸化状態ＩＩ、ＩＩＩ、ＩＶ、Ｖ又はＶＩのうちの１つである。一態様では、好適な金属塩及び／又は金属錯体は、硫酸Ｍｎ（ＩＩ）、クエン酸Ｍｎ（ＩＩ）、ステアリン酸Ｍｎ（ＩＩ）、Ｍｎ（ＩＩ）アセチルアセトネート、Ｋ＾ＴｉＦ６（例えば、Ｋ２ＴｉＦ６）、Ｋ＾ＺｒＦ６（例えば、Ｋ２ＺｒＦ６）、ＣｏＳＯ４、Ｃｏ（ＮＯｓ）２及びＣｅ（ＮＯｓ）３、亜鉛塩、例えば、硫酸亜鉛、亜鉛華又は酢酸亜鉛からなる群から選択され得る。
【０２４８】
（ｃ）ケイ酸ナトリウム又はケイ酸カリウム、二ケイ酸ナトリウム、メタケイ酸ナトリウム、結晶性フィロケイ酸及びこれらの混合物を含むケイ酸塩。
【０２４９】
銀／銅腐食防止剤として作用するさらに好適な有機及び無機酸化還元活性基質は、国際公開第９４／２６８６０号パンフレット及び国際公開第９４／２６８５９号パンフレットに開示されている。好ましくは、本発明の組成物は、金属ケア剤を組成物の０．１〜５重量％含み、好ましくは、金属ケア剤は亜鉛塩である。
【０２５０】
ヒドロトロープ
クリーニング組成物は、０〜１０重量％、例えば、約０．５〜約５％、又は約３％〜約５％などの０〜５重量％のヒドロトロープを含有してもよい。洗剤における使用のために当技術分野で知られる任意のヒドロトロープを利用してもよい。ヒドロトロープの非限定的な例としては、ベンゼンスルホン酸ナトリウム、ｐ−トルエンスルホン酸ナトリウム（ＳＴＳ）、キシレンスルホン酸ナトリウム（ＳＸＳ）、クメンスルホン酸ナトリウム、シメンスルホン酸ナトリウム、アミン酸化物、アルコール及びポリグリコールエーテル、ナトリウムヒドロキシナフトエート、ヒドロキシナフタレンスルホン酸ナトリウム、硫酸ナトリウムエチルヘキシル、並びにこれらの組み合わせが挙げられる。
【０２５１】
ポリマー
クリーニング組成物は、０〜１０重量％、例えば、０．５〜５％、２〜５％、０．５〜２％又は０．２〜１％のポリマーを含有してもよい。洗剤における使用のために当技術分野で知られる任意のポリマーを利用してもよい。ポリマーは、上記のコビルダーとして機能するものでもよいし、或いは、再付着防止、繊維保護、汚れ放出、移染防止、油脂のクリーニング及び／又は消泡性を付与するものであってもよい。一部のポリマーは、上記の特性の２つ以上及び／又は下記のモチーフの２つ以上を有し得る。例示的ポリマーとして、（カルボキシメチル）セルロース（ＣＭＣ）、ポリ（ビニルアルコール）（ＰＶＡ）、ポリ（ビニルピロリドン）（ＰＶＰ）、ポリ（エチレングリコール）又はポリ（エチレンオキシド）（ＰＥＧ）、エトキシル化ポリ（エチレンイミン）、カルボキシメチルイヌリン（ＣＭＩ）、及びＰＡＡ、ＰＡＡ／ＰＭＡ、ポリアスパラギン酸及びメタクリル酸ラウリル／アクリル酸コポリマーなどのポリカルボキシレート、疎水的に改変されたＣＭＣ（ＨＭ−ＣＭＣ）及びシリコーン、テレフタル酸とオリゴマーグリコールのコポリマー、ポリ（エチレンテレフタレート）とポリ（オキシエチレンテレフタレート）のコポリマー（ＰＥＴ−ＰＯＥＴ）、ＰＶＰ、ポリ（ビニルイミダゾール）（ＰＶＩ）、ポリ（ビニルピリジン−Ｎ−オキシド）（ＰＶＰＯ若しくはＰＶＰＮＯ）及びポリビニルピロリドン−ビニルイミダゾール（ＰＶＰＶＩ）が挙げられる。好適な例としては、Ａｓｈｌａｎｄ  ＡｑｕａｌｏｎのＰＶＰ−Ｋ１５、ＰＶＰ−Ｋ３０、ＣｈｒｏｍａＢｏｎｄ  Ｓ−４００、ＣｈｒｏｍａＢｏｎｄ  Ｓ−４０３Ｅ及びＣｈｒｏｍａＢｏｎｄ  Ｓ−１００、並びにＢＡＳＦのＳｏｋａｌａｎ（登録商標）ＨＰ  １６５、Ｓｏｋａｌａｎ（登録商標）ＨＰ  ５０（分散剤）、Ｓｏｋａｌａｎ（登録商標）ＨＰ  ５３（分散剤）、Ｓｏｋａｌａｎ（登録商標）ＨＰ  ５９（分散剤）、Ｓｏｋａｌａｎ（登録商標）ＨＰ  ５６（移染防止剤）、Ｓｏｋａｌａｎ（登録商標）ＨＰ  ６６Ｋ（移染防止剤）が挙げられる。さらに例示的なポリマーとしては、スルホン化ポリカルボキシレート、ポリエチレンオキシド及びポリプロピレンオキシド（ＰＥＯ−ＰＰＯ）並びにジクオタニウムエトキシスルフェートが挙げられる。その他の例示的ポリマーは、例えば、国際公開第２００６／１３０５７５号パンフレットに開示されている。また、上記ポリマーの塩も検討される。特に好ましいポリマーは、ＢＡＳＦのエトキシ化ホモポリマーのＳｏｋａｌａｎ（登録商標）ＨＰ  ２０であり、これは洗浄液中での汚れの再付着を防止するのを助ける。
【０２５２】
布地色調剤
本発明のクリーニング組成物はまた、染料又は顔料などの布地色調剤を含んでもよく、これが洗剤組成物に配合される場合、前記洗剤組成物を含む洗浄液と前記布地が接触するときに布地上に沈積することができ、これによって、可視光の吸収／反射による前記布地の色合いを改変する。蛍光増白剤は、少なくとも一部の可視光を放射する。対照的に、布地色調剤は、可視光スペクトルの少なくとも一部を吸収するため、表面の色合いを改変する。好適な布地色調剤としては、染料及び染料−粘土コンジュゲートが挙げられ、顔料を含んでもよい。好適な染料としては、小分子染料及びポリマー染料が挙げられる。好適な小分子染料としては、例えば、国際公開第２００５／０３２７４号パンフレット、国際公開第２００５／０３２７５号パンフレット、国際公開第２００５／０３２７６号パンフレット及び欧州特許第１８７６２２６号明細書（参照により本明細書に組み込まれる）に記載されているとおり、ダイレクトブルー（Ｄｉｒｅｃｔ  Ｂｌｕｅ）、ダイレクトレッド（Ｄｉｒｅｃｔ  Ｒｅｄ）、ダイレクトバイオレット（Ｄｉｒｅｃｔ  Ｖｉｏｌｅｔ）、アシッドブルー（Ａｃｉｄ  Ｂｌｕｅ）、アシッドレッド（Ａｃｉｄ  Ｒｅｄ）、アシッドバイオレット（Ａｃｉｄ  Ｖｉｏｌｅｔ）、ベーシックブルー（Ｂａｓｉｃ  Ｂｌｕｅ）、ベーシックバイオレット（Ｂａｓｉｃ  Ｖｉｏｌｅｔ）及びベーシックレッド（Ｂａｓｉｃ  Ｒｅｄ）のカラーインデックス（Ｃ．Ｉ．）分類に分類される染料からなる群から選択される小分子染料、又はそれらの混合物が挙げられる。洗剤組成物は、好ましくは、約０．００００３ｗｔ％〜約０．２ｗｔ％、約０．００００８ｗｔ％〜約０．０５ｗｔ％、或いは約０．０００１ｗｔ％〜約０．０４ｗｔ％の布地色調剤を含む。本組成物は、０．０００１ｗｔ％〜約０．２ｗｔ％の布地色調剤を含んでもよく、これは、組成物が、単位用量パウチの形態である場合、特に好ましいことがある。好適な色調剤については、例えば、国際公開第２００７／０８７２５７号パンフレット及び国際公開第２００７／０８７２４３号パンフレットにも開示されている。
【０２５３】
酵素
クリーニング組成物は、１種以上のリパーゼ、クチナーゼ、アミラーゼ、カルボヒドラーゼ、セルラーゼ、ペクチナーゼ、マンナナーゼ、アラビナーゼ、ガラクタナーゼ、キシラナーゼ、オキシダーゼ、例えばラッカーゼ及び／又はペルオキシダーゼなどの１種以上の追加の酵素を含んでもよい。一般に、選択された酵素の特性は、選択された洗剤と適合すべきであり（すなわち、至適ｐＨ、他の酵素成分及び非酵素成分との適合性など）、また、酵素は有効量で存在すべきである。
【０２５４】
セルラーゼ  好適なセルラーゼとしては、細菌又は真菌起源のものが挙げられる。化学的に修飾された変異体又はタンパク質を操作した変異体が含まれる。好適なセルラーゼとしては、例えば、米国特許第４，４３５，３０７号明細書、米国特許第５，６４８，２６３号明細書、米国特許第５，６９１，１７８号明細書、米国特許第５，７７６，７５７号明細書及び国際公開第８９／０９２５９号パンフレットに開示されている、フミコラ・インソレンス（Ｈｕｍｉｃｏｌａ  ｉｎｓｏｌｅｎｓ）、ミセリオフトラ・テルモフィラ（Ｍｙｃｅｌｉｏｐｈｔｈｏｒａ  ｔｈｅｒｍｏｐｈｉｌａ）及びフザリウム・オキシスポルム（Ｆｕｓａｒｉｕｍ  ｏｘｙｓｐｏｒｕｍ）から産生される真菌セルラーゼといった、バチルス属（Ｂａｃｉｌｌｕｓ）、シュードモナス属（Ｐｓｅｕｄｏｍｏｎａｓ）、フミコラ属（Ｈｕｍｉｃｏｌａ）、フザリウム属（Ｆｕｓａｒｉｕｍ）、チエラビア属（Ｔｈｉｅｌａｖｉａ）、アクレモニウム属（Ａｃｒｅｍｏｎｉｕｍ）由来のセルラーゼが挙げられる。特に好適なセルラーゼは、色の保護に関して利点を有するアルカリ性又は中性セルラーゼである。このようなセルラーゼの例は、欧州特許第０４９５２５７号明細書、欧州特許第０５３１３７２号明細書、国際公開第９６／１１２６２号パンフレット、国際公開第９６／２９３９７号パンフレット、国際公開第９８／０８９４０号パンフレットに記載されているセルラーゼである。他の例は、国際公開第９４／０７９９８号パンフレット、欧州特許第０５３１３１５号明細書、米国特許第５，４５７，０４６号明細書、米国特許第５，６８６，５９３号明細書、米国特許第５，７６３，２５４号明細書、国際公開第９５／２４４７１号パンフレット、国際公開第９８／１２３０７号パンフレット及び国際公開第９９／００１５４４号パンフレットに記載されているものなどのセルラーゼ変異体である。他のセルラーゼは、国際公開第２００２／０９９０９１号パンフレットの配列番号２の１位から７７３位のアミノ酸配列と少なくとも９７％同一性の配列を有するエンド−β−１，４−グルカナーゼ酵素、又はファミリー４４キシログルカナーゼであり、キシログルカナーゼ酵素は、国際公開第２００１／０６２９０３号パンフレットの配列番号２の４０〜５５９位と少なくとも６０％同一性の配列を有する。
【０２５５】
市販されているセルラーゼとしては、Ｃｅｌｌｕｚｙｍｅ（商標）、及びＣａｒｅｚｙｍｅ（商標）（Ｎｏｖｏｚｙｍｅｓ  Ａ／Ｓ）、Ｃａｒｅｚｙｍｅ  Ｐｒｅｍｉｕｍ（商標）（Ｎｏｖｏｚｙｍｅｓ  Ａ／Ｓ）、Ｃｅｌｌｕｃｌｅａｎ（商標）（Ｎｏｖｏｚｙｍｅｓ  Ａ／Ｓ）、Ｃｅｌｌｕｃｌｅａｎ  Ｃｌａｓｓｉｃ（商標）（Ｎｏｖｏｚｙｍｅｓ  Ａ／Ｓ）、Ｃｅｌｌｕｓｏｆｔ（商標）（Ｎｏｖｏｚｙｍｅｓ  Ａ／Ｓ）、Ｗｈｉｔｅｚｙｍｅ（商標）（Ｎｏｖｏｚｙｍｅｓ  Ａ／Ｓ）、Ｃｌａｚｉｎａｓｅ（商標）、及びＰｕｒａｄａｘ  ＨＡ（商標）（Ｇｅｎｅｎｃｏｒ  Ｉｎｔｅｒｎａｔｉｏｎａｌ  Ｉｎｃ．）、及びＫＡＣ−５００（Ｂ）（商標）（花王株式会社）が挙げられる。
【０２５６】
マンナナーゼ  好適なマンナナーゼとしては、細菌又は真菌起源のものが挙げられる。化学的又は遺伝的に改変した変異体が含まれる。マンナナーゼは、ファミリー５又は２６のアルカリマンナナーゼであり得る。それは、バチルス属（Ｂａｃｉｌｌｕｓ）又はフミコラ属（Ｈｕｍｉｃｏｌａ）、特に、Ｂ．アガラドヘレンス（Ｂ．ａｇａｒａｄｈａｅｒｅｎｓ）、Ｂ．リケニフォルミス（Ｂ．ｌｉｃｈｅｎｉｆｏｒｍｉｓ）、Ｂ．ハロデュランス（Ｂ．ｈａｌｏｄｕｒａｎｓ）、Ｂ．クラウシー（Ｂ．ｃｌａｕｓｉｉ）、又はＨ．インソレンス（Ｈ．ｉｎｓｏｌｅｎｓ）に由来する野生型であってもよい。好適なマンナナーゼは、国際公開第１９９９／０６４６１９号パンフレットに記載されている。市販のマンナナーゼは、Ｍａｎｎａｗａｙ（Ｎｏｖｏｚｙｍｅｓ  Ａ／Ｓ）である。
【０２５７】
ペルオキシダーゼ／オキシダーゼ  好適なペルオキシダーゼ／オキシダーゼとしては、植物、細菌又は真菌起源のものが挙げられる。化学的に修飾された変異体又はタンパク質を操作した変異体が含まれる。有用なペルオキシダーゼの例としては、コプリナス属（Ｃｏｐｒｉｎｕｓ）由来、例えば、国際公開第９３／２４６１８号パンフレット、国際公開第９５／１０６０２号パンフレット、及び国際公開第９８／１５２５７号パンフレットに記載されるＣ．シネレウス（Ｃ．ｃｉｎｅｒｅｕｓ）由来のペルオキシダーゼ、及びその変異体が挙げられる。市販のペルオキシダーゼとしては、Ｇｕａｒｄｚｙｍｅ（商標）（Ｎｏｖｏｚｙｍｅｓ  Ａ／Ｓ）が挙げられる。
【０２５８】
リパーゼ及びクチナーゼ  好適なリパーゼ及びクチナーゼとしては、細菌又は真菌起源のものが挙げられる。化学的に修飾された変異体酵素又はタンパク質を操作した変異体酵素が含まれる。例としては、欧州特許第２５８０６８号明細書及び欧州特許第３０５２１６号明細書に記載されている、テルモマイセス属（Ｔｈｅｒｍｏｍｙｃｅｓ）由来、例えば、Ｔ．ラヌギノスス（Ｔ．ｌａｎｕｇｉｎｏｓｕｓ）（以前はフミコラ・ラヌギノサ（Ｈｕｍｉｃｏｌａ  ｌａｎｕｇｉｎｏｓａ）と命名されていた）由来のリパーゼ、例えば、Ｈ．インソレンス（Ｈ．ｉｎｓｏｌｅｎｓ）といったフミコラ属（Ｈｕｍｉｃｏｌａ）由来のクチナーゼ（国際公開第９６／１３５８０号パンフレット）、例えば、Ｐ．アルカリゲネス（Ｐ．ａｌｃａｌｉｇｅｎｅｓ）又はＰ．シュードアルカリゲネス（Ｐ．ｐｓｅｕｄｏａｌｃａｌｉｇｅｎｅｓ）（欧州特許第２１８２７２号明細書）、Ｐ．セパシア（Ｐ．ｃｅｐａｃｉａ）（欧州特許第３３１３７６号明細書）、Ｐ．ｓｐ．株ＳＤ７０５（国際公開第９５／０６７２０号パンフレット及び国際公開第９６／２７００２号パンフレット）、Ｐ．ウィスコンシネンシス（Ｐ．ｗｉｓｃｏｎｓｉｎｅｎｓｉｓ）（国際公開第９６／１２０１２号パンフレット）といったシュードモナス属（Ｐｓｅｕｄｏｍｏｎａｓ）（これらの一部は、現在、バークホルデリア属（Ｂｕｒｋｈｏｌｄｅｒｉａ）と改名されている）の株由来のリパーゼ、ＧＤＳＬタイプのストレプトマイセス（Ｓｔｒｅｐｔｏｍｙｃｅｓ）リパーゼ（国際公開第１０／０６５４５５号パンフレット）、イネいもち病菌（Ｍａｇｎａｐｏｒｔｈｅ  ｇｒｉｓｅａ）（国際公開第１０／１０７５６０号パンフレット）由来のクチナーゼ、シュードモナス・メンドシナ（Ｐｓｅｕｄｏｍｏｎａｓ  ｍｅｎｄｏｃｉｎａ）由来のクチナーゼ（米国特許第５，３８９，５３６号明細書）、サーモビフィダ・フスカ（Ｔｈｅｒｍｏｂｉｆｉｄａ  ｆｕｓｃａ）由来のリパーゼ（国際公開第１１／０８４４１２号パンフレット）、ジェオバシラス・ステアロサーモフィラス（Ｇｅｏｂａｃｉｌｌｕｓ  ｓｔｅａｒｏｔｈｅｒｍｏｐｈｉｌｕｓ）リパーゼ（国際公開第１１／０８４４１７号パンフレット）、バチルス・サブティリス（Ｂａｃｉｌｌｕｓ  ｓｕｂｔｉｌｉｓ）由来のリパーゼ（国際公開第１１／０８４５９９号パンフレット）、並びにストレプトマイセス・グリセウス（Ｓｔｒｅｐｔｏｍｙｃｅｓ  ｇｒｉｓｅｕｓ）（国際公開第１１／１５０１５７号パンフレット）及びＳ．プリスチナエスピラリス（Ｓ．ｐｒｉｓｔｉｎａｅｓｐｉｒａｌｉｓ）（国際公開第１２／１３７１４７号パンフレット）由来のリパーゼが挙げられる。他の例は、欧州特許第４０７２２５号明細書、国際公開第９２／０５２４９号パンフレット、国際公開第９４／０１５４１号パンフレット、国際公開第９４／２５５７８号パンフレット、国際公開第９５／１４７８３号パンフレット、国際公開第９５／３０７４４号パンフレット、国際公開第９５／３５３８１号パンフレット、国際公開第９５／２２６１５号パンフレット、国際公開第９６／００２９２号パンフレット、国際公開第９７／０４０７９号パンフレット、国際公開第９７／０７２０２号パンフレット、国��公開第００／３４４５０号パンフレット、国際公開第００／６００６３号パンフレット、国際公開第０１／９２５０２号パンフレット、国際公開第０７／８７５０８号パンフレット及び国際公開第０９／１０９５００号パンフレットに記載のものなどのリパーゼ変異体である。
【０２５９】
好ましい市販されているリパーゼ製品としては、Ｌｉｐｏｌａｓｅ（商標）、Ｌｉｐｅｘ（商標）；Ｌｉｐｏｌｅｘ（商標）及びＬｉｐｏｃｌｅａｎ（商標）（Ｎｏｖｏｚｙｍｅｓ  Ａ／Ｓ）、Ｌｕｍａｆａｓｔ（当初はＧｅｎｅｎｃｏｒから）及びＬｉｐｏｍａｘ（当初はＧｉｓｔ−Ｂｒｏｃａｄｅｓから）が挙げられる。さらに他の例は、アシルトランスフェラーゼ又はペルヒドロラーゼと呼ばれこともあるリパーゼ、例えば、カンジダ・アンタークティカ（Ｃａｎｄｉｄａ  ａｎｔａｒｃｔｉｃａ）リパーゼＡとの相同性を有するアシルトランスフェラーゼ（国際公開第１０／１１１１４３号パンフレット）、マイコバクテリウム・スメグマチス（Ｍｙｃｏｂａｃｔｅｒｉｕｍ  ｓｍｅｇｍａｔｉｓ）由来のアシルトランスフェラーゼ（国際公開第０５／５６７８２号パンフレット）、ＣＥ  ７ファミリー由来のペルヒドロラーゼ（国際公開第０９／６７２７９号パンフレット）、並びにＭ．スメグマチス（Ｍ．ｓｍｅｇｍａｔｉｓ）ペルヒドロラーゼの変異体、特に、Ｈｕｎｔｓｍａｎ  Ｔｅｘｔｉｌｅ  Ｅｆｆｅｃｔｓ  Ｐｔｅ  Ｌｔｄ製の製品Ｇｅｎｔｌｅ  Ｐｏｗｅｒ  Ｂｌｅａｃｈに使用されているＳ５４Ｖ変異体（国際公開第１０／１０００２８号パンフレット）である。
【０２６０】
アミラーゼ  好適なアミラーゼとしては、α−アミラーゼ及び／又はグルコアミラーゼが挙げられ、細菌又は真菌起源であり得る。化学的に修飾された変異体又はタンパク質を操作した変異体が含まれる。アミラーゼとしては、例えば、バチルス属（Ｂａｃｉｌｌｕｓ）、例えば英国特許第１，２９６，８３９号明細書にさらに詳細に記載されているバチルス・リケニフォルミス（Ｂａｃｉｌｌｕｓ  ｌｉｃｈｅｎｉｆｏｒｍｉｓ）の特殊な系統から得られるα−アミラーゼが挙げられる。
【０２６１】
好適なアミラーゼとしては、国際公開第９５／１０６０３号パンフレットにおける配列番号２を有するアミラーゼ、又はその配列番号３に対して９０％の配列同一性を有する変異体が挙げられる。好ましい変異体は、国際公開第９４／０２５９７号パンフレット、国際公開第９４／１８３１４号パンフレット、国際公開第９７／４３４２４号パンフレット及び国際公開第９９／１９４６７号パンフレットの配列番号４に記載され、例えば、以下の位置の１つ以上において置換を伴う変異体である：１５、２３、１０５、１０６、１２４、１２８、１３３、１５４、１５６、１７８、１７９、１８１、１８８、１９０、１９７、２０１、２０２、２０７、２０８、２０９、２１１、２４３、２６４、３０４、３０５、３９１、４０８、及び４４４。別の好適なアミラーゼとして、国際公開第０２／１０３５５号パンフレットにおける配列番号６を有するアミラーゼ、又は配列番号６に対して９０％の配列同一性を有するその変異体が挙げられる。配列番号６の好ましい変異体は、１８１位及び１８２位に欠失を有し、１９３位に置換を有するものである。
【０２６２】
好適な他のアミラーゼは、国際公開第２００６／０６６５９４号パンフレットの配列番号６に示されるＢ．アミロリケファシエンス（Ｂ．ａｍｙｌｏｌｉｑｕｅｆａｃｉｅｎｓ）に由来するα−アミラーゼの残基１〜３３と、国際公開第２００６／０６６５９４号パンフレットの配列番号４に示されるＢ．リケニフォルミス（Ｂ．ｌｉｃｈｅｎｉｆｏｒｍｉｓ）α−アミラーゼの残基３６〜４８３を含むハイブリッドα−アミラーゼ又はそれらの９０％の配列同一性を有する変異体である。このハイブリッドα−アミラーゼの好ましい変異体は、以下の位置の１つ以上において置換、欠失又は挿入を有する変異体である：Ｇ４８、Ｔ４９、Ｇ１０７、Ｈ１５６、Ａ１８１、Ｎ１９０、Ｍ１９７、Ｉ２０１、Ａ２０９及びＱ２６４。国際公開第２００６／０６６５９４号パンフレットの配列番号６に示されるＢ．アミロリケファシエンス（Ｂ．ａｍｙｌｏｌｉｑｕｅｆａｃｉｅｎｓ）に由来するα−アミラーゼの残基１〜３３と、配列番号４の残基３６〜４８３を含むハイブリッドα−アミラーゼの最も好ましい変異体は、以下の置換を有するものである：
Ｍ１９７Ｔ；
Ｈ１５６Ｙ＋Ａ１８１Ｔ＋Ｎ１９０Ｆ＋Ａ２０９Ｖ＋Ｑ２６４Ｓ；又は
Ｇ４８Ａ＋Ｔ４９Ｉ＋Ｇ１０７Ａ＋Ｈ１５６Ｙ＋Ａ１８１Ｔ＋Ｎ１９０Ｆ＋Ｉ２０１Ｆ＋Ａ２０９Ｖ＋Ｑ２６４Ｓ。
【０２６３】
好適なさらに別のアミラーゼは、国際公開第９９／１９４６７号パンフレットにおける配列番号６を有するアミラーゼ又は配列番号６に対して９０％の配列同一性を有するその変異体である。配列番号６の好ましい変異体は、以下の位置の１つ以上において置換、欠失又は挿入を有する変異体である：Ｒ１８１、Ｇ１８２、Ｈ１８３、Ｇ１８４、Ｎ１９５，Ｉ２０６、Ｅ２１２、Ｅ２１６及びＫ２６９。特に好ましいアミラーゼは、Ｒ１８１位及びＧ１８２位、又はＨ１８３位及びＧ１８４位に欠失を有するものである。用いることができる追加のアミラーゼは、国際公開第９６／２３８７３号パンフレットの配列番号１、配列番号３、配列番号２若しくは配列番号７を有するもの、又は配列番号１、配列番号２、配列番号３又は配列番号７に対して９０％の配列同一性を有するその変異体である。配列番号１、配列番号２、配列番号３若しくは配列番号７の好ましい変異体は、ナンバリングについては国際公開第９６／０２３８７３号パンフレットの配列番号２を用いて、以下の位置の１つ以上において置換、欠失又は挿入を有するものである：１４０、１８１、１８２、１８３、１８４、１９５、２０６、２１２、２４３、２６０、２６９、３０４及び４７６。より好ましい変異体は、１８１、１８２、１８３及び１８４から選択される２つの位置、例えば、１８１及び１８２、１８２及び１８３、又は１８３位及び１８４位に欠失を有するものである。配列番号１、配列番号２又は配列番号７の最も好ましいアミラーゼ変異体は、１８３位及び１８４位における欠失と、１４０位、１９５位、２０６位、２４３位、２６０位、３０４位及び４７６位の１つ以上において置換を有するものである。
【０２６４】
用いることができる他のアミラーゼは、国際公開第０８／１５３８１５号パンフレットの配列番号２、国際公開第０１／６６７１２号パンフレットの配列番号１０を有するアミラーゼ、又は国際公開第０８／１５３８１５号パンフレットの配列番号２に対して９０％の配列同一性、又は国際公開第０１／６６７１２号パンフレットの配列番号１０に対して９０％の配列同一性を有するその変異体である。国際公開第０１／６６７１２号パンフレットの配列番号１０の好ましい変異体は、以下の位置の１つ以上において置換、欠失又は挿入を有するものである：１７６、１７７、１７８、１７９、１９０、２０１、２０７、２１１及び２６４。さらなる好適なアミラーゼは、国際公開第０９／０６１３８０号パンフレットの配列番号２を有するアミラーゼ又はその配列番号２に対して９０％の配列同一性を有する変異体である。配列番号２の好ましい変異体は、Ｃ末端の短縮化及び／又は以下の位置の１つ以上において置換、欠失又は挿入を有するものである：Ｑ８７、Ｑ９８、Ｓ１２５、Ｎ１２８、Ｔ１３１、Ｔ１６５、Ｋ１７８、Ｒ１８０、Ｓ１８１、Ｔ１８２、Ｇ１８３、Ｍ２０１、Ｆ２０２、Ｎ２２５、Ｓ２４３、Ｎ２７２、Ｎ２８２、Ｙ３０５、Ｒ３０９、Ｄ３１９、Ｑ３２０、Ｑ３５９、Ｋ４４４及びＧ４７５。配列番号２のより好ましい変異体は、以下の位置：Ｑ８７Ｅ，Ｒ、Ｑ９８Ｒ、Ｓ１２５Ａ、Ｎ１２８Ｃ、Ｔ１３１Ｉ、Ｔ１６５Ｉ、Ｋ１７８Ｌ、Ｔ１８２Ｇ、Ｍ２０１Ｌ、Ｆ２０２Ｙ、Ｎ２２５Ｅ，Ｒ、Ｎ２７２Ｅ，Ｒ、Ｓ２４３Ｑ，Ａ，Ｅ，Ｄ、Ｙ３０５Ｒ、Ｒ３０９Ａ、Ｑ３２０Ｒ、Ｑ３５９Ｅ、Ｋ４４４Ｅ及びＧ４７５Ｋの１つ以上における置換、並びに／又はＲ１８０位及び／若しくはＳ１８１位又はＴ１８２位及び／若しくはＧ１８３位における欠失を有するものである。配列番号２の最も好ましいアミラーゼ変異体は、置換：
Ｎ１２８Ｃ＋Ｋ１７８Ｌ＋Ｔ１８２Ｇ＋Ｙ３０５Ｒ＋Ｇ４７５Ｋ；
Ｎ１２８Ｃ＋Ｋ１７８Ｌ＋Ｔ１８２Ｇ＋Ｆ２０２Ｙ＋Ｙ３０５Ｒ＋Ｄ３１９Ｔ＋Ｇ４７５Ｋ；
Ｓ１２５Ａ＋Ｎ１２８Ｃ＋Ｋ１７８Ｌ＋Ｔ１８２Ｇ＋Ｙ３０５Ｒ＋Ｇ４７５Ｋ；又は
Ｓ１２５Ａ＋Ｎ１２８Ｃ＋Ｔ１３１Ｉ＋Ｔ１６５Ｉ＋Ｋ１７８Ｌ＋Ｔ１８２Ｇ＋Ｙ３０５Ｒ＋Ｇ４７５Ｋを有するものであり、変異体は、Ｃ末端が短縮化されており、任意選択により、２４３位の置換並びに／又は１８０位及び／若しくは１８１位の欠失をさらに含む。
【０２６５】
さらなる好適なアミラーゼは、国際公開第１３１８４５７７号パンフレットの配列番号１を有するアミラーゼ又はその配列番号１に対して９０％の配列同一性を有する変異体である。配列番号１の好ましい変異体は、以下の位置：Ｋ１７６、Ｒ１７８、Ｇ１７９、Ｔ１８０、Ｇ１８１、Ｅ１８７、Ｎ１９２、Ｍ１９９、Ｉ２０３、Ｓ２４１、Ｒ４５８、Ｔ４５９、Ｄ４６０、Ｇ４７６及びＧ４７７の１つ以上において置換、欠失又は挿入を有するものである。配列番号１のより好ましい変異体は、以下の位置：Ｋ１７６Ｌ、Ｅ１８７Ｐ、Ｎ１９２ＦＹＨ、Ｍ１９９Ｌ、Ｉ２０３ＹＦ、Ｓ２４１ＱＡＤＮ、Ｒ４５８Ｎ、Ｔ４５９Ｓ、Ｄ４６０Ｔ、Ｇ４７６Ｋ及びＧ４７７Ｋの１つ以上における置換、並びに／又はＲ１７８位及び／若しくはＳ１７９位又はＴ１８０位及び／若しくはＧ１８１位における欠失を有するものである。配列番号１の最も好ましいアミラーゼ変異体は、置換：
Ｅ１８７Ｐ＋Ｉ２０３Ｙ＋Ｇ４７６Ｋ
Ｅ１８７Ｐ＋Ｉ２０３Ｙ＋Ｒ４５８Ｎ＋Ｔ４５９Ｓ＋Ｄ４６０Ｔ＋Ｇ４７６Ｋを有するものであり、
変異体はさらに、任意選択により、２４１位での置換並びに／又は１７８位及び／若しくは１７９位での欠失を含む。
【０２６６】
さらなる好適なアミラーゼは、国際公開第１０１０４６７５号パンフレットの配列番号１を有するアミラーゼ又はその配列番号１に対して９０％の配列同一性を有する変異体である。配列番号１の好ましい変異体は、以下の位置：Ｎ２１、Ｄ９７、Ｖ１２８  Ｋ１７７、Ｒ１７９、Ｓ１８０、Ｉ１８１、Ｇ１８２、Ｍ２００、Ｌ２０４、Ｅ２４２、Ｇ４７７及びＧ４７８の１つ以上における置換、欠失又は挿入を有するものである。配列番号１のより好ましい変異体は、以下の位置：Ｎ２１Ｄ、Ｄ９７Ｎ、Ｖ１２８Ｉ  Ｋ１７７Ｌ、Ｍ２００Ｌ、Ｌ２０４ＹＦ、Ｅ２４２ＱＡ、Ｇ４７７Ｋ及びＧ４７８Ｋの１つ以上における置換並びに／又はＲ１７９位及び／若しくはＳ１８０位又はＩ１８１及び／若しくはＧ１８２における欠失を有するものである。配列番号１の最も好ましいアミラーゼ変異体は、置換：
Ｎ２１Ｄ＋Ｄ９７Ｎ＋Ｖ１２８Ｉを有するものであり、
変異体はさらに、任意選択により、２００位での置換並びに／又は１８０位及び／若しくは１８１位での欠失を含む。
【０２６７】
他の好適なアミラーゼは、国際公開第０１／６６７１２号パンフレットの配列番号１２を有するα−アミラーゼ又は配列番号１２と少なくとも９０％の配列同一性を有する変異体である。好ましいアミラーゼ変異体は、国際公開第０１／６６７１２号パンフレットにおける配列番号１２の以下の置換：Ｒ２８、Ｒ１１８、Ｎ１７４；Ｒ１８１、Ｇ１８２、Ｄ１８３、Ｇ１８４、Ｇ１８６、Ｗ１８９、Ｎ１９５、Ｍ２０２、Ｙ２９８、Ｎ２９９、Ｋ３０２、Ｓ３０３、Ｎ３０６、Ｒ３１０、Ｎ３１４；Ｒ３２０、Ｈ３２４、Ｅ３４５、Ｙ３９６、Ｒ４００、Ｗ４３９、Ｒ４４４、Ｎ４４５、Ｋ４４６、Ｑ４４９、Ｒ４５８、Ｎ４７１、Ｎ４８４の１つ以上における置換、欠失又は挿入を有するものである。特定の好ましいアミラーゼとしては、Ｄ１８３及びＧ１８４の欠失を有し、且つ置換Ｒ１１８Ｋ、Ｎ１９５Ｆ、Ｒ３２０Ｋ及びＲ４５８Ｋを有する変異体、並びに群：Ｍ９、Ｇ１４９、Ｇ１８２、Ｇ１８６、Ｍ２０２、Ｔ２５７、Ｙ２９５、Ｎ２９９、Ｍ３２３、Ｅ３４５及びＡ３３９から選択される１つ以上の位置における置換をさらに有する変異体、これら全ての位置において置換をさらに有する最も好ましい変異体が挙げられる。
【０２６８】
他の例は、国際公開第２０１１／０９８５３１号パンフレット、国際公開第２０１３／００１０７８号パンフレット及び国際公開第２０１３／００１０８７号パンフレットにおいて記載されるものなどのアミラーゼ変異体である。
【０２６９】
市販されているアミラーゼには、Ｄｕｒａｍｙｌ（商標）、Ｔｅｒｍａｍｙｌ（商標）、Ｆｕｎｇａｍｙｌ（商標）、Ｓｔａｉｎｚｙｍｅ（商標）、Ｓｔａｉｎｚｙｍｅ  Ｐｌｕｓ（商標）、Ｎａｔａｌａｓｅ（商標）、Ｌｉｑｕｏｚｙｍｅ  Ｘ及びＢＡＮ（商標）（Ｎｏｖｏｚｙｍｅｓ  Ａ／Ｓ製）、並びにＲａｐｉｄａｓｅ（商標）、Ｐｕｒａｓｔａｒ（商標）／Ｅｆｆｅｃｔｅｎｚ（商標）、Ｐｏｗｅｒａｓｅ、Ｐｒｅｆｅｒｅｎｚ  Ｓ１０００、Ｐｒｅｆｅｒｅｎｚ  Ｓ１００及びＰｒｅｆｅｒｅｎｚ  Ｓ１１０（Ｇｅｎｅｎｃｏｒ  Ｉｎｔｅｒｎａｔｉｏｎａｌ  Ｉｎｃ．／ＤｕＰｏｎｔ製）がある。
【０２７０】
ペルオキシダーゼ／オキシダーゼ  本発明によるペルオキシダーゼは、国際生化学分子生物学連合（Ｉｎｔｅｒｎａｔｉｏｎａｌ  Ｕｎｉｏｎ  ｏｆ  Ｂｉｏｃｈｅｍｉｓｔｒｙ  ａｎｄ  Ｍｏｌｅｃｕｌａｒ  Ｂｉｏｌｏｇｙ）（ＩＵＢＭＢ）の命名委員会（Ｎｏｍｅｎｃｌａｔｕｒｅ  Ｃｏｍｍｉｔｔｅｅ）により記載されている酵素分類ＥＣ１．１１．１．７に含まれるペルオキシダーゼ酵素、又はそれから得られる、ペルオキシダーゼ活性を呈する任意の断片である。
【０２７１】
好適なペルオキシダーゼとしては、植物、細菌又は真菌起源のものが挙げられる。化学的に修飾された変異体又はタンパク質を操作した変異体が含まれる。有用なペルオキシダーゼの例としては、例えば、ウシグソヒトヨタケ（Ｃ．ｃｉｎｅｒｅａ）といったヒトヨタケ属（Ｃｏｐｒｉｎｏｐｓｉｓ）由来のペルオキシダーゼ（欧州特許第１７９，４８６号明細書）、並びに国際公開第９３／２４６１８号パンフレット、国際公開第９５／１０６０２号パンフレット、及び国際公開第９８／１５２５７号パンフレットに記載されているものなどのその変異体が挙げられる。
【０２７２】
好適なペルオキシダーゼとしては、クロロペルオキシダーゼ、ブロモペルオキシダーゼなどのハロペルオキシダーゼ酵素及びクロロペルオキシダーゼ活性又はブロモペルオキシダーゼ活性を呈する化合物が挙げられる。ハロペルオキシダーゼは、ハロゲン化物イオンに対するその特異性に従って分類される。クロロペルオキシダーゼ（Ｅ．Ｃ．１．１１．１．１０）は、塩化物イオンからの次亜塩素酸塩の形成を触媒する。好ましくは、ハロペルオキシダーゼは、バナジウムハロペルオキシダーゼ、すなわち、バナジン酸塩含有ハロペルオキシダーゼである。ハロペルオキシダーゼは、多種の真菌、特に、暗色線菌科（ｄｅｍａｔｉａｃｅｏｕｓ  ｈｙｐｈｏｍｙｃｅｔｅｓ）の真菌群、例えば、Ｃ．フマゴ（Ｃ．ｆｕｍａｇｏ）などのカルダリオマイセス属（Ｃａｌｄａｒｉｏｍｙｃｅｓ）、アルテルナリア属（Ａｌｔｅｒｎａｒｉａ）、例えば、Ｃ．ベルクローサ（Ｃ．ｖｅｒｒｕｃｕｌｏｓａ）及びＣ．イナエクアリス（Ｃ．ｉｎａｅｑｕａｌｉｓ）などのクルブラリア属（Ｃｕｒｖｕｌａｒｉａ）、ドレクスレラ属（Ｄｒｅｃｈｓｌｅｒａ）、ウロクラジウム属（Ｕｌｏｃｌａｄｉｕｍ）及びボトリチス属（Ｂｏｔｒｙｔｉｓ）から単離されている。
【０２７３】
ハロペルオキシダーゼはまた、シュードモナス属（Ｐｓｅｕｄｏｍｏｎａｓ）、例えば、Ｐ．ピロシニア（Ｐ．ｐｙｒｒｏｃｉｎｉａ）及びストレプトマイセス属（Ｓｔｒｅｐｔｏｍｙｃｅｓ）、例えば、Ｓ．オーレオファシエンス（Ｓ．ａｕｒｅｏｆａｃｉｅｎｓ）などの細菌からも単離されている。
【０２７４】
好適なオキシダーゼとしては、特に、酵素分類ＥＣ１．１０．３．２に含まれる任意のラッカーゼ酵素、又はそれから得られるラッカーゼ活性を呈する任意の断片、又は類似の活性を呈する化合物、例えば、カテコールオキシダーゼ（ＥＣ１．１０．３．１）、ｏ−アミノフェノールオキシダーゼ（ＥＣ１．１０．３．４）、又はビリルビンオキシダーゼ（ＥＣ１．３．３．５）が挙げられる。好ましいラッカーゼ酵素は、細菌起源の酵素である。酵素は、植物、細菌又は真菌（糸状真菌及び酵母を含む）から得てもよい。真菌由来の好適な例としては、アスペルギルス属（Ａｓｐｅｒｇｉｌｌｕｓ）、ニューロスポラ属（Ｎｅｕｒｏｓｐｏｒａ）、例えば、Ｎ．クラッサ（Ｎ．ｃｒａｓｓａ）、ポドスポラ属（Ｐｏｄｏｓｐｏｒａ）、ボトリチス属（Ｂｏｔｒｙｔｉｓ）、コリビア属（Ｃｏｌｌｙｂｉａ）、ツリガネタケ属（Ｆｏｍｅｓ）、レンチヌス属（Ｌｅｎｔｉｎｕｓ）、ヒラタケ属（Ｐｌｅｕｒｏｔｕｓ）、カワラタケ属（Ｔｒａｍｅｔｅｓ）、例えば、フルイカワラタケ（Ｔ．ｖｉｌｌｏｓａ）及びカワラタケ（Ｔ．ｖｅｒｓｉｃｏｌｏｒ）、リゾクトニア属（Ｒｈｉｚｏｃｔｏｎｉａ）、例えば、Ｒ．ソラニ（Ｒ．ｓｏｌａｎｉ）、ヒヨタケ属（Ｃｏｐｒｉｎｏｐｓｉｓ）、例えば、ウシグソヒトヨタケ（Ｃ．ｃｉｎｅｒｅａ）、ササクレヒトヨタケ（Ｃ．ｃｏｍａｔｕｓ）、ヒメヒトヨタケ（Ｃ．ｆｒｉｅｓｉｉ）、及びヒメヒガサヒトヨタケ（Ｃ．ｐｌｉｃａｔｉｌｉｓ）、ナヨタケ属（Ｐｓａｔｈｙｒｅｌｌａ）、例えば、イタチタケ（Ｐ．ｃｏｎｄｅｌｌｅａｎａ）、ヒカゲタケ属（Ｐａｎａｅｏｌｕｓ）、例えば、ワライタケ（Ｐ．ｐａｐｉｌｉｏｎａｃｅｕｓ）、ミセリオフトラ属（Ｍｙｃｅｌｉｏｐｈｔｈｏｒａ）、例えば、Ｍ．サーモフィラ（Ｍ．ｔｈｅｒｍｏｐｈｉｌａ）、シタリジウム属（Ｓｃｈｙｔａｌｉｄｉｕｍ）、例えば、Ｓ．サーモフィルム（Ｓ．ｔｈｅｒｍｏｐｈｉｌｕｍ）、ポリポルス属（Ｐｏｌｙｐｏｒｕｓ）、例えばＰ．ピンシツス（Ｐ．ｐｉｎｓｉｔｕｓ）、フレビア属（Ｐｈｌｅｂｉａ）、例えば、Ｐ．ラジアータ（Ｐ．ｒａｄｉａｔａ）（国際公開第９２／０１０４６号パンフレット）、又はコリオルス属（Ｃｏｒｉｏｌｕｓ）、例えば、Ｃ．ヒルスツス（Ｃ．ｈｉｒｓｕｔｕｓ）（日本特許第２２３８８８５号公報）の株から得られるラッカーゼが挙げられる。細菌由来の好適な例としては、バチルス属（Ｂａｃｉｌｌｕｓ）の株から得られるラッカーゼが挙げられる。ヒヨタケ属（Ｃｏｐｒｉｎｏｐｓｉｓ）又はミセリオフトラ属（Ｍｙｃｅｌｉｏｐｈｔｈｏｒａ）から得られるラッカーゼ；特に、国際公開第９７／０８３２５号パンフレットに開示されるウシグソヒトヨタケ（Ｃｏｐｒｉｎｏｐｓｉｓ  ｃｉｎｅｒｅａ）から得られるラッカーゼ；又は国際公開第９５／３３８３６号パンフレットに開示されるミセリオフトラ・サーモフィラ（Ｍｙｃｅｌｉｏｐｈｔｈｏｒａ  ｔｈｅｒｍｏｐｈｉｌａ）から得られるラッカーゼが好ましい。
【０２７５】
分散剤
本発明のクリーニング組成物はまた、分散剤も含有することができる。特に、粉末洗剤は、分散剤を含んでもよい。好適な水溶性有機材料としては、ホモ−若しくはコポリマー酸又はそれらの塩が挙げられ、ここで、ポリカルボン酸は、２個以下の炭素原子によって相互に分離された少なくとも２つのカルボキシル基を含む。好適な分散剤は、例えば、Ｐｏｗｄｅｒｅｄ  Ｄｅｔｅｒｇｅｎｔｓ，Ｓｕｒｆａｃｔａｎｔ  ｓｃｉｅｎｃｅ  ｓｅｒｉｅｓ  ｖｏｌｕｍｅ  ７１，Ｍａｒｃｅｌ  Ｄｅｋｋｅｒ，Ｉｎｃ．に記載されている。
【０２７６】
移染防止剤
本発明のクリーニング組成物はまた、１種以上の移染防止剤を含んでもよい。好適な高分子移染防止剤としては、これらに限定されないが、ポリビニルピロリドンポリマー、ポリアミンＮ−オキシドポリマー、Ｎ−ビニルピロリドン及びＮ−ビニルイミダゾールのコポリマー、ポリビニルオキサゾリドン及びポリビニルイミダゾール又はこれらの混合物が挙げられる。主題の組成物中に存在する場合、移染防止剤は、組成物の約０．０００１重量％〜約１０重量％、約０．０１重量％〜約５重量％のレベルで、又は約０．１重量％〜約３重量％のレベルでも存在し得る。
【０２７７】
蛍光増白剤
本発明のクリーニング組成物はまた、蛍光増白剤又は光学的光沢剤などのクリーニングされる物品に色合いを付与し得る追加の成分を含有するのが好ましい。存在する場合、光沢剤は、約０．０１％〜約０．５％のレベルであることが好ましい。ランドリー洗剤組成物での使用に好適な任意の蛍光増白剤を本発明の組成物に用いてもよい。最も一般的に用いられる蛍光増白剤は、ジアミノスチルベン−スルホン酸誘導体、ジアリールピラゾリン誘導体及びビスフェニル−ジスチリル誘導体のクラスに属するものである。ジアミノスチルベン−スルホン酸誘導体タイプの蛍光増白剤の例として、４，４’−ビス−（２−ジエタノールアミノ−４−アニリノ−ｓ−トリアジン−６−イルアミノ）スチルベン−２，２’−ジスルホネート、４，４’−ビス−（２，４−ジアニリノ−ｓ−トリアジン−６−イルアミノ）スチルベン−２．２’−ジスルホネート、４，４’−ビス−（２−アニリノ−４−（Ｎ−メチル−Ｎ−２−ヒドロキシ−エチルアミノ）−ｓ−トリアジン−６−イルアミノ）スチルベン−２，２’−ジスルホネート、４，４’−ビス−（４−フェニル−１，２，３−トリアゾール−２−イル）スチルベン−２，２’−ジスルホネート、及びナトリウム５−（２Ｈ−ナフト［１，２−ｄ］［１，２，３］トリアゾール−２−イル）−２−［（Ｅ）−２−フェニルビニル］ベンゼンスルホネートのナトリウム塩が挙げられる。好ましい蛍光増白剤は、Ｃｉｂａ−Ｇｅｉｇｙ  ＡＧ，Ｂａｓｅｌ，Ｓｗｉｔｚｅｒｌａｎｄから市販されているＴｉｎｏｐａｌ  ＤＭＳ及びＴｉｎｏｐａｌ  ＣＢＳである。Ｔｉｎｏｐａｌ  ＤＭＳは、４，４’−ビス−（２−モルホリノ−４−アニリノ−ｓ−トリアジン−６−イルアミノ）スチルベン−２，２’−ジスルホネートのジナトリウム塩である。Ｔｉｎｏｐａｌ  ＣＢＳは、２，２’−ビス−（フェニル−スチリル）−ジスルホネートのジナトリウム塩である。また、好ましい蛍光増白剤は、Ｐａｒａｍｏｕｎｔ  Ｍｉｎｅｒａｌｓ  ａｎｄ  Ｃｈｅｍｉｃａｌｓ，Ｍｕｍｂａｉ，Ｉｎｄｉａ製の市販のＰａｒａｗｈｉｔｅ  ＫＸである。本発明における使用に好適な他の蛍光剤としては、１−３−ジアリールピラゾリン及び７−アルキルアミノクマリンが挙げられる。好適な蛍光光沢剤のレベルは、約０．０１、０．０５、約０．１、或いは約０．２ｗｔ％の下限レベルから、０．５又はさらには０．７５ｗｔ％の上限レベルまでを含む。
【０２７８】
汚れ遊離ポリマー
本発明のクリーニング組成物はまた、綿及びポリエステル系布地などの布地からの汚れの除去、特にポリエステル系布地からの疎水性汚れの除去を補助する１種以上の汚れ遊離ポリマーを含んでもよい。汚れ遊離ポリマーは、例えば、非イオン性又はアニオン性テレフタレート系ポリマー、ポリビニルカプロラクタム及び関連するコポリマー、ビニルグラフトコポリマー、ポリエステルポリアミドであってもよく、例えば、Ｃｈａｐｔｅｒ  ７，Ｐｏｗｄｅｒｅｄ  Ｄｅｔｅｒｇｅｎｔｓ，Ｓｕｒｆａｃｔａｎｔ  ｓｃｉｅｎｃｅ  ｓｅｒｉｅｓ  ｖｏｌｕｍｅ  ７１，Ｍａｒｃｅｌ  Ｄｅｋｋｅｒ，Ｉｎｃ．を参照されたい。別のタイプの汚れ遊離ポリマーは、コア構造と、このコア構造に結合した複数のアルコキシレート基とを含む両親媒性アルコキシル化油脂クリーニングポリマーである。コア構造は、国際公開第２００９／０８７５２３号パンフレット（本明細書において参照により組み込まれる）に詳述されているとおり、ポリアルキレンイミン構造又はポリアルカノールアミン構造を含み得る。さらに、ランダムグラフトコポリマーは、好適な汚れ遊離ポリマーである。好適なグラフトコポリマーは、国際公開第２００７／１３８０５４号パンフレット、国際公開第２００６／１０８８５６号パンフレット及び国際公開第２００６／１１３３１４号パンフレット（本明細書において参照により組み込まれる）において、より詳細に記載されている。好適なポリエチレングリコールポリマーとしては、（ｉ）ポリエチレングリコールを含む親水性骨格；並びに（ｉｉ）Ｃ４〜Ｃ２５アルキル基、ポリプロピレン、ポリブチレン、飽和Ｃ１〜Ｃ６モノ−カルボン酸のビニルエステル、アクリル酸又はメタクリル酸のＣ１〜Ｃ６アルキルエステル、及びこれらの混合物からなる群から選択される側鎖を含むランダムグラフトコポリマーが挙げられる。好適なポリエチレングリコールポリマーは、ランダムグラフトポリビニルアセテート側鎖とのポリエチレングリコール骨格を有する。ポリエチレングリコール骨格の平均分子量は、２，０００Ｄａ〜２０，０００Ｄａ、又は４，０００Ｄａ〜８，０００Ｄａの範囲であり得る。ポリエチレングリコール骨格とポリビニルアセテート側鎖の分子量比は、１：１〜１：５、又は１：１．２〜１：２の範囲であり得る。エチレンオキシド単位当たりのグラフト部位の平均数は、１未満、又は０．８未満であってもよいし、エチレンオキシド単位当たりのグラフト部位の平均数は０．５〜０．９の範囲であってもよいし、エチレンオキシド単位当たりのグラフト部位の平均数は０．１〜０．５又は０．２〜０．４の範囲であってもよい。好適なポリエチレングリコールポリマーは、Ｓｏｋａｌａｎ  ＨＰ２２である。他の汚れ遊離ポリマーは、欧州特許第１８６７８０８号明細書又は国際公開第２００３／０４０２７９号パンフレット（共に本明細書において参照により組み込まれる）に記載されているものなどの変性セルロース誘導体などの特に置換セルロース系構造といった置換多糖類構造である。好適なセルロース系ポリマーとしては、セルロース、セルロースエーテル、セルロースエステル、セルロースアミド及びこれらの混合物が挙げられる。好適なセルロース系ポリマーとしては��アニオン性変性セルロース、非イオン性変性セルロース、カチオン性変性セルロース、双性イオン性変性セルロース、及びこれらの混合物が挙げられる。好適なセルロース系ポリマーとしては、メチルセルロース、カルボキシメチルセルロース、エチルセルロース、ヒドロキシルエチルセルロース、ヒドロキシルプロピルメチルセルロース、エステルカルボキシメチルセルロース及びこれらの混合物が挙げられる。
【０２７９】
再付着防止剤
本発明のクリーニング組成物としてはまた、カルボキシメチルセルロース（ＣＭＣ）、ポリビニルアルコール（ＰＶＡ）、ポリビニルピロリドン（ＰＶＰ）、ポリオキシエチレン及び／又はポリエチレングリコール（ＰＥＧ）、アクリル酸のホモポリマー、アクリル酸とマレイン酸とのコポリマー、並びにエトキシル化ポリエチレンイミンなどの１種以上の再付着防止剤を含んでもよい。前述の汚れ遊離ポリマーの下で、上記セルロース系ポリマーは、再付着防止剤としても機能し得る。
【０２８０】
レオロジー改質剤
本発明のクリーニング組成物は、粘度降下剤とは異なる、１種以上のレオロジー改質剤、構造化剤（ｓｔｒｕｃｔｕｒａｎｔ）又は増粘剤を含んでもよい。レオロジー改質剤は、液体洗剤組成物の水性液体マトリックスにずり流動化特性を付与する、非ポリマー性結晶、ヒドロキシ−機能材料、ポリマー性レオロジー改質剤からなる群から選択される。洗剤のレオロジー及び粘性は、例えば、欧州特許第２１６９０４０号明細書に示されるように、当技術分野で知られる方法により、改変及び調節することができる。
【０２８１】
他の好適なクリーニング組成物成分としては、これらに限定されないが、収縮防止剤、しわ防止剤、殺菌剤、結合剤、キャリア、染料、酵素安定化剤、布地用柔軟剤、充填材、起泡調節剤、ヒドロトロープ、香料、顔料、制泡剤、溶剤、並びに液体洗剤用構造化剤、及び／又は構造弾性化剤が挙げられる。
【０２８２】
洗剤製品の配合
本発明のクリーニング組成物は、例えば、手による又は機械的洗濯洗剤組成物、例えば、汚れた布地の前処理に好適な洗濯添加剤組成物及びすすぎ添加布地用柔軟剤組成物として配合され得るか、或いは一般に家庭の硬質表面クリーニング操作に使用するための洗剤組成物として配合され得るか、或いは手による又は機械的食器洗浄操作のために配合され得る。特定の態様において、本発明は、本明細書に記載されるとおりの１種以上の酵素を含む洗剤添加剤を提供する。本発明のクリーニング組成物は、例えば、バー、均質錠剤、２層以上を有する錠剤、１つ以上のコンパートメントを有するパウチ、定型的又は緻密な粉末、顆粒、ペースト、ゲル、又は定型的、緻密な若しくは濃縮された液体など、任意の好都合な形態であってもよい。
【０２８３】
パウチは、単一又は複数のコンパートメントとして構成することができる。これは、組成物を保持するのに好適な任意の形態、形状及び材料であってもよく、例えば、水との接触前に、パウチから組成物が放出できないようにする。パウチは、内容物を封入する水溶性フィルムから作られる。前記内容物は、パウチのコンパートメントに分割することができる。好ましいフィルムは、ポリマー材料、好ましくは、フィルム又はシートに形成されるポリマーである。好ましいポリマー、コポリマー又はその誘導体は、選択されるポリアクリレート、及び水溶性アクリレートコポリマー、メチルセルロース、カルボキシメチルセルロース、ナトリウムデキストリン、エチルセルロース、ヒドロキシエチルセルロース、ヒドロキシプロピルメチルセルロース、マルトデキストリン、ポリメタクリレートであり、最も好ましくは、ポリビニルアルコールコポリマー及び、ヒドロキシプロピルメチルセルロース（ＨＰＭＣ）である。好ましくは、フィルム中のポリマー、例えば、ＰＶＡのレベルは、少なくとも約６０％である。好ましい平均分子量は通常、約２０，０００〜約１５０，０００となる。フィルムはまた、加水分解により分解可能で、水溶性のポリマーブレンド、例えば、ポリラクチド及びポリビニルアルコール（ＭｏｎｏＳｏｌ  ＬＬＣ，Ｉｎｄｉａｎａ，ＵＳＡから販売される商品名Ｍ８６３０で知られる）と、グリセロール、エチレングリセロール、プロピレングリコール、ソルビトール及びこれらの混合物のような可塑剤などを含むブレンドされた組成物であってもよい。パウチは、水溶性フィルムによって分離された固体洗濯クリーニング組成物若しくは一部分の成分及び／又は液体クリーニング組成物若しくは一部分の成分を含むことができる。液体成分用のコンパートメントは、固体を含有するコンパートメントとは、組成が異なり得る：米国特許出願公開第２００９／００１１９７０Ａ１号明細書。
【０２８４】
洗剤成分は、水溶解性パウチ内のコンパートメントによって又は錠剤の様々な層で、互いに物理的に分離することができる。これにより、成分間の好ましくない貯蔵時の相互作用を回避することができる。コンパートメントの各々の様々な溶解プロファイルによって、洗浄溶液中の選択した成分の溶解遅延を起こすことも可能である。
【０２８５】
単位用量ではない液体又はゲル洗剤は、水溶性であってもよく、通常、少なくとも２０重量％、及び最大９５％の水、例えば、最大約７０％の水、最大約６５％の水、最大約５５％の水、最大約４５％の水、最大約３５％の水を含有する。限定されないが、アルカノール、アミン、ジオール、エーテル及びポリオールなどの他のタイプの液体が、水溶性液体又はゲルに含まれてもよい。水溶性液体又はゲル洗剤は、０〜３０％の有機溶剤を含有し得る。液体又はゲル洗剤は、非水溶性であってもよい。
【０２８６】
顆粒クリーニング配合物
非飛散性顆粒は、例えば米国特許第４，１０６，９９１号明細書及び同第４，６６１，４５２号明細書に開示される方法によって製造してもよく、任意選択により当技術分野で知られる方法によってコーティングしてもよい。ワックスコーティング材料の例としては、平均モル重量が１０００〜２００００のポリ（エチレンオキシド）製品（ポリエチレングリコール、ＰＥＧ）；１６〜５０のエチレンオキシド単位を有するエトキシル化ノニルフェノール；アルコールが１２〜２０個の炭素原子を含有し、且つ１５〜８０のエチレンオキシド単位が存在するエトキシル化脂肪アルコール；脂肪アルコール；脂肪酸；並びに脂肪酸のモノ−及びジ−及びトリグリセリドがある。流動層技術による用途に好適な膜形成コーティング材料の例は、英国特許第１４８３５９１号明細書に記載されている。液体酵素調製物は、例えば、確立された方法に従い、プロピレングリコールなどのポリオール、糖又は糖アルコール、乳酸又はホウ酸を添加することにより安定化させてもよい。保護酵素は、欧州特許第２３８，２１６号明細書に開示されている方法に従って調製され得る。
【０２８７】
ＤＮａｓｅは、顆粒として、例えば１種以上の酵素を組み合わせた複合顆粒として配合してもよい。その際、各酵素は、より多くの顆粒中に存在して、洗剤中への酵素のより均質な分布を確実にすることになる。これはまた、様々な粒径に起因する各種酵素の物理的分離も低減する。洗剤業界用の多酵素複合顆粒を製造する方法は、ＩＰ．ｃｏｍ開示ＩＰＣＯＭ０００２００７３９Ｄに開示されている。
【０２８８】
複合顆粒の使用による酵素の配合の別の例が、国際公開第２０１３／１８８３３１号パンフレットに開示されており、これは、（ａ）多酵素複合顆粒；（ｂ）１０ｗｔ未満のゼオライト（無水物基準）；及び（ｃ）１０ｗｔ未満のリン酸塩（無水物基準）を含む洗剤組成物に関し、ここで、前記酵素複合顆粒は、１０〜９８ｗｔ％の水分シンク（ｍｏｉｓｔｕｒｅ  ｓｉｎｋ）成分を含み、組成物は、さらに、２０〜８０ｗｔ％の洗剤水分シンク成分を含む。多酵素複合顆粒は本発明の酵素、並びにプロテアーゼ、リパーゼ、セルラーゼ、キシログルカナーゼ、ペルヒドロラーゼ、ペルオキシダーゼ、リポキシゲナーゼ、ラクターゼ、ヘミセルラーゼ、プロテアーゼ、セルラーゼ、セロビオースデヒドロゲナーゼ、キシラナーゼ、ホスホリパーゼ、エステラーゼ、クチナ−ゼ、ペクチナーゼ、マンナナーゼ、ペクチン酸リアーゼ、ケラチナーゼ、レダクターゼ、オキシダーゼ、フェノロキシダーゼ、リグニナーゼ、プルラナーゼ、タンナーゼ、ペントサナーゼ、リケナーゼ、グルカナーゼ、アラビノシダーゼ、ヒアルロニダーゼ、コンドロイチナーゼ、アミラーゼ、及びこれらの混合物からなる群から選択される１種以上の酵素を含んでもよい。国際公開第２０１３／１８８３３１号パンフレットはまた、表面、好ましくは布地表面を処理及び／又はクリーニングする方法に関し、この方法は、（ｉ）特許請求の範囲に記載され、また、本明細書に記載される水溶性洗浄液中の洗剤組成物と、前記表面を接触させる工程、（ｉｉ）表面をすすぎ、且つ／又は乾燥させる工程を含む。
【０２８９】
本発明の実施形態は、ＤＮａｓｅ及びプロテアーゼを含む酵素顆粒／粒子に関する。顆粒は、コア、及び任意選択によりコアを取り囲む１種以上のコーティング（外層）で構成される。通常、顆粒の顆粒／粒子サイズは、同等の球体直径（体積基準の平均粒径）として計測して、２０〜２０００μｍ、特に５０〜１５００μｍ、１００〜１５００μｍ又は２５０〜１２００μｍである。コアは、充填材、繊維材（セルロース若しくは合成繊維）、安定化剤、可溶化剤、懸濁剤、粘度調節剤、軽質量の球体、可塑剤、塩、潤滑剤及び芳香剤などの追加の材料を含んでもよい。コアは、合成ポリマー、ワックス、脂肪、又は炭水化物などの結合剤を含んでもよい。コアは、多価カチオンの塩、還元剤、抗酸化剤、過酸化物分解触媒及び／又は酸性緩衝剤成分を、典型的には均質なブレンドとして含んでもよい。コアは、酵素が内部に吸収される不活性粒子、又は例えば、流動層コーティングにより、酵素が表面に塗布される不活性粒子からなり得る。コアは、２０〜２０００μｍ、特に５０〜１５００μｍ、１００〜１５００μｍ又は２５０〜１２００μｍの直径を有し得る。コアは、例えば、結晶化、沈殿、パンコーティング、流動層コーティング、流動層凝集、回転噴霧、押出、噴射、球形化、破砕法、ドラム造粒、及び／又は高せん断造粒などの造粒技術を含む方法によって、成分のブレンドを造粒することにより調製することができる。
【０２９０】
コアを調製する方法は、Ｈａｎｄｂｏｏｋ  ｏｆ  Ｐｏｗｄｅｒ  Ｔｅｃｈｎｏｌｏｇｙ；Ｐａｒｔｉｃｌｅ  ｓｉｚｅ  ｅｎｌａｒｇｅｍｅｎｔ  ｂｙ  Ｃ．Ｅ．Ｃａｐｅｓ；Ｖｏｌｕｍｅ  １；１９８０；Ｅｌｓｅｖｉｅｒに見出すことができる。
【０２９１】
例えば、貯蔵安定性を向上させる、取り扱い中の粉塵形成を低減する、又は顆粒を着色するために、酵素顆粒／粒子のコアを少なくとも１つのコーティングによって被覆してもよい。任意選択のコーティングとしては、塩コーティング、又はポリエチレングリコール（ＰＥＧ）、メチルヒドロキシ−プロピルセルロース（ＭＨＰＣ）及びポリビニルアルコール（ＰＶＡ）などの他の好適なコーティング材料が挙げられ得る。多層コーティングを有する酵素顆粒の例は、国際公開第９３／０７２６３号パンフレット及び国際公開第９７／２３６０６号パンフレットに示されている。コーティングは、コアの少なくとも０．１重量％、例えば、少なくとも０．５％、１％又は５％などの量で塗布してよい。この量は、最大１００％、７０％、５０％、４０％又は３０％であってもよい。コーティングは、厚さが少なくとも０．１μｍ、特に少なくとも０．５μｍ、少なくとも１μｍ又は少なくとも５μｍであるのが好ましい。一実施形態では、コーティングの厚さは、１００μｍ未満である。別の実施形態では、コーティングの厚さは、６０μｍ未満である。よりいっそう具体的な実施形態では、コーティングの厚さの合計は、４０μｍ未満である。コーティングは、実質的に連続した層を形成することによって、コアユニットを被包する必要がある。実質的に連続した層とは、それが被包する／封入されるコアユニットが、被覆されていない箇所がほとんどないか、又は一切ないように、孔がほとんどないか、又は全くないコーティングとして理解すべきである。層又はコーティングは、厚さが均一でなければならない。コーティングはさらに、当技術分野で知られる他の材料、例えば、充填材、固着防止剤、顔料、染料、可塑剤及び／又は結合剤、例えば、二酸化チタン、カオリン、炭酸カルシウム若しくはタルクを含有することができる。塩コーティングは、少なくとも６０重量ｗ／ｗ％、例えば、少なくとも６５重量％、少なくとも７０重量％、少なくとも７５重量％、少なくとも８０重量％、少なくとも８５重量％、少なくとも９０重量％、少なくとも９５重量％又は少なくとも９９重量ｗ／ｗ％の塩を含み得る。塩は、塩を完全に溶解させた塩溶液、又は微粒子が、１０μｍ未満若しくは５μｍ未満など、５０μｍ未満である塩懸濁液から添加してもよい。塩コーティングは、単一の塩又は３種以上の塩の混合物を含んでもよい。塩は、水溶性であり、２０℃で１００ｇの水中で少なくとも０．１グラム、好ましくは、水１００ｇ当たり少なくとも０．５ｇ、例えば、水１００ｇ当たり少なくとも１ｇ、例えば、水１００ｇ当たり少なくとも５ｇの溶解度を有し得る。塩は、無機塩、例えば、硫酸塩、亜硫酸塩、リン酸塩、ホスホン酸塩、硝酸塩、塩化物若しくは炭酸塩の塩、又はクエン酸塩、マロン酸塩若しくは酢酸塩などの単純な有機酸（炭素数１０未満、例えば、炭素数６以下）の塩であってもよい。これらの塩のカチオンの例は、アルカリ若しくはアルカリ土類金属イオン、ナトリウム、カリウム、マグネシウム、カルシウム、亜鉛若しくはアルミニウムなどの第一遷移金属のアンモニウムイオン又は金属イオンである。アニオンの例としては、塩化物、臭化物、ヨウ化物、硫酸塩、亜硫酸塩、重亜硫酸塩、チオ硫酸塩、リ���酸塩、一塩基リン酸塩、二塩基リン酸塩、次亜リン酸塩、ピロリン酸二水素、四ホウ酸塩、ホウ酸塩、炭酸塩、重炭酸塩、メタケイ酸塩、クエン酸塩、リンゴ酸塩、マレイン酸塩、マロン酸塩、コハク酸塩、乳酸塩、ギ酸塩、酢酸塩、酪酸塩、プロピオン酸塩、安息香酸塩、酒石酸塩、アスコルビン酸塩又はグルコン酸塩が挙げられる。特に、硫酸塩、亜硫酸塩、リン酸塩、ホスホン酸塩、硝酸塩、塩化物若しくは炭酸塩のアルカリ若しくはアルカリ土類金属塩、又はクエン酸塩、マロン酸塩若しくは酢酸塩などの単純な有機酸の塩が使用され得る。コーティング中の塩は、２０℃で６０％超、特に、７０％超、８０％超若しくは８５％超の定湿度を有するか、又はこうした塩の別の水和物形態（例えば、無水物）であってもよい。塩コーティングは、国際公開第００／０１７９３号パンフレット又は国際公開第２００６／０３４７１０号パンフレットに記載されているとおりであってもよい。好適な塩の具体的例としては、ＮａＣｌ（ＣＨ２０℃＝７６％）、Ｎａ２ＣＯ３（ＣＨ２０℃＝９２％）、ＮａＮＯ３（ＣＨ２０℃＝７３％）、Ｎａ２ＨＰＯ４（ＣＨ２０℃＝９５％）、Ｎａ３ＰＯ４（ＣＨ２５℃＝９２％）、ＮＨ４Ｃｌ（ＣＨ２０℃＝７９．５％）、（ＮＨ４）２ＨＰＯ４（ＣＨ２０℃＝９３．０％）、ＮＨ４Ｈ２ＰＯ４（ＣＨ２０℃＝９３．１％）、（ＮＨ４）２ＳＯ４（ＣＨ２０℃＝８１．１％）、ＫＣｌ（ＣＨ２０℃＝８５％）、Ｋ２ＨＰＯ４（ＣＨ２０℃＝９２％）、ＫＨ２ＰＯ４（ＣＨ２０℃＝９６．５％）、ＫＮＯ３（ＣＨ２０℃＝９３．５％）、Ｎａ２ＳＯ４（ＣＨ２０℃＝９３％）、Ｋ２ＳＯ４（ＣＨ２０℃＝９８％）、ＫＨＳＯ４（ＣＨ２０℃＝８６％）、ＭｇＳＯ４（ＣＨ２０℃＝９０％）、ＺｎＳＯ４（ＣＨ２０℃＝９０％）及びクエン酸ナトリウム（ＣＨ２５℃＝８６％）がある。その他の例としては、ＮａＨ２ＰＯ４、（ＮＨ４）Ｈ２ＰＯ４、ＣｕＳＯ４、Ｍｇ（ＮＯ３）２及び酢酸マグネシウムが挙げられる。塩は、無水形態であってもよいし、又は水和塩、すなわち国際公開第９９／３２５９５号パンフレットに記載されているものなど、結晶化の結合水を含む結晶塩水和物であってもよい。具体的な例としては、無水硫酸ナトリウム（Ｎａ２ＳＯ４）、無水硫酸マグネシウム（ＭｇＳＯ４）、硫酸マグネシウム七水和物（ＭｇＳＯ４・７Ｈ２Ｏ）、硫酸亜鉛七水和物（ＺｎＳＯ４・７Ｈ２Ｏ）、第二リン酸水素ナトリウム七水和物（Ｎａ２ＨＰＯ４・７Ｈ２Ｏ）、硝酸マグネシウム六水和物（Ｍｇ（ＮＯ３）２（６Ｈ２Ｏ））、クエン酸ナトリウム二水和物及び酢酸マグネシウム四水和物が挙げられる。好ましくは、塩は、例えば、流動層を用いて塩の溶液として適用される。
【０２９２】
本発明の一実施形態は、顆粒を提供し、これは：
（ａ）本発明のＤＮａｓｅ及びプロテアーゼを含むコア、及び
（ｂ）任意選択により、コアを取り囲む１つ以上の層からなるコーティング
を含む。
【０２９３】
本発明の一実施形態は、顆粒に関し、これは：
（ａ）ＤＮａｓｅ及びプロテアーゼを含むコア（プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する）、並びに
（ｂ）任意選択により、コアを取り囲む１つ以上の層からなるコーティングを含む。
【０２９４】
本発明の一実施形態は、顆粒に関し、これは：
（ａ）ＤＮａｓｅ及びプロテアーゼを含むコア（プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する）、並びに
（ｂ）任意選択により、コアを取り囲む１つ以上の層からなるコーティング
を含む。
【０２９５】
本発明の一実施形態は、顆粒に関し、これは：
（ａ）ＤＮａｓｅ及びプロテアーゼを含むコア（プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する）、並びに
（ｂ）任意選択により、コアを取り囲む１つ以上の層からなるコーティングを含む。
【０２９６】
本発明の一実施形態は、顆粒に関し、これは：
（ａ）ＤＮａｓｅ及びプロテアーゼを含むコア（プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する）、並びに
（ｂ）任意選択により、コアを取り囲む１つ以上の層からなるコーティング
を含む。
【０２９７】
本発明の一実施形態は、顆粒に関し、これは：
（ａ）ＤＮａｓｅ及びプロテアーゼを含むコア（プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する）、並びに
（ｂ）任意選択により、コアを取り囲む１つ以上の層からなるコーティング
を含む。
【０２９８】
本発明の一実施形態は、顆粒に関し、これは：
（ａ）ＤＮａｓｅ及びプロテアーゼを含むコア（プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する）、並びに
（ｂ）任意選択により、コアを取り囲む１つ以上の層からなるコーティング
を含む。
【０２９９】
用途
本発明はまた、その組成物を使用するための方法を対象とする。洗濯物／織物／布地（家庭の洗濯洗浄、工業用の洗濯洗浄）。硬質表面クリーニング（ＡＤＷ、車両洗浄、工業用の表面）。本発明のクリーニング、例えば洗剤組成物は、例えば、手による又は機械的洗濯洗剤組成物、例えば、汚れた布地の前処理に好適な洗濯添加剤組成物及びすすぎ添加布地用柔軟剤組成物として配合され得るか、或いは一般に家庭の硬質表面クリーニング操作に使用するための洗剤組成物として配合され得るか、或いは手による又は機械的食器洗浄操作のために配合され得る。特定の態様において、本発明は、本明細書に記載されるとおりの１種以上の酵素を含む洗剤添加剤を提供する。
【０３００】
本発明の組成物は、ＤＮａｓｅ及びプロテアーゼの混合物を含み、且つ織物及び硬質の表面、例えば食器類などの表面からタンパク質及びＤＮＡなどの有機成分を効率的に減少させるか、又は除去する。
【０３０１】
本発明の一実施形態は、再付着の低減のためのＤＮａｓｅ及びプロテアーゼを含む組成物の使用に関する。本発明の一実施形態は、再付着の低減のためのＤＮａｓｅ及びプロテアーゼを含むクリーニング組成物の使用に関する。
【０３０２】
本発明の一実施形態は、クリーニング組成物が、例えば洗濯プロセスにおいて適用される場合の、再付着の低減のためのＤＮａｓｅ及びプロテアーゼを含むクリーニング組成物の使用に関する。本発明の一実施形態は、物品、例えば織物上での再付着の低減のためのＤＮａｓｅ及びプロテアーゼを含むクリーニング組成物の使用に関する。一実施形態では、組成物は、再付着防止組成物である。
【０３０３】
本発明の一実施形態は、再付着の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３０４】
本発明の一実施形態は、再付着の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、バチルス属（Ｂａｃｉｌｌｕｓ）、好ましくは、バチルス・シービー（Ｂａｃｉｌｌｕｓ  ｃｉｂｉ）、バチルス・ホリコシイ（Ｂａｃｉｌｌｕｓ  ｈｏｒｉｋｏｓｈｉｉ）、バチルス・リケニフォルミス（Ｂａｃｉｌｌｕｓ  ｌｉｃｈｅｎｉｆｏｒｍｉｓ）、バチルス・サブティリス（Ｂａｃｉｌｌｕｓ  ｓｕｂｔｉｌｉｓ）、バチルス・ホルネッキアエ（Ｂａｃｉｌｌｕｓ  ｈｏｒｎｅｃｋｉａｅ）、バチルス・アイドリエンシス（Ｂａｃｉｌｌｕｓ  ｉｄｒｉｅｎｓｉｓ）、バチルス・アルギコーラ（Ｂａｃｉｌｌｕｓ  ａｌｇｉｃｏｌａ）、バチルス・ベトナメンシス（Ｂａｃｉｌｌｕｓ  ｖｉｅｔｎａｍｅｎｓｉｓ）、バチルス・ヒュワジンポエンシス（Ｂａｃｉｌｌｕｓ  ｈｗａｊｉｎｐｏｅｎｓｉｓ）、バチルス・インディカス（Ｂａｃｉｌｌｕｓ  ｉｎｄｉｃｕｓ）、バチルス・マリスフラビ（Ｂａｃｉｌｌｕｓ  ｍａｒｉｓｆｌａｖｉ）又はバチルス・ルシフェレンシス（Ｂａｃｉｌｌｕｓ  ｌｕｃｉｆｅｒｅｎｓｉｓ）から得られる。
【０３０５】
本発明の一実施形態は、再付着の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、バチルス属（Ｂａｃｉｌｌｕｓ）から得られ、且つモチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）の一方又は両方を含む。
【０３０６】
本発明の一実施形態は、再付着の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３０７】
本発明の一実施形態は、再付着の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３０８】
本発明の一実施形態は、再付着の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３０９】
本発明の一実施形態は、再付着の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３１０】
本発明の一実施形態は、再付着の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３１１】
本発明の組成物は、ＤＮａｓｅ及びプロテアーゼの混合物を含み、且つ例えば織物又は食器類などの硬質の表面の悪臭を効率的に減少させるか、又は制限する。
【０３１２】
本発明の一実施形態は、悪臭の低減のためのＤＮａｓｅ及びプロテアーゼを含む組成物の使用に関する。本発明の一実施形態は、悪臭の低減のためのＤＮａｓｅ及びプロテアーゼを含むクリーニング組成物の使用に関する。
【０３１３】
本発明の一実施形態は、クリーニング組成物が、例えば洗濯プロセスにおいて適用される場合の、悪臭の低減のためのＤＮａｓｅ及びプロテアーゼを含むクリーニング組成物の使用に関する。本発明の一実施形態は、物品、例えば織物上での悪臭の低減のためのＤＮａｓｅ及びプロテアーゼを含むクリーニング組成物の使用に関する。
【０３１４】
本発明の一実施形態は、悪臭の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３１５】
本発明の一実施形態は、悪臭の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、バチルス属（Ｂａｃｉｌｌｕｓ）、好ましくは、バチルス・シービー（Ｂａｃｉｌｌｕｓ  ｃｉｂｉ）、バチルス・ホリコシイ（Ｂａｃｉｌｌｕｓ  ｈｏｒｉｋｏｓｈｉｉ）、バチルス・リケニフォルミス（Ｂａｃｉｌｌｕｓ  ｌｉｃｈｅｎｉｆｏｒｍｉｓ）、バチルス・サブティリス（Ｂａｃｉｌｌｕｓ  ｓｕｂｔｉｌｉｓ）、バチルス・ホルネッキアエ（Ｂａｃｉｌｌｕｓ  ｈｏｒｎｅｃｋｉａｅ）、バチルス・アイドリエンシス（Ｂａｃｉｌｌｕｓ  ｉｄｒｉｅｎｓｉｓ）、バチルス・アルギコーラ（Ｂａｃｉｌｌｕｓ  ａｌｇｉｃｏｌａ）、バチルス・ベトナメンシス（Ｂａｃｉｌｌｕｓ  ｖｉｅｔｎａｍｅｎｓｉｓ）、バチルス・ヒュワジンポエンシス（Ｂａｃｉｌｌｕｓ  ｈｗａｊｉｎｐｏｅｎｓｉｓ）、バチルス・インディカス（Ｂａｃｉｌｌｕｓ  ｉｎｄｉｃｕｓ）、バチルス・マリスフラビ（Ｂａｃｉｌｌｕｓ  ｍａｒｉｓｆｌａｖｉ）又はバチルス・ルシフェレンシス（Ｂａｃｉｌｌｕｓ  ｌｕｃｉｆｅｒｅｎｓｉｓ）から得られる。
【０３１６】
本発明の一実施形態は、悪臭の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、バチルス属（Ｂａｃｉｌｌｕｓ）から得られ、且つモチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）の一方又は両方を含む。
【０３１７】
本発明の一実施形態は、悪臭の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３１８】
本発明の一実施形態は、悪臭の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３１９】
本発明の一実施形態は、悪臭の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３２０】
本発明の一実施形態は、悪臭の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３２１】
本発明の一実施形態は、悪臭の低減のためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３２２】
本発明の組成物は、ＤＮａｓｅ及びプロテアーゼの混合物を含み、且つ織物の白色度を向上させる。本発明の一実施形態は、物品、例えば織物の白色度を向上させるためのＤＮａｓｅ及びプロテアーゼを含む組成物の使用に関する。本発明の一実施形態は、白色度を向上させるためのＤＮａｓｅ及びプロテアーゼを含むクリーニング組成物の使用に関する。本発明の一実施形態は、クリーニング組成物が、例えば洗濯プロセスにおいて適用される場合に、白色度を向上させるＤＮａｓｅ及びプロテアーゼを含むクリーニング組成物の使用に関する。本発明の一実施形態は、物品、例えば織物の白色度を向上させるＤＮａｓｅ及びプロテアーゼを含むクリーニング組成物の使用に関する。
【０３２３】
本発明の一実施形態は、白色度を向上させるためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３２４】
本発明の一実施形態は、白色度を向上させるためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、バチルス属（Ｂａｃｉｌｌｕｓ）、好ましくは、バチルス・シービー（Ｂａｃｉｌｌｕｓ  ｃｉｂｉ）、バチルス・ホリコシイ（Ｂａｃｉｌｌｕｓ  ｈｏｒｉｋｏｓｈｉｉ）、バチルス・リケニフォルミス（Ｂａｃｉｌｌｕｓ  ｌｉｃｈｅｎｉｆｏｒｍｉｓ）、バチルス・サブティリス（Ｂａｃｉｌｌｕｓ  ｓｕｂｔｉｌｉｓ）、バチルス・ホルネッキアエ（Ｂａｃｉｌｌｕｓ  ｈｏｒｎｅｃｋｉａｅ）、バチルス・アイドリエンシス（Ｂａｃｉｌｌｕｓ  ｉｄｒｉｅｎｓｉｓ）、バチルス・アルギコーラ（Ｂａｃｉｌｌｕｓ  ａｌｇｉｃｏｌａ）、バチルス・ベトナメンシス（Ｂａｃｉｌｌｕｓ  ｖｉｅｔｎａｍｅｎｓｉｓ）、バチルス・ヒュワジンポエンシス（Ｂａｃｉｌｌｕｓ  ｈｗａｊｉｎｐｏｅｎｓｉｓ）、バチルス・インディカス（Ｂａｃｉｌｌｕｓ  ｉｎｄｉｃｕｓ）、バチルス・マリスフラビ（Ｂａｃｉｌｌｕｓ  ｍａｒｉｓｆｌａｖｉ）又はバチルス・ルシフェレンシス（Ｂａｃｉｌｌｕｓ  ｌｕｃｉｆｅｒｅｎｓｉｓ）から得られる。
【０３２５】
本発明の一実施形態は、白色度を向上させるためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、バチルス属（Ｂａｃｉｌｌｕｓ）から得られ、且つモチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）の一方又は両方を含む。
【０３２６】
本発明の一実施形態は、白色度を向上させるためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３２７】
本発明の一実施形態は、白色度を向上させるためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３２８】
本発明の一実施形態は、白色度を向上させるためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３２９】
本発明の一実施形態は、白色度を向上させるためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３３０】
本発明の一実施形態は、白色度を向上させるためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３３１】
本発明の組成物は、ＤＮａｓｅ及びプロテアーゼの混合物を含み、且つ織物及び硬質の表面、例えば食器類などの表面からタンパク質及びＤＮＡなどの有機成分を効率的に減少させるか、又は除去する。本発明の一実施形態は、物品からのバイオフィルム並びにＤＮＡ及びプロテアーゼなどのバイオフィルムの成分の低減又は除去のための、ＤＮａｓｅ、プロテアーゼ及び少なくとも１種のクリーニング成分を含むクリーニング組成物の使用に関し、ここで、物品は織物又は硬質の表面である。
【０３３２】
本発明の一実施形態は、物品のディープクリーニングのためのＤＮａｓｅ、プロテアーゼ及び少なくとも１種のクリーニング成分を含むクリーニング組成物の使用に関し、ここで、物品は織物又は表面である。
【０３３３】
本発明の一実施形態は、物品からのＤＮＡ及びプロテアーゼなどのバイオフィルム化合物の低減又は除去のためのＤＮａｓｅ及びプロテアーゼを含む組成物の使用に関する。本発明の一実施形態は、織物などの物品からのＤＮＡ及びプロテアーゼなどのバイオフィルム化合物の低減又は除去のための、ＤＮａｓｅ及びプロテアーゼを含むクリーニング組成物の使用に関する。本発明の一実施形態は、クリーニング組成物が、例えば洗濯プロセスにおいて適用される場合の、ディープクリーニング、例えば、ＤＮＡ及びプロテアーゼなどのバイオフィルム化合物の低減又は除去のためのＤＮａｓｅ及びプロテアーゼを含むクリーニング組成物の使用に関する。
【０３３４】
本発明の一実施形態は、物品のディープクリーニングのためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３３５】
本発明の一実施形態は、物品のディープクリーニングのためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、バチルス属（Ｂａｃｉｌｌｕｓ）、好ましくは、バチルス・シービー（Ｂａｃｉｌｌｕｓ  ｃｉｂｉ）、バチルス・ホリコシイ（Ｂａｃｉｌｌｕｓ  ｈｏｒｉｋｏｓｈｉｉ）、バチルス・リケニフォルミス（Ｂａｃｉｌｌｕｓ  ｌｉｃｈｅｎｉｆｏｒｍｉｓ）、バチルス・サブティリス（Ｂａｃｉｌｌｕｓ  ｓｕｂｔｉｌｉｓ）、バチルス・ホルネッキアエ（Ｂａｃｉｌｌｕｓ  ｈｏｒｎｅｃｋｉａｅ）、バチルス・アイドリエンシス（Ｂａｃｉｌｌｕｓ  ｉｄｒｉｅｎｓｉｓ）、バチルス・アルギコーラ（Ｂａｃｉｌｌｕｓ  ａｌｇｉｃｏｌａ）、バチルス・ベトナメンシス（Ｂａｃｉｌｌｕｓ  ｖｉｅｔｎａｍｅｎｓｉｓ）、バチルス・ヒュワジンポエンシス（Ｂａｃｉｌｌｕｓ  ｈｗａｊｉｎｐｏｅｎｓｉｓ）、バチルス・インディカス（Ｂａｃｉｌｌｕｓ  ｉｎｄｉｃｕｓ）、バチルス・マリスフラビ（Ｂａｃｉｌｌｕｓ  ｍａｒｉｓｆｌａｖｉ）又はバチルス・ルシフェレンシス（Ｂａｃｉｌｌｕｓ  ｌｕｃｉｆｅｒｅｎｓｉｓ）から得られる。
【０３３６】
本発明の一実施形態は、物品のディープクリーニングのためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、ＤＮａｓｅは、バチルス属（Ｂａｃｉｌｌｕｓ）から得られ、且つモチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）の一方又は両方を含む。
【０３３７】
本発明の一実施形態は、物品のディープクリーニングのためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３３８】
本発明の一実施形態は、物品のディープクリーニングのためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３３９】
本発明の一実施形態は、物品のディープクリーニングのためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３４０】
本発明の一実施形態は、物品のディープクリーニングのためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３４１】
本発明の一実施形態は、物品のディープクリーニングのためのＤＮａｓｅ及びプロテアーゼを含むクリーニング組成物の使用に関し、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有し、且つＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３４２】
本発明はさらに、物品のディープクリーニングの方法に関し、ここで、物品は織物であり得るか、又は硬質の表面は、好ましくは織物である。
【０３４３】
本発明の一実施形態は、物品のディープクリーニングの方法に関し、
ａ）物品を本発明によるクリーニング組成物と接触させる工程；及び
ｂ）任意選択により物品をすすぐ工程であって、物品が好ましくは織物である工程
を含む。
【０３４４】
本発明の一実施形態は、物品のディープクリーニングの方法に関し、
ａ）ＤＮａｓｅ及びプロテアーゼ；並びにクリーニング成分を含む酵素混合物を含む溶液と物品を接触させる工程であって、クリーニング成分が、０．１〜１５ｗｔ％の少なくとも１種の界面活性剤；０．５〜２０ｗｔ％の少なくとも１種のビルダー；及び０．０１〜１０ｗｔ％の少なくとも１種の漂白剤成分から選択される工程；並びに
ｂ）任意選択により物品をすすぐ工程であって、物品が好ましくは織物である工程
を含む。
【０３４５】
本発明の一実施形態は、物品のディープクリーニングの方法に関し、
ａ）ＤＮａｓｅ及びプロテアーゼ；並びにクリーニング成分を含む酵素混合物を含む溶液と物品を接触させる工程であって、クリーニング成分が、０．１〜５０ｗｔ％の少なくとも１種の界面活性剤；０．５〜３０ｗｔ％の少なくとも１種のビルダー；及び０．０１〜２０ｗｔ％の少なくとも１種の漂白剤成分から選択される工程；並びに
ｂ）任意選択により物品をすすぐ工程であって、物品が好ましくは織物である工程を含み、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％又は少なくとも９８％の配列同一性を有する。
【０３４６】
本発明の一実施形態は、物品のディープクリーニングの方法に関し、
ａ）ＤＮａｓｅ及びプロテアーゼ；並びにクリーニング成分を含む酵素混合物を含む溶液と物品を接触させる工程であって、クリーニング成分が、０．１〜５０ｗｔ％の少なくとも１種の界面活性剤；０．５〜３０ｗｔ％の少なくとも１種のビルダー；及び０．０１〜２０ｗｔ％の少なくとも１種の漂白剤成分から選択される工程；並びに
ｂ）任意選択により物品をすすぐ工程であって、物品が好ましくは織物である工程を含み、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％又は少なくとも９８％の配列同一性を有し、ＤＮａｓｅは、配列番号１３に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３４７】
本発明の一実施形態は、物品のディープクリーニングの方法に関し、
ａ）ＤＮａｓｅ及びプロテアーゼ；並びにクリーニング成分を含む酵素混合物を含む溶液と物品を接触させる工程であって、クリーニング成分が、０．１〜５０ｗｔ％の少なくとも１種の界面活性剤；０．５〜３０ｗｔ％の少なくとも１種のビルダー；及び０．０１〜２０ｗｔ％の少なくとも１種の漂白剤成分から選択される工程；並びに
ｂ）任意選択により物品をすすぐ工程であって、物品が好ましくは織物である工程を含み、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％又は少なくとも９８％の配列同一性を有し、ＤＮａｓｅは、配列番号６５に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３４８】
本発明の一実施形態は、物品のディープクリーニングの方法に関し、
ａ）ＤＮａｓｅ及びプロテアーゼ；並びにクリーニング成分を含む酵素混合物を含む溶液と物品を接触させる工程であって、クリーニング成分が、０．１〜５０ｗｔ％の少なくとも１種の界面活性剤；０．５〜３０ｗｔ％の少なくとも１種のビルダー；及び０．０１〜２０ｗｔ％の少なくとも１種の漂白剤成分から選択される工程；並びに
ｂ）任意選択により物品をすすぐ工程であって、物品が好ましくは織物である工程を含み、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％又は少なくとも９８％の配列同一性を有し、ＤＮａｓｅは、配列番号６６に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３４９】
本発明の一実施形態は、物品のディープクリーニングの方法に関し、
ａ）ＤＮａｓｅ及びプロテアーゼ；並びにクリーニング成分を含む酵素混合物を含む溶液と物品を接触させる工程であって、クリーニング成分が、０．１〜５０ｗｔ％の少なくとも１種の界面活性剤；０．５〜３０ｗｔ％の少なくとも１種のビルダー；及び０．０１〜２０ｗｔ％の少なくとも１種の漂白剤成分から選択される工程；並びに
ｂ）任意選択により物品をすすぐ工程であって、物品が好ましくは織物である工程を含み、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％又は少なくとも９８％の配列同一性を有し、ＤＮａｓｅは、配列番号６７に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３５０】
本発明の一実施形態は、物品のディープクリーニングの方法に関し、
ａ）ＤＮａｓｅ及びプロテアーゼ；並びにクリーニング成分を含む酵素混合物を含む溶液と物品を接触させる工程であって、クリーニング成分が、０．１〜５０ｗｔ％の少なくとも１種の界面活性剤；０．５〜３０ｗｔ％の少なくとも１種のビルダー；及び０．０１〜２０ｗｔ％の少なくとも１種の漂白剤成分から選択される工程；並びに
ｂ）任意選択により物品をすすぐ工程であって、物品が好ましくは織物である工程を含み、プロテアーゼは、配列番号７９、配列番号８０、配列番号８１、配列番号８２、配列番号８３、配列番号８４、配列番号８５又は配列番号８６に示されるアミノ酸配列と少なくとも６０％、少なくとも６５％、少なくとも７０％、少なくとも７５％、少なくとも８０％、少なくとも８５％、少なくとも９０％、少なくとも９５％又は少なくとも９８％の配列同一性を有し、ＤＮａｓｅは、配列番号６８に示されるアミノ酸配列と少なくとも６０％、少なくとも６５％、少なくとも７０％、少なくとも７５％、少なくとも８０％、少なくとも８５％、少なくとも９０％、少なくとも９５％、少なくとも９８％又は１００％の配列同一性を有する。
【０３５１】
定義
バイオフィルムは、細胞が互いに張り付くか、又は織物、食器類又は硬質の表面若しくは別の種類の表面などの表面に張り付くいずれかの微生物群によって産生される。これらの接着細胞は、細胞外ポリマー物質（ＥＰＳ）の自己生成マトリクス内に包埋されていることが多い。バイオフィルムＥＰＳは、一般に、細胞外ＤＮＡ、タンパク質、及び多糖類で構成される高分子集塊である。バイオフィルムは、生存又は非生存表面上に形成し得る。バイオフィルム内で増殖する微生物細胞は、対照的に液体媒体中に浮遊又は泳動し得る単細胞である同じ生物の浮遊細胞とは生理学的に異なる。
【０３５２】
バイオフィルム内に生存する細菌は通常、フィルムの高密度且つ保護された環境によって、それらが多様な方法で協同及び相互作用することが可能になるため、同じ種の浮遊性細菌とは著しく異なる特性を有する。微生物のためのこの環境の１つの利点は、高密度の細胞外マトリックス及び細胞の外層が集団の内部を保護するために、洗剤及び抗生物質に対する耐性が増大することである。
【０３５３】
洗濯物上において、バイオフィルム産生細菌は、以下の種に見出され得る：アシネトバクター属（Ａｃｉｎｅｔｏｂａｃｔｅｒ  ｓｐ．）、アエロミクロビウム属（Ａｅｒｏｍｉｃｒｏｂｉｕｍ  ｓｐ．）、ブレブンディモナス属（Ｂｒｅｖｕｎｄｉｍｏｎａｓ  ｓｐ．）、ミクロバクテリウム属（Ｍｉｃｒｏｂａｃｔｅｒｉｕｍ  ｓｐ．）、ミクロコッカス・ルテウス（Ｍｉｃｒｏｃｏｃｃｕｓ  ｌｕｔｅｕｓ）、シュードモナス属（Ｐｓｅｕｄｏｍｏｎａｓ  ｓｐ．）、スタフィロコッカス・エピデルミディス（Ｓｔａｐｈｙｌｏｃｏｃｃｕｓ  ｅｐｉｄｅｒｍｉｄｉｓ）、及びステノトロホモナス属（Ｓｔｅｎｏｔｒｏｐｈｏｍｏｎａｓ  ｓｐ．）。硬質表面上において、バイオフィルム産生細菌としては、以下の種に見出され得る：アシネトバクター属（Ａｃｉｎｅｔｏｂａｃｔｅｒ  ｓｐ．）、アエロミクロビウム属（Ａｅｒｏｍｉｃｒｏｂｉｕｍ  ｓｐ．）、ブレブンディモナス属（Ｂｒｅｖｕｎｄｉｍｏｎａｓ  ｓｐ．）、ミクロバクテリウム属（Ｍｉｃｒｏｂａｃｔｅｒｉｕｍ  ｓｐ．）、ミクロコッカス・ルテウス（Ｍｉｃｒｏｃｏｃｃｕｓ  ｌｕｔｅｕｓ）、シュードモナス属（Ｐｓｅｕｄｏｍｏｎａｓ  ｓｐ．）、スタフィロコッカス・エピデルミディス（Ｓｔａｐｈｙｌｏｃｏｃｃｕｓ  ｅｐｉｄｅｒｍｉｄｉｓ）、スタフィロコッカス・アウレウス（Ｓｔａｐｈｙｌｏｃｏｃｃｕｓ  ａｕｒｅｕｓ）及びステノトロホモナス属（Ｓｔｅｎｏｔｒｏｐｈｏｍｏｎａｓ  ｓｐ．）。一態様では、バイオフィルム産生株は、ブレブンディモナス属（Ｂｒｅｖｕｎｄｉｍｏｎａｓ  ｓｐ．）である。一態様では、バイオフィルム産生株は、シュードモナス・アルカリフィラ（Ｐｓｅｕｄｏｍｏｎａｓ  ａｌｃａｌｉｐｈｉｌａ）又はシュードモナス・フルオレッセンス（Ｐｓｅｕｄｏｍｏｎａｓ  ｆｌｕｏｒｅｓｃｅｎｓ）である。一態様では、バイオフィルム産生株は、スタフィロコッカス・アウレウス（Ｓｔａｐｈｙｌｏｃｏｃｃｕｓ  ａｕｒｅｕｓ）である。
【０３５４】
「ディープクリーニング」という用語は、例えば、有機物中に存在する多糖類、タンパク質、ＤＮＡ、汚れ又は他の成分などの有機物、例えばバイオフィルム中に含まれ得る成分の減少、破壊又は除去を意味する。
【０３５５】
クリーニング成分：クリーニング成分、例えば、洗剤補助成分は、ＤＮａｓｅ及びプロテアーゼ酵素とは異なる。これらの追加のクリーニング成分、例えば補助成分の厳密な性質、並びにその含有レベルは、組成物の物理的形態及びそれを用いようとする操作の性質に応じて変動することになる。好適なクリーニング成分、例えば補助成分としては、限定されないが、下記の成分、例えば、界面活性剤、ビルダー、凝集助剤、キレート化剤、移染防止剤、酵素、酵素安定化剤、酵素阻害剤、触媒材料、漂白活性化剤、過酸化水素、過酸化水素供給源、事前形成された過酸、高分子剤、泥汚れ除去／再付着防止剤、光沢剤、制泡剤、染料、香料、構造弾性化剤、布地用柔軟剤、キャリア、ヒドロトロープ、ビルダー及びコビルダー、布地色相剤、消泡剤、分散剤、加工助剤、及び／又は顔料が挙げられる。
【０３５６】
クリーニング組成物：用語「クリーニング組成物」は、クリーニングされる物品、例えば織物からの望ましくない化合物の除去に用途が見出される組成物を指す。クリーニング組成物は、例えば、家庭でのクリーニング及び工業的なクリーニングの両方に関する織物のクリーニングに使用され得る。本用語は、特定のタイプの所望のクリーニング組成物及び製品の形態（例えば、液体、ゲル、粉末、顆粒、ペースト、又はスプレー組成物）のために選択されるあらゆる材料／化合物を包含し、限定されないが、洗剤組成物（例えば、液体及び／又は固体洗濯洗剤並びに微細な布地用洗剤；布地フレッシュナー；布地用柔軟剤；並びに織物及び洗濯プレスポッター／前処理剤）を包含する。酵素を含有することに加えて、クリーニング組成物は、１種以上の追加の酵素（アミラーゼ、リパーゼ、クチナーゼ、セルラーゼ、エンドグルカナーゼ、キシログルカナーゼ、ペクチナーゼ、ペクチンリアーゼ、キサンタナーゼ、ペルオキダーゼ、ハロペルオキシゲナーゼ、カタラーゼ及びマンナナーゼ、若しくはこれらの任意の混合物など）、並びに／又はクリーニング成分、例えば、界面活性剤、ビルダー、キレート剤若しくはキレート化剤、漂白剤系若しくは漂白剤成分、ポリマー、布地コンディショナー、起泡増進剤、制泡剤、染料、香料、色あせ防止剤、光学的光沢剤、殺菌剤、殺真菌剤、汚れ懸濁剤、耐食剤、酵素阻害剤若しくは安定化剤、酵素活性化剤、トランスフェラーゼ、加水分解酵素、酸化還元酵素、青み付け剤及び蛍光染料、酸化防止剤、及び溶解剤などの洗剤補助成分を含有し得る。
【０３５７】
用語「酵素洗浄力による有益性」は、酵素を伴わない同一の洗剤と比較して、酵素が洗剤に追加し得る有利な効果として本明細書で定義される。酵素によりもたらされることが可能である重要な洗浄力による有益性は、洗浄及び／又はクリーニング後に視認可能な汚れがないか又はほとんどない汚れ除去、洗浄プロセスで遊離した汚れの再付着の防止又は減少（再付着防止とも呼ばれる効果である）、元々は白色であったが反復的な使用及び洗浄の後に灰色がかった若しくは黄色がかった外観となってしまった織物の白色度の完全な又は部分的な回復である（白色化とも呼ばれる効果である）。触媒による汚れ除去若しくは汚れの再付着防止に直接関係はしない、織物の保護による有益性もまた酵素洗浄力による有益性に重要である。このような織物の保護による有益性の例は、ある布地から他の布地へ、若しくは同一の布地の他の部分への移染の防止若しくは減少（移染防止又は逆汚染防止とも呼ばれる効果である）、ピリング傾向を減少させるための布地表面からの突出繊維若しくは破断繊維の除去、又は既に存在している毛玉若しくは綿毛の除去（毛玉防止とも呼ばれる効果である）；布地柔軟性の向上、布地の色の清澄化、及び布地若しくは衣服の繊維中に詰まった粒状の汚れの除去である。酵素的漂白はさらなる酵素洗浄力による有益性であり、ここで、触媒活性は一般に、過酸化水素又は他の過酸化物などの漂白成分の形成を触媒するために用いられる。触媒による汚れ除去若しくは汚れの再付着防止に直接関係はしない、織物の保護による有益性もまた酵素洗浄力による有益性に重要である。このような織物の保護による有益性の例は、ある織物から他の織物へ、若しくは同一の織物の他の部分への移染の防止若しくは減少（移染防止又は逆汚染防止とも呼ばれる効果である）、ピリング傾向を減少させるための織物表面からの突出繊維若しくは破断繊維の除去、又は既に存在している毛玉若しくは綿毛の除去（毛玉防止とも呼ばれる効果である）；織物柔軟性の向上、織物の色の清澄化、及び織物の繊維中に詰まった粒状の汚れの除去である。酵素的漂白はさらなる酵素洗浄力による有益性であり、ここで、触媒活性は一般に、過酸化水素又は他の過酸化物又は他の漂白剤種などの漂白成分の形成を触媒するために用いられる。
【０３５８】
用語「硬質表面クリーニング」は硬質表面のクリーニングとして本明細書で定義され、ここで、硬質表面は、床、机、壁、屋根など、並びに自動車（自動車洗浄）及び食器類（食器洗浄）などの硬質の物体の表面を含み得る。食器洗浄は、これらに限定されないが、プレート、カップ、グラス、ボウル、スプーン、ナイフ、フォークなどのカトラリー、配膳用具、セラミック、プラスチック、金属、陶磁器、ガラス及びアクリルのクリーニングを含む。
【０３５９】
用語「洗浄性能」は、例えば、洗浄又は硬質表面クリーニング中にクリーニングされる物体上に存在する汚れを除去する酵素の能力として使用される。
【０３６０】
用語「白色度」は、本明細書において、織物の灰色化又は黄色化として定義される。白色度の低下は、光学的光沢剤／色調剤の除去に起因し得る。灰色化及び黄色化は、汚れの再付着、身体の汚れ、例えば鉄イオン及び銅イオンからの着色又は移染に起因する場合がある。白色度は、以下に挙げるリストからの１つ又は複数の項目を含み得る：着色料又は染料作用；不完全な汚れの除去（例えば、身体の汚れ、皮脂など）；再付着（物体の灰色化、黄色化、又はその他の変色）（除去した汚れが、汚れた、又は汚れていない織物の他の部分に再結合したもの）；使用中の織物における化学変化；並びに色の清澄化又は明化。
【０３６１】
用語「洗濯」は、家庭での洗濯及び工業的洗濯の両方に関し、本発明のクリーニング又は洗剤組成物を含有する溶液を用いて織物を処理するプロセスを意味する。例えば、洗濯プロセスは、例えば家庭用若しくは工業用の洗濯機を使用して実施してもよく、又は手によって実施してもよい。
【０３６２】
用語「悪臭」は、清浄な物品に対して望ましくない臭いを意味する。クリーニングされた物品は、その物品に付着する悪臭がなく、新鮮且つ清浄な臭いがすべきである。悪臭の一例として、微生物によって生成され得る不快な臭いを有する化合物がある。別の例は、ヒト又は動物と接触していた物品に付着した汗又は体臭であり得る不快な臭いである。悪臭の他の例は、カレー又は香りが強い他の異国風の香辛料などの物品に付着する香辛料由来の臭いであり得る。
【０３６３】
用語「成熟ポリペプチド」は、翻訳、及びＮ末端プロセシング、Ｃ末端短縮化、グリコシル化、リン酸化などの任意の翻訳後修飾の後の最終形態のポリペプチドを意味する。
【０３６４】
用語「織物」は、織り糸、織り糸中間物、繊維、不織材料、天然材料、合成材料及び任意の他の織物材料を含む任意の織物材料、これらの材料から作られた布地及び布地から作られた製品（例えば、衣服及び他の物品）を意味する。織物又は布地は、ニット、織布、デニム、不織布、フェルト、織り糸及びタオルの形態であり得る。織物は、綿、亜麻／リネン、ジュート、カラムシ、サイザル又はコイアを含む天然セルロース、又はビスコース／レーヨン、酢酸セルロース繊維（ｔｒｉｃｅｌｌ）、リオセル又はそのブレンドを含む人工セルロース（例えば、木材パルプ由来のもの）などのセルロース系のものであり得る。織物又は布地はまた、ウール、ラクダ、カシミヤ、モヘア、ウサギ及び絹などの天然ポリアミド、若しくはナイロン、アラミド、ポリエステル、アクリル、ポリプロピレン及びスパンデックス／エラスタンなどの合成ポリマーなどの非セルロース系のもの、又はそのブレンド、並びにセルロース系繊維及び非セルロース系繊維のブレンドであり得る。ブレンドの例は、綿及び／又はレーヨン／ビスコースと、ウール、合成繊維（例えばポリアミド繊維、アクリル繊維、ポリエステル繊維、ポリ塩化ビニル繊維、ポリウレタン繊維、ポリウレア繊維、アラミド繊維）、及び／又はセルロース−含有繊維（例えばレーヨン／ビスコース、カラムシ、亜麻／リネン、ジュート、酢酸セルロース繊維、リオセル）などの１種以上の随伴材料のブレンドである。布地は、例えば汚れのついた家庭洗濯物といった従来の洗濯のきく洗濯物であり得る。布地又は衣服という用語が用いられる場合、より幅広い用語としての織物をも含むことが意図されている。
【０３６５】
用語「変異体」は、親又は前駆体ポリペプチドの活性を有し、且つ改変、すなわち、前駆体又は親ポリペプチドと比較して、１つ以上（例えば、数カ所）の位置で、改変、すなわち、置換、挿入及び／又は欠失を含むポリペプチドを意味する。置換とは、ある位置のアミノ酸の異なるアミノ酸による置き換えを意味し；欠失とは、ある位置のアミノ酸の除去を意味し；また、挿入とは、ある位置のアミノ酸に隣接し、その直後に続いて１アミノ酸を付加することを意味する。
【０３６６】
配列同一性：２つのアミノ酸配列間又は２つのヌクレオチド配列間の関連性は、パラメータ「配列同一性」によって説明される。本発明の目的のために、２つのアミノ酸配列間の配列同一性は、好ましくはバージョン６．０．０以降のＥＭＢＯＳＳパッケージ（ＥＭＢＯＳＳ：Ｔｈｅ  Ｅｕｒｏｐｅａｎ  Ｍｏｌｅｃｕｌａｒ  Ｂｉｏｌｏｇｙ  Ｏｐｅｎ  Ｓｏｆｔｗａｒｅ  Ｓｕｉｔｅ，Ｒｉｃｅ  ｅｔ  ａｌ．，２０００，Ｔｒｅｎｄｓ  Ｇｅｎｅｔ．１６：２７６−２７７）のＮｅｅｄｌｅプログラムにおいて実装されている、Ｎｅｅｄｌｅｍａｎ−Ｗｕｎｓｃｈアルゴリズム（Ｎｅｅｄｌｅｍａｎ  ａｎｄ  Ｗｕｎｓｃｈ，１９７０，Ｊ．Ｍｏｌ．Ｂｉｏｌ．４８：４４３−４５３）を用いて判定される。用いられるパラメータは、１０のギャップオープンペナルティ、０．５のギャップエクステンションペナルティ及びＥＢＬＯＳＵＭ６２（ＢＬＯＳＵＭ６２のＥＭＢＯＳＳバージョン）置換マトリックスである。Ｎｅｅｄｌｅ標識された「最長の同一性」（−ｎｏｂｒｉｅｆオプションを用いて得られる）の出力が同一性パーセントとして用いられ、以下のように算出される：
（同一の残基×１００）／（アラインメントの長さ−アラインメント中のギャップの総数）
【０３６７】
本発明はさらに、以下の実施形態のいずれかに関し得る；
項１．少なくとも０．００１ｐｐｍのＤＮａｓｅ、少なくとも０．００１ｐｐｍのプロテアーゼ及びクリーニング成分を含むクリーニング組成物であって、クリーニング成分が、
ａ．０．１〜１５ｗｔ％の少なくとも１種の界面活性剤；
ｂ．０．５〜２０ｗｔ％の少なくとも１種のビルダー；及び
ｃ．０．０１〜１０ｗｔ％の少なくとも１種の漂白剤成分
から選択される、クリーニング組成物。
【０３６８】
項２．項１に記載のクリーニング組成物であって、ＤＮａｓｅが、モチーフ［Ｄ／Ｍ／Ｌ］［Ｓ／Ｔ］ＧＹＳＲ［Ｄ／Ｎ］（配列番号７３）又はＡＳＸＮＲＳＫＧ（配列番号７４）の一方又は両方を含む、クリーニング組成物。
【０３６９】
項３．項１又は２に記載のクリーニング組成物であって、ＤＮａｓｅが、ポリペプチドの群：
ａ）配列番号１に示されるポリペプチドと少なくとも８０％の配列同一性を有するポリペプチド、
ｂ）配列番号２に示されるポリペプチドと少なくとも８０％の配列同一性を有するポリペプチド、
ｃ）配列番号３に示されるポリペプチドと少なくとも８０％の配列同一性を有するポリペプチド、
ｄ）配列番号４に示されるポリペプチドと少なくとも８０％の配列同一性を有するポリペプチド、
ｅ）配列番号５に示されるポリペプチドと少なくとも８０％の配列同一性を有するポリペプチド、
ｆ）配列番号６に示されるポリペプチドと少なくとも８０％の配列同一性を有するポリペプチド、
ｇ）配列番号７に示されるポリペプチドと少なくとも８０％の配列同一性を有するポリペプチド、
ｈ）配列番号８に示されるポリペプチドと少なくとも８０％の配列同一性を有するポリペプチド、
ｉ）配列番号９に示されるポリペプチドと少なくとも８０％の配列同一性を有するポリペプチド、
ｊ）配列番号１０に示されるポリペプチドと少なくとも８０％の配列同一性を有するポリペプチド、
ｋ）配列番号１１に示されるポリペプチドと少なくとも８０％の配列同一性を有するポリペプチド、
ｌ）配列番号１２に示されるポリペプチドと少なくとも８０％の配列同一性を有するポリペプチド、
ｍ）配列番号１３に示されるポリペプチドと少なくとも８０％の配列同一性を有するポリペプチド、
ｎ）配列番号１４に示されるポリペプチドと少なくとも８０％の配列同一性を有するポリペプチド、
ｏ）配列番号１５に示されるポリペプチドと少なくとも８０％の配列同一性を有するポリペプチド、
ｐ）配列番号１６に示されるポリペプチドと少なくとも８０％の配列同一性を有するポリペプチド、
ｑ）配列番号１７に示されるポリペプチドと少なくとも８０％の配列同一性を有するポリペプチド、
ｒ）配列番号１８に示されるポリペプチドと少なくとも８０％の配列同一性を有するポリペプチド、
ｓ）配列番号１９に示されるポリペプチドと少なくとも８０％の配列同一性を有するポリペプチド、
ｔ）配列番号２０に示されるポリペプチドと少なくとも８０％の配列同一性を有するポリペプチド、
ｕ）配列番号２１に示されるポリペプチドと少なくとも８０％の配列同一性を有するポリペプチド、
ｖ）配列番号２２に示されるポリペプチドと少なくとも８０％の配列同一性を有するポリペプチド、
ｗ）配列番号２３に示されるポリペプチドと少なくとも８０％の配列同一性を有するポリペプチド、
ｘ）配列番号２４に示されるポリペプチドと少なくとも８０％の配列同一性を有するポリペプチド、及び
ｙ）配列番号２５に示されるポリペプチドと少なくとも８０％の配列同一性を有するポリペプチドから選択される、クリーニング組成物。
【０３７０】
項４．項１に記載のクリーニング組成物であって、ＤＮａｓｅが、モチーフ［Ｖ／Ｉ］ＰＬ［Ｓ／Ａ］ＮＡＷＫ（配列番号７５）又はＮＰＱＬ（配列番号７６）の一方又は両方を含む、クリーニング組成物。
【０３７１】
項５．項１又は４に記載のクリーニング組成物であって、ＤＮａｓｅが、ポリペプチドの群：
ａ）配列番号２６に示されるポリペプチドと少なくとも８０％の配列同一性を有するポリペプチド、
ｂ）配列番号２７に示されるポリペプチドと少なくとも８０％の配列同一性を有するポリペプチド、
ｃ）配列番号２８に示されるポリペプチドと少なくとも８０％の配列同一性を有するポリペプチド、
ｄ）配列番号２９に示されるポリペプチドと少なくとも８０％の配列同一性を有するポリペプチド、
ｅ）配列番号３０に示されるポリペプチドと少なくとも８０％の配列同一性を有するポリペプチド、
ｆ）配列番号３１に示されるポリペプチドと少なくとも８０％の配列同一性を有するポリペプチド、
ｇ）配列番号３２に示されるポリペプチドと少なくとも８０％の配列同一性を有するポリペプチド、
ｈ）配列番号３３に示されるポリペプチドと少なくとも８０％の配列同一性を有するポリペプチド、
ｉ）配列番号３４に示されるポリペプチドと少なくとも８０％の配列同一性を有するポリペプチド、
ｊ）配列番号３５に示されるポリペプチドと少なくとも８０％の配列同一性を有するポリペプチド、
ｋ）配列番号３６に示されるポリペプチドと少なくとも８０％の配列同一性を有するポリペプチド、
ｌ）配列番号３７に示されるポリペプチドと少なくとも８０％の配列同一性を有するポリペプチド、及び
ｍ）配列番号３８に示されるポリペプチドと少なくとも８０％の配列同一性を有するポリペプチドから選択される、クリーニング組成物。
【０３７２】
項６．項１に記載のクリーニング組成物であって、ＤＮａｓｅが、モチーフＰ［Ｑ／Ｅ］Ｌ［Ｗ／Ｙ］（配列番号７７）又は［Ｋ／Ｈ／Ｅ］ＮＡＷ（配列番号７８）の一方又は両方を含む、クリーニング組成物。
【０３７３】
項７．項１又は６に記載のクリーニング組成物であって、ＤＮａｓｅが、ポリペプチドの群：
ａ）配列番号３９に示されるポリペプチドと少なくとも８０％の配列同一性を有するポリペプチド、
ｂ）配列番号４０に示されるポリペプチドと少なくとも８０％の配列同一性を有するポリペプチド、
ｃ）配列番号４１に示されるポリペプチドと少なくとも８０％の配列同一性を有するポリペプチド、
ｄ）配列番号４２に示されるポリペプチドと少なくとも８０％の配列同一性を有するポリペプチド、
ｅ）配列番号４３に示されるポリペプチドと少なくとも８０％の配列同一性を有するポリペプチド、
ｆ）配列番号４４に示されるポリペプチドと少なくとも８０％の配列同一性を有するポリペプチド、
ｇ）配列番号４５に示されるポリペプチドと少なくとも８０％の配列同一性を有するポリペプチド、
ｈ）配列番号４６に示されるポリペプチドと少なくとも８０％の配列同一性を有するポリペプチド、
ｉ）配列番号４７に示されるポリペプチドと少なくとも８０％の配列同一性を有するポリペプチド、
ｊ）配列番号４８に示されるポリペプチドと少なくとも８０％の配列同一性を有するポリペプチド、
ｋ）配列番号４９に示されるポリペプチドと少なくとも８０％の配列同一性を有するポリペプチド、
ｌ）配列番号５０に示されるポリペプチドと少なくとも８０％の配列同一性を有するポリペプチド、及び
ｍ）配列番号５１に示されるポリペプチドと少なくとも８０％の配列同一性を有するポリペプチドから選択される、クリーニング組成物。
【０３７４】
項８．項１に記載のクリーニング組成物であって、ＤＮａｓｅが、
ａ）配列番号６５に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有する、バチルス・リケニフォルミス（Ｂａｃｉｌｌｕｓ  ｌｉｃｈｅｎｉｆｏｒｍｉｓ）から得られるポリペプチド、
ｂ）配列番号６６に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有する、バチルス・サブティリス（Ｂａｃｉｌｌｕｓ  ｓｕｂｔｉｌｉｓ）から得られるポリペプチド、
ｃ）配列番号６７に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有する、アスペルギルス・オリゼ（Ａｓｐｅｒｇｉｌｌｕｓ  ｏｒｙｚａｅ）から得られるポリペプチド、
ｄ）配列番号６８に示されるポリペプチドと少なくとも６０％、例えば少なくとも６５％、少なくとも７０％、少なくとも７５％、少なくとも８０％、少なくとも８５％、少なくとも９０％、少なくとも９５％、少なくとも９６％、少なくとも９７％、少なくとも９８％、少なくとも９９％、又は１００％の配列同一性を有し、且つＤＮａｓｅ活性を有する、トリコデルマ・ハルジアヌム（Ｔｒｉｃｈｏｄｅｒｍａ  ｈａｒｚｉａｎｕｍ）から得られるポリペプチド、
及びこれらの組み合わせからなる群から選択される、クリーニング組成物。
【０３７５】
項９．項１〜８のいずれかに記載のクリーニング成分であって、プロテアーゼが、
ｉ）親プロテアーゼのプロテアーゼ変異体（プロテアーゼ変異体は、以下の位置の１つ以上において配列番号７９又は配列番号８０に示されるプロテアーゼと比較して１つ以上の変化を含み：３、４、９、１５、２４、２７、４２、５５、５９、６０、６６、７４、８５、９６、９７、９８、９９、１００、１０１、１０２、１０４、１１６、１１８、１２１、１２６、１２７、１２８、１５４、１５６、１５７、１５８、１６１、１６４、１７６、１７９、１８２、１８５、１８８、１８９、１９３、１９８、１９９、２００、２０３、２０６、２１１、２１２、２１６、２１８、２２６、２２９、２３０、２３９、２４６、２５５、２５６、２６８及び２６９、この位置は配列番号７９において示されるプロテアーゼの位置に相当し、且つプロテアーゼ変異体は、配列番号７９、配列番号８０又は配列番号８１と少なくとも８０％の配列同一性を有する）；
ｉｉ）親プロテアーゼのプロテアーゼ変異体（プロテアーゼ変異体は、Ｓ３Ｔ、Ｖ４Ｉ、Ｓ９Ｒ、Ｓ９Ｅ、Ａ１５Ｔ、Ｓ２４Ｇ、Ｓ２４Ｒ、Ｋ２７Ｒ、Ｎ４２Ｒ、Ｓ５５Ｐ、Ｇ５９Ｅ、Ｇ５９Ｄ、Ｎ６０Ｄ、Ｎ６０Ｅ、Ｖ６６Ａ、Ｎ７４Ｄ、Ｎ８５Ｓ、Ｎ８５Ｒ、Ｇ９６Ｓ、Ｇ９６Ａ、Ｓ９７Ｇ、Ｓ９７Ｄ、Ｓ９７Ａ、Ｓ９７ＳＤ、Ｓ９９Ｅ、Ｓ９９Ｄ、Ｓ９９Ｇ、Ｓ９９Ｍ、Ｓ９９Ｎ、Ｓ９９Ｒ、Ｓ９９Ｈ、Ｓ１０１Ａ、Ｖ１０２Ｉ、Ｖ１０２Ｙ、Ｖ１０２Ｎ、Ｓ１０４Ａ、Ｇ１１６Ｖ、Ｇ１１６Ｒ、Ｈ１１８Ｄ、Ｈ１１８Ｎ、Ｎ１２０Ｓ、Ｓ１２６Ｌ、Ｐ１２７Ｑ、Ｓ１２８Ａ、Ｓ１５４Ｄ、Ａ１５６Ｅ、Ｇ１５７Ｄ、Ｇ１５７Ｐ、Ｓ１５８Ｅ、Ｙ１６１Ａ、Ｒ１６４Ｓ、Ｑ１７６Ｅ、Ｎ１７９Ｅ、Ｓ１８２Ｅ、Ｑ１８５Ｎ、Ａ１８８Ｐ、Ｇ１８９Ｅ、Ｖ１９３Ｍ、Ｎ１９８Ｄ、Ｖ１９９Ｉ、Ｙ２０３Ｗ、Ｓ２０６Ｇ、Ｌ２１１Ｑ、Ｌ２１１Ｄ、Ｎ２１２Ｄ、Ｎ２１２Ｓ、Ｍ２１６Ｓ、Ａ２２６Ｖ、Ｋ２２９Ｌ、Ｑ２３０Ｈ、Ｑ２３９Ｒ、Ｎ２４６Ｋ、Ｎ２５５Ｗ、Ｎ２５５Ｄ、Ｎ２５５Ｅ、Ｌ２５６Ｅ、Ｌ２５６Ｄ  Ｔ２６８Ａ及びＲ２６９Ｈからなる群から選択される１つ以上の変異を含み、この位置は配列番号７９に示されるプロテアーゼの位置に相当し、プロテアーゼ変異体は、配列番号７９、配列番号８０又は配列番号８１と少なくとも８０％の配列同一性を有する）；
ｉｉｉ）配列番号８１に示されるプロテアーゼと比較して、配列番号８１の位置１７１、１７３、１７５、１７９、又は１８０に相当する１つ以上の位置で置換を含むプロテアーゼ（プロテアーゼ変異体は、配列番号８１のアミノ酸１〜３１１と少なくとも７５％であるが１００％未満の配列同一性を有する）、
ｉｖ）配列番号７９、８０、８１、８２に示されるアミノ酸配列を含むプロテアーゼ、又は配列番号７９のアミノ酸１〜２６９を含むポリペプチド、配列番号８１のアミノ酸１〜３１１を含むポリペプチド、配列番号８０のアミノ酸１〜２７５を含むポリペプチド若しくは配列番号８２のアミノ酸１〜２６９を含むポリペプチドと少なくとも８０％の配列同一性を有するプロテアーゼ、
ｖ）以下の群：
配列番号７９＋Ｔ２２Ｒ＋Ｓ９９Ｇ＋Ｓ１０１Ａ＋Ｖ１０２Ｉ＋Ａ２２６Ｖ＋Ｑ２３９Ｒ；
配列番号８０＋Ｓ２４Ｇ＋Ｓ５３Ｇ＋Ｓ７８Ｎ＋Ｓ１０１Ｎ＋Ｇ１２８Ａ＋Ｙ２１７Ｑ；
配列番号８０＋Ｓ２４Ｇ＋Ｓ５３Ｇ＋Ｓ７８Ｎ＋Ｓ１０１Ｎ＋Ｇ１２８Ｓ＋Ｙ２１７Ｑ；
配列番号７９＋Ｓ９Ｅ＋Ｎ４２Ｒ＋Ｎ７４Ｄ＋Ｖ１９９Ｉ＋Ｑ２００Ｌ＋Ｙ２０３Ｗ＋Ｓ２５３Ｄ＋Ｎ２５５Ｗ＋Ｌ２５６Ｅ；
配列番号７９＋Ｓ９Ｅ＋Ｎ４２Ｒ＋Ｎ７４Ｄ＋Ｈ１１８Ｖ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｓ２５３Ｄ＋Ｎ２５５Ｗ＋Ｌ２５６Ｅ；
配列番号７９＋Ｓ９Ｅ＋Ｎ４２Ｒ＋Ｎ７４Ｄ＋Ｑ１７６Ｅ＋Ａ１８８Ｐ＋Ｖ１９９Ｉ＋Ｑ２００Ｌ＋Ｙ２０３Ｗ  Ｓ２５０Ｄ＋Ｓ２５３Ｄ＋Ｎ２５５Ｗ＋Ｌ２５６Ｅ；
配列番号７９＋Ｓ３Ｖ＋Ｎ７４Ｄ＋Ｈ１１８Ｖ＋Ｑ１７６Ｅ＋Ｎ１７９Ｅ＋Ｓ１８２Ｅ＋Ｖ１９９Ｉ＋Ｑ２００Ｌ  Ｙ２０３Ｗ＋Ｓ２１０Ｖ＋Ｓ２５０Ｄ＋Ｓ２５３Ｄ＋Ｎ２５５Ｗ＋Ｌ２５６Ｅ；
配列番号７９＋Ｔ２２Ａ＋Ｎ６０Ｄ＋Ｓ９９Ｇ＋Ｓ１０１Ａ＋Ｖ１０２Ｉ＋Ｎ１１４Ｌ＋Ｇ１５７Ｄ＋Ｓ１８２Ｄ＋Ｔ２０７Ａ＋Ａ２２６Ｖ＋Ｑ２３９Ｒ＋Ｎ２４２Ｄ＋Ｅ２６５Ｆ；
配列番号７９＋Ｓ９Ｅ＋Ｎ４２Ｒ＋Ｎ７４Ｄ＋Ｈ１１８Ｖ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｓ２５３Ｄ＋Ｎ２５５Ｗ＋Ｌ２５６Ｅ、
配列番号７９＋Ｓ９Ｅ＋Ｎ４２Ｒ＋Ｎ７４Ｄ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｓ２５３Ｄ＋Ｎ２５５Ｗ＋Ｌ２５６Ｅ、
配列番号７９＋Ｓ９Ｅ＋Ｎ４２Ｒ＋Ｎ７４Ｄ＋Ｈ１１８Ｖ＋Ｑ１７６Ｅ＋Ａ１８８Ｐ＋Ｖ１９９Ｉ＋Ｑ２００Ｌ＋Ｙ２０３Ｗ＋Ｓ２５０Ｄ＋Ｎ２５５Ｗ＋Ｌ２５６Ｅ＋＊２６９ａＨ＋＊２６９ｂＨ、
配列番号７９＋Ｓ３Ｖ＋Ｎ７４Ｄ＋Ｈ１１８Ｖ＋Ｑ１７６Ｅ＋Ｎ１７９Ｅ＋Ｓ１８２Ｅ＋Ｖ１９９Ｉ＋Ｑ２００Ｌ＋Ｙ２０３Ｗ＋Ｓ２１０Ｖ＋Ｓ２５０Ｄ＋Ｎ２５５Ｗ＋Ｌ２５６Ｅ、
配列番号７９＋Ｓ９Ｅ＋Ｎ７４Ｄ＋Ｇ１１３Ｗ＋Ｇ１５７Ｐ＋Ｑ１７６Ｅ＋Ｖ１９９Ｉ＋Ｑ２００Ｌ＋Ｙ２０３Ｗ＋Ｓ２５０Ｄ＋Ｔ２５４Ｅ＋Ｎ２５５Ｗ＋Ｌ２５６Ｅ、
配列番号７９＋Ｓ３Ｖ＋Ｓ９Ｒ＋Ｎ７４Ｄ＋Ｈ１１８Ｖ＋Ｑ１７６Ｅ＋Ｎ１７９Ｅ＋Ｓ１８２Ｅ＋Ｖ１９９Ｉ＋Ｑ２００Ｌ＋Ｙ２０３Ｗ＋Ｓ２１２Ｖ＋Ｓ２５０Ｄ＋Ｎ２５５Ｗ＋Ｌ２５６Ｅ、
配列番号７９＋Ｓ９９Ｅ、及び
配列番号８０＋Ｌ２１７Ｄから選択されるプロテアーゼ変異体のうちの１つ以上
から選択される、クリーニング組成物。
【０３７６】
項１０．物品が織物又は表面である、物品のディープクリーニングのための項１〜９のいずれかに記載の組成物の使用。
【０３７７】
項１１．ＤＮａｓｅ、プロテアーゼ及び少なくとも１種のクリーニング成分を加えることを含む、クリーニング組成物を配合する方法。
【０３７８】
項１２．ディープクリーニングを目的とするキットであって、キットが、ＤＮａｓｅ及びプロテアーゼを含む酵素混合物の溶液を含むキット。
【０３７９】
項１３．物品のディープクリーニングの方法であって、
ａ）ＤＮａｓｅ及びプロテアーゼ；並びにクリーニング成分を含む酵素混合物を含む溶液と物品を接触させる工程であって、クリーニング成分が、０．１〜１５ｗｔ％の少なくとも１種の界面活性剤；０．５〜２０ｗｔ％の少なくとも１種のビルダー；及び０．０１〜１０ｗｔ％の少なくとも１種の漂白剤成分から選択される工程；並びに
ｂ）任意選択により物品をすすぐ工程であって、物品が好ましくは織物である工程を含む、方法。
【実施例】
【０３８０】
アッセイ
アッセイＩ：ＤＮａｓｅ活性の試験
ＤＮａｓｅ活性は、供給元からの手引きに従って調製したメチルグリーン（ＢＤ、Ｆｒａｎｋｌｉｎ  Ｌａｋｅｓ、ＮＪ、ＵＳＡ）を含むＤＮａｓｅテスト寒天上で測定した。簡潔には、２１ｇの寒天を５００ｍｌの水中に溶解し、続いて、１２１℃で１５分間オートクレーブした。オートクレーブにかけた寒天を水浴中において４８℃とし、２０ｍｌの寒天をペトリ皿中に注ぎ入れ、インキュベーションにより一晩室温で固化させた。固化した寒天プレート上に、５μｌの酵素溶液を添加し、ＤＮａｓｅ活性が、点状の酵素溶液の周囲の無色の区画として観察される。
【０３８１】
アッセイＩＩ：プロテアーゼ活性の試験
タンパク質分解活性は、基質としてＳｕｃ−ＡＡＰＦ−ＰＮＡを採用する方法によって測定され得る。Ｓｕｃ−ＡＡＰＦ−ＰＮＡは、Ｎ−スクシニル−アラニン−アラニン−プロリン−フェニルアラニン−ｐ−ニトロアニリドの略称であり、エンドプロテアーゼによって切断され得るブロックペプチドである。切断後、遊離ＰＮＡ分子が遊離するが、これは黄色であるため、波長４０５ｎｍで可視分光光度法によって測定できる。Ｓｕｃ−ＡＡＰＦ−ＰＮＡ基質は、Ｂａｃｈｅｍ（カタログ番号Ｌ１４００、ＤＭＳＯ中に溶解）によって製造される。分析されるプロテアーゼ試料を、残りの活性緩衝液（１００ｍＭトリス、ｐＨ８．６）中で希釈する。アッセイは、３０μｌの希釈された酵素試料を９６ウェルマイクロタイタープレートに移し、７０μｌの標準溶液（１００ｍＭトリス  ｐＨ８．６中０．７２ｍｇ／ｍｌ）を添加することによって実施される。溶液を室温で混合し、ＯＤ４０５ｎｍにて５分間、２０秒毎に吸収を測定する。時間依存的吸収曲線の勾配（１分当たりの吸光度）は、所与の条件セットのもとでの目的のプロテアーゼの活性に対して正比例する。プロテアーゼ試料を、勾配が線形になるレベルに希釈する。
【０３８２】
アッセイＩＩＩ：ＤＮａｓｅ活性の試験
ＤＮａｓｅ活性を、供給元の手引きに従ってＤＮａｓｅＡｌｅｒｔ（商標）キット（１１−０２−０１−０４、ＩＤＴ  Ｉｎｔｅｒｇｒａｔｅｄ  ＤＮＡ  Ｔｅｃｈｎｏｌｏｇｉｅｓ）を使用して測定した。簡潔には、９５μｌのＤＮａｓｅ試料をマイクロタイタープレート中で５μｌの基質と混合し、ＢＭＧ  Ｌａｂｔｅｃｈ製のＣｌａｒｉｏｓｔａｒマイクロタイターリーダーを使用して、蛍光を即座に測定した（５３６ｎｍ励起、５５６ｎｍ発光）。
【０３８３】
実施例１
バイオフィルムを有する小片の調製
ブレブンディモナス属（Ｂｒｅｖｕｎｄｉｍｏｎａｓ  ｓｐ．）のバイオフィルムを有する小片が、本試験に含まれた。細菌を、３０℃で２〜５日間トリプトンソーヤ寒天（ＴＳＡ）（ｐＨ７．３）（ＣＭ０１３１；Ｏｘｏｉｄ  Ｌｔｄ、Ｂａｓｉｎｇｓｔｏｋｅ、ＵＫ）上で事前に増殖させた。単一のコロニーから一白金耳量を１０ｍＬのＴＳＢに移し、振盪（２４０ｒｐｍ）させながら３０℃で１日間インキュベートした。増殖後、遠心分離（Ｓｉｇｍａ  Ｌａｂｏｒａｔｏｒｙ  Ｃｅｎｔｒｉｆｕｇｅ  ６Ｋ１５）（２１℃、３０００ｇで、７分）により細胞をペレット化し、水で２倍希釈した１０ｍＬのＴＳＢに再懸濁させた。分光光度計（ＰＯＬＡＲｓｔａｒ  Ｏｍｅｇａ（ＢＭＧ  Ｌａｂｔｅｃｈ、Ｏｒｔｅｎｂｅｒｇ、Ｇｅｒｍａｎｙ）を用いて、６００ｎｍでの光学密度（ＯＤ）を測定した。水で２倍希釈した新鮮なＴＳＢを０．０３のＯＤ６００ｎｍまで接種し、５０ｍＬを滅菌綿（ＷＦＫ１０Ａ）の小片（８０ｍｍ×１２０ｍｍ）があるペトリ皿（直径１２５ｍｍ）に添加した。インキュベーション（振盪（１００ｒｐｍ）させながら１５℃で４８時間）後、小片を０．９％（ｗ／ｖ）ＮａＣｌで２回すすぎ、ＬＡＦベンチで６０分間乾燥させた。洗浄の前に小片を４℃で保存した。
【０３８４】
洗浄実験
洗浄実験を、自動機械負荷アッセイ（Ａｕｔｏｍａｔｉｃ  Ｍｅｃｈａｎｉｃａｌ  Ｓｔｒｅｓｓ  Ａｓｓａｙ）（ＡＭＳＡ）を用いて実施した。ＡＭＳＡにより、多数の少量酵素洗剤溶液の洗浄性能を同時に試験することができる。ＡＭＳＡプレートは、試験溶液のための多数のスロット、及びスロット開口部に対して洗浄される織物を堅く圧迫する蓋を有する。洗浄中、プレート、試験溶液、織物及び蓋は、勢いよく振盪されて、試験溶液を織物と接触させ、規則的で周期的な振動様式で機械的負荷をかける。
【０３８５】
洗浄実験は、下記に指定される実験条件で行われた：
【０３８６】
【表１】
2020516707.tif 000003
【０３８７】
モデル洗剤及び試験材料は以下のとおりである：
【０３８８】
【表２】
2020516707.tif 000004
【０３８９】
洗浄実験については、硬度１５°ｄＨ（Ｃａ：Ｍｇ：ＮａＨＣＯ３−＝４：１：１．５）の水中に溶解されたモデル洗剤Ａ（１２％ＬＡＳ、１１％ＡＥＯ  Ｂｉｏｓｏｆｔ  Ｎ２５−７（ＮＩ）、７％ＡＥＯＳ（ＳＬＥＳ）、６％ＭＰＧ、３％エタノール、３％ＴＥＡ、２．７５％ココア石鹸、２．７５％ダイズ石鹸、２％グリセロール、２％水酸化ナトリウム、２％クエン酸ナトリウム、１％ギ酸ナトリウム、０．２％ＤＴＭＰＡ及び０．２％ＰＣＡ（パーセンテージは全てｗ／ｗである）を含有する）（３．３ｇ／Ｌ）を使用した。続いて、汚れを加えて、０．７ｇ汚れ／Ｌ（ＷＦＫ０９Ｖ  顔料汚れ）の濃度に達し、バイオフィルムが現れた。洗浄後、織物を水道水中で流して洗い、スキャンの前に一晩乾燥させた。洗浄実験を２回行った。
【０３９０】
洗浄性能を、ＷＦＫ０９Ｖ顔料で汚れ、洗浄した織物の輝度として測定した。輝度はまた、白色光で照射されたときの試料から反射される光の強度としても表すことができる。試料が汚れているとき、反射される光の強度は、清浄な試料のものよりも低くなる。したがって、反射される光の強度は、洗浄性能を測定するために使用することができる。強度測定は、プロフェッショナルフラットベッドスキャナー（ｐｒｏｆｅｓｓｉｏｎａｌ  ｆｌａｔｂｅｄ  ｓｃａｎｎｅｒ）（Ｋｏｄａｋ  ｉＱｓｍａｒｔ、Ｋｏｄａｋ、Ｍｉｄｔａｇｅｒ  ２９、ＤＫ−２６０５  Ｂｒｏｅｎｄｂｙ、Ｄｅｎｍａｒｋ）によりなされ、これは、洗浄され、乾燥された織物の画像を取得するために使用された。スキャンした画像からの光強度の値を抽出するために、画像からの２４ビットピクセル値をレッド、グリーン及びブルー（ＲＧＢ）の値に変換した。強度値（Ｉｎｔ）は、ＲＧＢ値をベクトルとして合わせて加算し、続いて、得られたベクトルの長さを取得することによって算出された。
【数１】
2020516707.tif 000005
【０３９１】
実施例２
ＤＮａｓｅ及びプロテアーゼ間の洗浄の相乗作用
ＤＮａｓｅ（配列番号１３）並びにプロテアーゼ（配列番号８２及び配列番号７９）間の洗浄の相乗作用を評価するために、バイオフィルムを内在する織物を、ａ）酵素の非存在下（ブランク）、ｂ）ＤＮａｓｅ単独の存在下、ｃ）プロテアーゼ単独の存在下、並びにｄ）ＤＮａｓｅ及びプロテアーゼの混合物とともにＡＭＳＡで洗浄した。得られた織物の強度及び対応する洗浄性能（ＷＰ）を表１〜４に列記する。ＤＮａｓｅ（ＷＰＤＮａｓｅ）、プロテアーゼ（ＷＰプロテアーゼ）及び両者の混合物（ＷＰＤＮａｓｅ＋プロテアーゼ）に起因する洗浄性能（ディープクリーニング性能）を、酵素がある場合とない場合で洗浄された織物間での強度の相違として定量化した：ＷＰＤＮａｓｅ＝ＩＤＮａｓｅ−Ｉブランク、ＷＰプロテアーゼ＝Ｉプロテアーゼ−Ｉブランク、ＷＰＤＮａｓｅ＋プロテアーゼ＝ＩＤＮａｓｅ＋プロテアーゼ−Ｉブランク。洗浄性能ＷＰ相乗作用の相乗作用成分を、混合されたＤＮａｓｅ及びプロテアーゼの洗浄性能（ＷＰＤＮａｓｅ＋プロテアーゼ）が、ＤＮａｓｅ単独及びプロテアーゼ単独の個々の洗浄性能の和を超える程度として定量化した。
ＷＰ相乗作用＝ＷＰＤＮａｓｅ＋プロテアーゼ−（ＷＰＤＮａｓｅ＋ＷＰプロテアーゼ）。
【０３９２】
【表３】
2020516707.tif 000006
【０３９３】
【表４】
2020516707.tif 000007
【０３９４】
【表５】
2020516707.tif 000008
【０３９５】
【表６】
2020516707.tif 000009
【０３９６】
実施例３
洗濯物特異的細菌株の単離
洗濯物から単離したブレブンディモナス属（Ｂｒｅｖｕｎｄｉｍｏｎａｓ  ｓｐ．）の１株を本実施例で使用した。ブレブンディモナス属（Ｂｒｅｖｕｎｄｉｍｏｎａｓ  ｓｐ．）を試験中に単離し、ここで、１５、４０及び６０℃でそれぞれ洗浄した後、洗濯物中の細菌多様性を調べた。試験は、デンマークの家庭から収集した洗濯物について行った。各々の洗浄について、２０ｇの洗濯物物品（ティータオル、タオル、食器洗い布、よだれ掛け、Ｔシャツ脇部分、Ｔシャツ襟部分、ソックス）を４：３：２：２：１：１：１の範囲で使用した。洗浄は、１５、４０又は６０℃でＬａｕｎｄｒ−Ｏ−Ｍｅｔｅｒ（ＬＯＭ）において実施した。１５及び４０℃での洗浄の場合、Ａｒｉｅｌ  Ｓｅｎｓｉｔｉｖｅ  Ｗｈｉｔｅ  ＆  Ｃｏｌｏｒを使用し、一方で６０℃での洗浄の場合にはＷＦＫ  ＩＥＣ−Ａ＊モデル洗剤を使用した。Ａｒｉｅｌ  Ｓｅｎｓｉｔｉｖｅ  Ｗｈｉｔｅ  ＆  Ｃｏｌｏｒは、５．１ｇを計量し、水道水を１０００ｍｌまで添加した後、５分間攪拌することにより調製した。ＷＦＫ  ＩＥＣ−Ａモデル洗剤（ＷＦＫ  Ｔｅｓｔｇｅｗｅｂｅ  ＧｍｂＨから入手可能である）は、５ｇを計量し、水道水を１３００ｍｌまで添加した後、１５分間攪拌することにより調製した。洗浄は、１５、４０及び６０℃でそれぞれ１時間ずつ実施した後、１５℃の水道水で２０分間のすすぎを２回行った。１５、４０及び６０℃でそれぞれ洗浄した直後に洗濯物を取り出した。２０ｇの洗濯物に、ストマッカーバッグ中で、０．９％（ｗ／ｖ）ＮａＣｌ（１．０６４０４；Ｍｅｒｋ、Ｄａｒｍｓｔａｄｔ、Ｇｅｒｍａｎｙ）を０．５％（ｗ／ｗ）ｔｗｅｅｎ  ８０とともに１：１０希釈を達成するように添加した。中間の速度で２分間ストマッカーを用いて、混合物を均質化した。均質化後、１０倍希釈物を０．９％（ｗ／ｖ）ＮａＣｌ中で調製した。３０℃で好気的に５〜７日間インキュベートしたトリプトンソーヤ寒天（ＴＳＡ）（ＣＭ０１２９、Ｏｘｏｉｄ、Ｂａｓｉｎｇｓｔｏｋｅ、Ｈａｍｐｓｈｉｒｅ、ＵＫ）上で細菌を数えた。酵母及びカビの増殖を抑制するために、０．２％ソルビン酸（３５９７６９、Ｓｉｇｍａ）及び０．１％シクロヘキシミド（１８０７９；Ｓｉｇｍａ）を添加した。細菌コロニーを計数可能なプレートから選択して、ＴＳＡ上で２回再ストリークすることにより精製した。長期貯蔵のために、精製済み単離物を−８０℃の２０％（ｗ／ｖ）グリセロールを含有するＴＳＢ（４９７７９；Ｓｉｇｍａ）中で保存した。
【０３９７】
バイオフィルムを有する小片の調製
ブレブンディモナス属（Ｂｒｅｖｕｎｄｉｍｏｎａｓ  ｓｐ．）のバイオフィルムを有する小片が、本試験に含まれた。細菌を、３０℃で２〜５日間トリプトンソーヤ寒天（ＴＳＡ）（ｐＨ７．３）（ＣＭ０１３１；Ｏｘｏｉｄ  Ｌｔｄ、Ｂａｓｉｎｇｓｔｏｋｅ、ＵＫ）上で事前に増殖させた。単一のコロニーから一白金耳量を１０ｍＬのＴＳＢに移し、振盪（２４０ｒｐｍ）させながら３０℃で１日間インキュベートした。増殖後、遠心分離（Ｓｉｇｍａ  Ｌａｂｏｒａｔｏｒｙ  Ｃｅｎｔｒｉｆｕｇｅ  ６Ｋ１５）（２１℃、３０００ｇで、７分）により細胞をペレット化し、水で２倍希釈した１０ｍＬのＴＳＢに再懸濁させた。分光光度計（ＰＯＬＡＲｓｔａｒ  Ｏｍｅｇａ（ＢＭＧ  Ｌａｂｔｅｃｈ、Ｏｒｔｅｎｂｅｒｇ、Ｇｅｒｍａｎｙ）を用いて、６００ｎｍでの光学密度（ＯＤ）を測定した。水で２倍希釈した新鮮なＴＳＢを０．０３のＯＤ６００ｎｍまで接種し、５０ｍＬをペトリ皿（直径１２５ｍｍ）に添加し、その中に滅菌綿（ＷＦＫ１０Ａ）の小片（８０ｍｍ×１２０ｍｍ）を置いた。インキュベーション（振盪（１００ｒｐｍ）させながら１５℃で７２時間）後、小片を０．９％（ｗ／ｖ）ＮａＣｌで２回すすぎ、ＬＡＦベンチで６０分間乾燥させた。洗浄の前に小片を４℃で保存した。
【０３９８】
洗浄実験
洗浄実験を、上記のとおり自動機械負荷アッセイ（Ａｕｔｏｍａｔｉｃ  Ｍｅｃｈａｎｉｃａｌ  Ｓｔｒｅｓｓ  Ａｓｓａｙ）（ＡＭＳＡ）を用いて実施した。
【０３９９】
モデル洗剤及び試験材料は以下のとおりである：
【０４００】
【表７】
2020516707.tif 000010
【０４０１】
洗浄実験については、硬度１５°ｄＨ（Ｃａ：Ｍｇ：ＮａＨＣＯ３＝４：１：１．５）の水中に溶解されたモデル洗剤Ａ（１２％ＬＡＳ、１１％ＡＥＯ  Ｂｉｏｓｏｆｔ  Ｎ２５−７（ＮＩ）、７％ＡＥＯＳ（ＳＬＥＳ）、６％ＭＰＧ、３％エタノール、３％ＴＥＡ、２．７５％ココア石鹸、２．７５％ダイズ石鹸、２％グリセロール、２％水酸化ナトリウム、２％クエン酸ナトリウム、１％ギ酸ナトリウム、０．２％ＤＴＭＰＡ及び０．２％ＰＣＡ（パーセンテージは全てｗ／ｗである）を含有する）（３．３ｇ／Ｌ）を使用した。続いて、汚れを加えて、０．７ｇ汚れ／Ｌ（ＷＦＫ０９Ｖ  顔料汚れ）の濃度に達し、バイオフィルムが現れた。洗浄後、織物を水道水中で流して洗い、スキャンの前に一晩乾燥させた。洗浄実験を２回行った。
【０４０２】
洗浄性能を、ＷＦＫ０９Ｖ顔料で汚れ、洗浄した織物の輝度として測定した。輝度はまた、白色光で照射されたときの試料から反射される光の強度としても表すことができる。試料が汚れているとき、反射される光の強度は、清浄な試料のものよりも低くなる。したがって、反射される光の強度は、洗浄性能を測定するために使用することができる。強度測定は、プロフェッショナルフラットベッドスキャナー（ｐｒｏｆｅｓｓｉｏｎａｌ  ｆｌａｔｂｅｄ  ｓｃａｎｎｅｒ）（Ｋｏｄａｋ  ｉＱｓｍａｒｔ、Ｋｏｄａｋ、Ｍｉｄｔａｇｅｒ  ２９、ＤＫ−２６０５  Ｂｒｏｅｎｄｂｙ、Ｄｅｎｍａｒｋ）によりなされ、これは、洗浄され、乾燥された織物の画像を取得するために使用された。スキャンした画像からの光強度の値を抽出するために、画像からの２４ビットピクセル値をレッド、グリーン及びブルー（ＲＧＢ）の値に変換した。強度値（Ｉｎｔ）は、ＲＧＢ値をベクトルとして合わせて加算し、続いて、得られたベクトルの長さを取得することによって算出された。
【数２】
2020516707.tif 000011
【０４０３】
ＤＮａｓｅ及びプロテアーゼ間の洗浄の相乗作用
ＤＮａｓｅ並びにプロテアーゼ（プロテアーゼＡ（配列番号７９）、プロテアーゼＢ（配列番号８１）、プロテアーゼＣ（配列番号８２）、プロテアーゼＤ（配列番号８３）、プロテアーゼＥ（配列番号８４）、プロテアーゼＦ（配列番号８５）、プロテアーゼＧ（配列番号８６））間の洗浄の相乗作用を評価するために、バイオフィルムを内在する織物を、ａ）酵素の非存在下（ブランク）、ｂ）ＤＮａｓｅ単独の存在下、ｃ）プロテアーゼ単独の存在下、並びにｄ）ＤＮａｓｅ及びプロテアーゼの混合物とともにＡＭＳＡで洗浄した。得られた織物の強度及び対応する洗浄性能（ＷＰ）を表４（プロテアーゼａ）、表５（プロテアーゼＢ）、表６（プロテアーゼＣ）、表７（プロテアーゼＤ）、表８（プロテアーゼＥ）、表９（プロテアーゼＦ）及び表１０（プロテアーゼＧ）に列記する。ＤＮａｓｅ（ＷＰＤＮａｓｅ）、プロテアーゼ（ＷＰプロテアーゼ）及び両者の混合物（ＷＰＤＮａｓｅ＋プロテアーゼ）に起因する洗浄性能を、酵素がある場合とない場合で洗浄された織物間での強度の相違として定量化した：ＷＰＤＮａｓｅ＝ＩＤＮａｓｅ−Ｉブランク、ＷＰプロテアーゼ＝Ｉプロテアーゼ−Ｉブランク、ＷＰＤＮａｓｅ＋プロテアーゼ＝ＩＤＮａｓｅ＋プロテアーゼ−Ｉブランク。洗浄性能ＷＰ相乗作用の相乗作用成分を、混合されたＤＮａｓｅ及びプロテアーゼの洗浄性能（ＷＰＤＮａｓｅ＋プロテアーゼ）が、ＤＮａｓｅ単独及びプロテアーゼ単独の個々の洗浄性能の和を超える程度として定量化した。ＷＰ相乗作用＝ＷＰＤＮａｓｅ＋プロテアーゼ−（ＷＰＤＮａｓｅ＋ＷＰプロテアーゼ）。
【０４０４】
【表８】
2020516707.tif 000012
【０４０５】
【表９】
2020516707.tif 000013
【０４０６】
【表１０】
2020516707.tif 000014
【０４０７】
【表１１】
2020516707.tif 000015
【０４０８】
【表１２】
2020516707.tif 000016
【０４０９】
【表１３】
2020516707.tif 000017
【０４１０】
【表１４】
2020516707.tif 000018
【配列表】
2020516707000001.app
【国際調査報告】
2020516707.tif 000019
2020516707.tif 000020
2020516707.tif 000021